(57)【要約】【課題】可動演出部材の動作制御を適正に行うことが可能なぱちんこ遊技機を提供する。【解決手段】メイン基板からの演出制御コマンドを受信し演出制御コマンドに応じた制御処理を行うサブメイン基板と、サブメイン基板により決定された演出動作を行う左下可動演出部材９６と、左下可動演出部材９６の位置確認のための位置検出センサと、を備え、サブメイン基板は、位置検出センサの検出結果に基づき左下可動演出部材９６が初期位置にあるか否かを確認するための位置検出を行うことが可能であり、位置検出のタイミングは、左下可動演出部材９６の動作中とは異なる変動開始時や変動停止時などのタイミングであり、可動演出部材が所定位置にあるべき状況で可動演出部材が所定位置にあることを確認できなかった場合に、可動演出部材を所定の初期位置に戻す。【選択図】図１９
2018166906.tif 000002
【特許請求の範囲】
【請求項１】
遊技の進行を制御する主制御手段と、
前記主制御手段からの演出制御指令を受信し前記演出制御指令に応じた制御処理を行う演出制御手段と、
前記演出制御手段により決定された演出動作を行う可動演出部材と、
前記可動演出部材の位置確認のための位置検出手段と、を備え、
前記演出制御手段は、
前記位置検出手段の検出結果に基づき前記可動演出部材が所定位置にあるか否かを確認するための位置検出を行うことが可能であり、
前記位置検出のタイミングは、前記可動演出部材が前記演出動作を行うタイミングとは異なるタイミングであり、
複数種類のエラーの検出が可能であり、前記複数種類のエラーのうちの所定のエラーが発生した場合には、前記可動演出部材を動作させず、
前記所定のエラーとは異なる特定のエラーが発生した場合には、前記可動演出部材を動作させる場合があり、
前記特定のエラーの発生時には、エラーが発生していない非エラー時と同様に、前記可動演出部材が前記演出動作を行うタイミングとは異なるタイミングで前記位置検出を行うことを特徴とするぱちんこ遊技機。
【発明の詳細な説明】
【技術分野】
【０００１】
本発明は、遊技媒体として遊技球や遊技メダルを用いるぱちんこ遊技機に関するものである。
【背景技術】
【０００２】
一般に、ぱちんこ遊技機には、演出の一環として可動演出部材を動作させるものがある。このタイプのぱちんこ遊技機においては、液晶表示画面に表示される内容が大当りとなるか否かの期待が持てるタイミングで可動演出部材が動作すれば、大当りとなったり、大当りの期待度の高い演出に進んだりする、といったゲーム性が採用されている。
【特許文献１】特開２００３−２３６０８８号公報
【発明の開示】
【発明が解決しようとする課題】
【０００３】
ところで、上述のように可動演出部材を備えたタイプのぱちんこ遊技機においては、可動演出部材が、演出上の重要な役割を担っている。このため、可動演出部材を効果的に活用できるよう、可動演出部材の位置や動作の管理には最善を尽くす必要がある。
【０００４】
本発明はこうした課題に鑑みてなされたものであり、その目的とするところは、可動演出部材の動作制御を適正に行うことが可能なぱちんこ遊技機を提供することにある。
【課題を解決するための手段】
【０００５】
上記課題を解決するために本発明は、遊技の進行を制御する主制御手段（メイン基板など）と、
前記主制御手段からの演出制御指令（メインコマンドなど）を受信し前記演出制御指令に応じた制御処理を行う演出制御手段（サブメイン基板など）と、
前記演出制御手段により決定された演出動作を行う可動演出部材と、
前記可動演出部材の位置確認のための位置検出手段（位置検出センサなど）と、を備え、
前記演出制御手段は、
前記位置検出手段の検出結果に基づき前記可動演出部材が所定位置（初期位置など）にあるか否かを確認するための位置検出を行うことが可能であり、
前記位置検出のタイミングは、前記可動演出部材が前記演出動作を行うタイミングとは異なるタイミング（可動演出部材の演出上の動作の開始時等とは異なる変動開始時や変動停止時など）であり、
り、
複数種類のエラーの検出が可能であり、前記複数種類のエラーのうちの所定のエラー（重要度の高いエラーなど）が発生した場合には、前記可動演出部材を動作させず、
前記所定のエラーとは異なる特定のエラー（重要度の低いエラーなど）が発生した場合には、前記可動演出部材を動作させる場合があり、
前記特定のエラーの発生時には、エラーが発生していない非エラー時と同様に、前記可動演出部材が前記演出動作を行うタイミングとは異なるタイミングで前記位置検出を行うことを特徴とするぱちんこ遊技機である。
【発明の効果】
【０００６】
本発明によれば、先読み演出や、先読み演出に係わる演出についての多様化が可能なぱちんこ遊技機を提供できる。
【図面の簡単な説明】
【０００７】
【図１】本発明の一実施例のぱちんこ遊技機の正面図である。
【図２】ぱちんこ遊技機の背面図である。
【図３】ぱちんこ遊技機の機能を示すブロック図である。
【図４】ぱちんこ遊技機の主要な基板構成を示すブロック図である。
【図５】メイン基板、サブメイン基板、及び、サブサブ基板の基本的な機能手段を示すブロック図である。
【図６】（ａ）は主制御表示装置を示す説明図、（ｂ）は主制御表示装置における各表示灯と名称の関係を示す図表である。
【図７】（ａ）は演出表示装置における演出図柄の変動中の表示例を示す説明図、（ｂ）は同じく演出図柄の停止中の表示例を示す説明図である。
【図８】（ａ）は当否判定テーブルを示す図表、（ｂ）ははずれ用の変動パターンテーブルを示す図表である。
【図９】（ａ）は第１抽選用の大当り図柄判定テーブルを示す図表、（ｂ）は第２抽選用の大当り図柄判定テーブルを示す図表、（ｃ）は小当り時に用いられる小当り図柄判定テーブルを示す図表である。
【図１０】（ａ）ははずれ時に用いられる変動パターンテーブルを示す図表、（ｂ）は１６Ｒ大当り時に用いられる変動パターンテーブルを示す図表、（ｃ）は４Ｒ大当り時及び小当り時に用いられる変動パターンテーブルを示す図表である。
【図１１】メイン基板における制御開始処理を示すフローチャートである。
【図１２】図１１に続く制御開始処理を示すフローチャートである。
【図１３】メイン基板における遊技進行割込み処理を示すフローチャートである。
【図１４】メイン基板における電源断処理を示すフローチャートである。
【図１５】サブメイン基板におけるサブメイン初期設定処理を示すフローチャートである。
【図１６】サブメイン基板におけるメイン処理を示すフローチャートである。
【図１７】サブメイン基板におけるメインコマンド受信処理を示すフローチャートである。
【図１８】サブメイン基板におけるタイマ割込み処理を示すフローチャートである。
【図１９】（ａ）はセンター飾りの左側の部分を拡大して示す説明図、（ｂ）は上記（ａ）中の可動演出部材を抽出して概略的に示す説明図である。
【図２０】図１９中の複数の可動演出部材に係る同時動作の対応関係を示す図表である。
【図２１】図１６中のデバイス管理処理を示すフローチャート。
【図２２】各種のエラーに係る報知態様を示す図表。
【図２３】各種のエラーに係る報知態様を示す図表。
【図２４】各種のエラーに係る報知態様を示す図表。
【図２５】各種のエラーに係る報知態様を示す図表。
【図２６】（ａ）は操作ボタンを突出させる前のレバー装置を示す斜視図、（ｂ）はレバーを起立させて操作ボタンを突出させたレバー装置を示す斜視図、（ｃ）はレバーを傾倒させたレバー装置を示す斜視図である。
【発明を実施するための最良の形態】
【０００８】
以下、本発明に係るぱちんこ遊技機の実施例について説明する。なお、ここでは先ず、本実施例のぱちんこ遊技機の基本構成について説明し、その後に、本実施例のぱちんこ遊技機における遊技手順、演出、及び、制御態様などについて説明する。
＜ぱちんこ遊技機の基本構成＞
【０００９】
図１は、本実施例に係るぱちんこ遊技機１０の前面構成を示している。ぱちんこ遊技機１０においては、後述する遊技機枠１１に遊技盤５０が装着されている。これらのうち、遊技盤５０は、ぱちんこ遊技機１０の機種に応じて付属機器や意匠等といった構成要素を異ならせているものである。さらに、遊技盤５０は、遊技機枠１１との電気的な接続関係や、構造的な接続関係を解除することにより、遊技機枠１１から分離できるようになっている。
【００１０】
また、複数機種の遊技盤５０について、遊技機枠１１との構造的及び電気的な接続関係を共通化することにより、異機種間で遊技機枠１１を共用する所謂機種変更が可能となっている。なお、以下では先ず、遊技機枠１１について説明し、その後に遊技盤５０の盤面構成について説明する。
【００１１】
上述の遊技機枠１１は、外枠１２、前枠１３、及び、下部前板１４を有している。さらに、前枠１３には、ガラス扉１５、及び、皿ユニット１６が装着されている。これらのうち外枠１２は、ぱちんこ遊技機１０を、遊技場（遊技店舗）内の島設備における所定位置に固定するために用いられる矩形の枠体であり、図１中に示すように、ガラス扉１５や皿ユニット１６を有する前枠１３と、上述の下部前板１４とにより、前面側が閉じられる開口部分を有している。
【００１２】
前枠１３は、外枠１２の開口部分に整合する外形を備えた構造であり、図１中の左側に示すヒンジ機構１５Ａ、１５Ｂを介して、外枠１２に装着されている。そして、前枠１３は、外枠１２に対する閉鎖状態から、図１中の左側縁部を固定端とし、右側縁部を自由端として、前方へ揺動することで開放状態となる。
【００１３】
前枠１３の外枠１２への係止と、外枠１２からの解放は、錠装置（図示略）を介して行われている。すなわち、図１中に示すように、前枠１３の自由端側には、錠装置のシリンダ部１７が配置されており、このシリンダ部１７は、前枠１３の下部を覆った前述の皿ユニット１６を通して、鍵穴をぱちんこ遊技機１０の前方へ向けている。そして、遊技場店員が、鍵をシリンダ１７部の鍵穴に挿入し、この鍵を、例えば反時計回りに回すと、前枠１３の自由端側が錠装置から解放され、前枠１３が開放状態となる。
【００１４】
このような前枠１３に対して、前述の下部前板１４は、前枠１３のような開閉のための構成は備えておらず、外枠１２に、動くことないよう固定されている。そして、下部前板１４は、外枠１２の前面の下端部を常に塞いでいる。
【００１５】
前枠１３の前部に配置されたガラス扉１５と、皿ユニット１６とは、ヒンジ機構（図示略）を介して、前枠１３に装着されている。さらに、ガラス扉１５と、皿ユニット１６とは、何れも、図１中の左側縁部を固定端とし、右側縁部を自由端として、各々独立に揺動可能である。そして、ガラス扉１５と、皿ユニット１６とは、例えば遊技場店員が、前方に水平に揺動させることで開放状態となり、開放状態から後方へ水平に揺動させ、前枠１３に係止させることにより閉鎖状態となる。
【００１６】
ガラス扉１５の前枠１３への係止と、前枠１３からの解放は、前述の錠装置（図示略）を介して行われている。すなわち、遊技場店員が、鍵を前述のシリンダ１７部の鍵穴に挿入し、この鍵を、例えば前枠１３の開放時とは逆の時計回りに回すと、ガラス扉１５の自由端側が錠装置から解放され、ガラス扉１５が開放状態となる。
【００１７】
また、ガラス扉１５を開放することで、皿ユニット１６の係止機構（図示略）が現れて操作可能となり、この係止機構の操作部（図示略）を遊技場店員が、例えば下方向に押し込み操作することで、皿ユニット１６が開放状態となる。
【００１８】
さらに、ガラス扉１５は、例えば平行な２枚の透明板を脱着可能に保持しており、閉鎖状態にある場合に、これらの透明板を通して、ぱちんこ遊技機１０の前方から遊技盤５０を視認できるようにしている。透明板としては、ガラス板のほか、透明な樹脂板なども利用することができる。
【００１９】
皿ユニット１６は、その前面に、上球皿１８、下球皿１９、及び、発射ハンドル２０等を有している。これらのうち、上球皿１８には、遊技球の貯留、発射ハンドル２０を介して操作される発射装置４３（図２及び図４参照）への遊技球の供給、下球皿１９への遊技球の排出といった各種機能のための機構が備えられている。また、下球皿１９には、遊技球の貯留、上球皿１８から送られてきた遊技球の受入れ、ぱちんこ遊技機１０の外部に置かれた玉箱（所謂ドル箱）への遊技球の排出といった各種機能のための機構が備えられている。
【００２０】
また、本実施例においては、ガラス扉１５の上隅部や、下部前板１４などといった部位に、各種のスピーカ２１が設けられており、これらのスピーカ２１を通して、遊技状態や演出パターンなどに応じたＢＧＭや各種効果音などが出力されるようになっている。
【００２１】
さらに、上球皿１８の、遊技者に向かう部分には、遊技者により押下操作が可能な操作ボタン２２が設けられている（図１参照）。この操作ボタン２２は、上球皿１８の上部の外壁面に設けられており、上球皿１８の左右方向の中央近傍に位置している。また、操作ボタン２２は、内部に操作ボタン用発光体（図示略）を備えており、実行される演出パターンに応じて光出力を行うようになっている。
【００２２】
なお、操作ボタン２２を、例えばモータやソレノイド等の駆動源を用いて、所定の場合に上方に突出ないし振動動作を実施するようにしてもよい。また、操作ボタン２２のほかに十字キー（図示略）が備えられており、この十字キーを用いて遊技者による各種の環境設定や演出操作が可能となっている。そして、環境設定の内容としては、スピーカ２１の音量調節、後述する演出表示の輝度調節や光量調節、或いは、後述する演出モードの変更などを例示できる。また、十字キーを用いた演出操作としては、変動表示中のミニゲームなどを例示できる。さらに、十字キー以外にも、例えば、レバー状の操作手段や、各種方式のタッチパネル等を用いることが可能である。
＜ぱちんこ遊技機の背面構成＞
【００２３】
次に、ぱちんこ遊技機１０の背面側における基本的な構成を説明する。図２に示すように前枠１３の背面には、遊技球を誘導又は回収するための遊技球通路等を備えたセット基盤３１が取着されており、このセット基盤３１の下方に、遊技機全体に電源を供給するための電源ユニット３２、遊技機枠側の制御を行う払出ＣＰＵ（後述する）等を搭載した払出制御基板１０３が取り付けられている。また、遊技盤５０の背面側においては、遊技全体を統括制御するメインＣＰＵ（後述する）等を搭載したメイン基板（主制御基板）１０２や、メイン基板１０２からの制御コマンドに基づいて演出制御を実行するサブメインＣＰＵ（後述する）等を搭載したサブ基板１０４が、セット基盤３１の開口に対応する位置関係で設けられている。
【００２４】
セット基盤３１においては、上述の開口の上部に賞球タンク３３が設けられている。この賞球タンク３３は、島設備から供給されて賞球となる遊技球を貯留する。さらに、賞球タンク３３の下方には、賞球通路３４、払出ユニット３５、賞球排出通路３６が設けられている。
【００２５】
払出ユニット３５は、賞球通路３４と連絡し賞球タンク３３内に貯留された球を１球単位で下方に排出可能である。さらに、賞球排出通路３６は、払出ユニット３５から流下された遊技球を賞球として球皿（上球皿１８又は下球皿１９）に案内する。
【００２６】
前述の電源ユニット３２は、図２中に示すようにぱちんこ遊技機１０を背面視した場合における、セット基盤３１の左下の部位に設けられている。そして、電源ユニット３２は、遊技機外部から供給される交流電源を、遊技機中において使用する各種の電圧に変換して、払出制御基板１０３、メイン基板１０２、サブ基板１０４等へ供給する。また、電源ユニット３２には、傾倒スイッチである電源スイッチ４０が設けられている。
【００２７】
前述の払出制御基板１０３は、図２中に示すようにぱちんこ遊技機１０を背面視した場合における、セット基盤３１の右下の部位に配置されている。そして、払出制御基板１０３は、メイン基板１０２からの払出に係る指令や外部からの貸出要求に応じて払出ユニット３５を制御する払出制御機能を有している。また、払出制御基板１０３は、発射ハンドル２０（図１参照）の操作量に応じた強度で遊技球を遊技領域に発射するよう、発射装置４３を制御する発射制御機能も備えている。
【００２８】
前述のメイン基板１０２は、遊技盤５０の背面側における中央下部に配置されており、主に、各種の抽選機能や、払出制御基板１０３及びサブ基板１０４に対する制御機能などのように、ぱちんこ遊技機１０における中心的な処理機能を備えている。前述のサブ基板１０４は、遊技盤５０の背面側における中央上部に配置されており、主に、後述する各種の演出を制御するための機能を備えている。
【００２９】
前述のサブ基板１０４については、演出制御の主体的な機能を担う主サブ基板（本実施例ではサブメイン基板３０１）と、画像作成などの特定の演出機能に特化した副サブ基板（本実施例ではサブサブ基板３０２）とに分かれているが、「サブ基板」の用語はこれらを包含したものである。また、セット基盤３１の背面側における右上部には、メイン基板１０２や払出制御基板１０３等からの信号をぱちんこ遊技機１０の外部の機器へ中継する外部中継端子基板４６が設けられている。
＜遊技盤の盤面構成＞
【００３０】
次に、前述の遊技盤５０や、遊技盤５０の盤面に配置された部品（盤面部品）について説明する。本実施例においては、遊技盤５０は、透明なアクリル樹脂やベニヤ材を用いて板状に形成されており、遊技球を遊技盤５０の裏側に導く遊技球通路や、所定の空間などを有している。そして、遊技盤５０は、各種の盤面部品が装着された板面を前方に向けた状態で、遊技機枠１１の前枠１３に装着されており、閉鎖状態にあるガラス扉１５等により、その前方を覆われるようになっている。さらに、遊技盤５０の前面側においては、湾曲した帯状に成形された内レールや外レールを組み合せて遊技領域５２が区画形成されている。
【００３１】
図１中に示すように、遊技領域５２には、第１始動入賞口６２と第２始動入賞口６３、第１大入賞口９１と第２大入賞口９２、左作動口６８ａと右作動口６８ｂ、複数の一般入賞口７２、及び、アウト口５８等が備えられている。さらに、遊技領域５２には、演出のための表示を行うことが可能な液晶表示装置からなる演出表示装置６０や、この演出表示装置６０の周辺を装飾するセンター飾り６４等が備えられている。
【００３２】
また、遊技領域５２には、図示しない多数の遊技釘や、風車などの機構が備えられている。さらに、遊技盤５０の、遊技領域５２の左下の外部には、主制御表示装置５３が設けられている。なお、この主制御表示装置５３の具体的な構成や機能については後述する。また、遊技盤５０の上述のような盤面構成は、例えば、ぱちんこ遊技機１０に採用されたゲーム性等に応じて種々に異なり得るものである。そして、盤面構成に係る他の実施例については後述する。
＜盤面部品の機能＞
【００３３】
続いて、上述した個々の盤面部品に係る具体的な機能や構成について説明する。先ず、前述の第１始動入賞口６２は、第１遊技に係る始動入賞口であり、遊技球の入口を常時開き、且つ、遊技球の入口の大きさを変化させないタイプのものである。さらに、第１始動入賞口６２は、第１始動入賞口６２への遊技球の入球を検出する第１始動入賞検出装置７４（センサ）を有しており、このセンサの出力信号は、前述のメイン基板１０２に入力されている。
【００３４】
前述の第２始動入賞口６３は、第２遊技に係る始動入賞口である。第２始動入賞口６３は、普通電動役物に係る始動口（所謂「電動チューリップ」或いは「電チュー」）となっており、後述する普通図柄が当りの態様で停止表示された場合に、普通電動役物の作動に基づき、遊技球の第２始動入賞口６３への入球が可能となる。
【００３５】
さらに、第２始動入賞口６３は、図３中に示すように、第２始動入賞検出装置７５（センサ）と、上述の開閉羽根を開閉させるための普通電動役物ソレノイド７６とを備えている。第２始動入賞検出装置７５の出力信号は、メイン基板１０２に入力されている。
【００３６】
また、本実施例では、第２始動入賞口６３を開放する態様として、複数種類が設けられている。そして、これらの開放態様には、比較的短時間（例えば０．２秒程度）の態様（「ショート開放」や「短開放」などと称する）や、比較的長時間（例えば５秒程度）の態様（「ロング開放」や「長開放」などと称する）などがある。また、ショート開放とロング開放の間の開放時間に設定されたミドル開放の態様を設けることも可能である。
【００３７】
前述の一般入賞口７２は、図３中に示すように、遊技球の入球を検出するための一般入賞検出装置７３（センサ）を備えている。一般入賞検出装置７３は、の出力信号はメイン基板１０２に入力されている。
【００３８】
前述の第１大入賞口９１は、横長の長方形状に形成された開口を有している。さらに、第１大入賞口９１は、上述の開口を開閉するための第１開閉扉（図示略）を備えている。そして、第１大入賞口９１は所定の当りが発生した場合に、所定の態様で開放動作を行う。
【００３９】
また、第１大入賞口９１は、図３中に示すように、遊技球の入球を検出するための第１大入賞検出装置７８や、上述の第１開閉扉を開閉駆動する第１大入賞口ソレノイド８０を備えている。これらのうち、第１大入賞検出装置７８は、第１大入賞口９１への遊技球の入球を検出するセンサを有しており、その出力信号はメイン基板１０２に入力されている。
【００４０】
前述の第２大入賞口９２は、横長の長方形状に形成された開口を有している。さらに、第２大入賞口９２は、上述の開口を開閉するための第２開閉扉（図示略）を備えている。そして、第２大入賞口９２は、所定の当りが発生した場合に、所定の態様で開放動作を行う。
【００４１】
また、第２大入賞口９２は、図３中に示すように、遊技球の入球を検出するための第２大入賞検出装置７９や、上述の第２開閉扉を開閉駆動する第２大入賞口ソレノイド８１を備えている。これらのうち、第２大入賞検出装置７９は、第１大入賞口９１への遊技球の入球を検出するセンサを有しており、その出力信号はメイン基板１０２に入力されている。
【００４２】
なお、本実施例においては、第１大入賞口９１、第２大入賞口９２の前方に装飾板９１ｂ、９２ｂが各々設けられている。この装飾板９１ｂ、９２ｂには一部に装飾が施されているが、第１開閉扉、第２開閉扉、第１大入賞口９１、及び、第２大入賞口９２を遊技者が視認できるように透明な材質が採用されている。
【００４３】
前述の左作動口６８ａは、図３中に示すように、左通過検出装置６９ａを備えており、右作動口６８ｂは、右通過検出装置６９ｂを備えている。さらに、これらの通過検出装置６９ａ、６９ｂは、対応する作動口６８ａ、６８ｂにおける遊技球の通過を検出するセンサを有している。そして、各通過検出装置６９ａ、６９ｂにおけるセンサの出力信号は、メイン基板１０２に入力されており、各通過検出装置６９ａ、６９ｂは、入球の有無に応じて、センサの出力信号を変化させる。
【００４４】
前述のセンター飾り６４は、演出の機能等を有しており、センター飾り６４の内部には、多数のチップ型ＬＥＤが実装されたＬＥＤ基板が設けられ、光がセンター飾り６４を透過し、光装飾を行うようになっている。
【００４５】
また、センター飾り６４には、可動演出部材９３、９４等が設けられており、これらの可動演出部材９３、９４が、演出用のギミックを構成している。さらに、センター飾り６４の、正面から見て右側の部位には遊技球通路部６５が形成されており、センター飾り６４は、上述のような演出機能のほかに、遊技球の流路の機能を有している。
【００４６】
また、センター飾り６４には、導光板９０が備えられている。この導光板９０としては、図示は省略するが、例えば、板面を前後に向けて平行に並べられた２枚の透明板を備えたものを採用することが可能である。導光板９０は、センター飾り６４において、演出表示装置６０の保護カバーとしても機能している。
【００４７】
この導光板９０は、例えば左右の端面のうちの一方の端面に向い合うように、光源となる複数のＬＥＤを、それぞれ帯状に並べて配置する。そして、通常時には、演出表示装置６０の画面に他の像を重ねることなく、演出表示装置６０の表示内容を、遊技者が視認できるように透明板の外側に透過させている。
【００４８】
導光板９０を構成する各透明板の内部には、通常の環境の下では視認できない程度の細かな凹凸が形成され、所定の演出の実行時に、端面に面した上述の光源が駆動され、内部に向けて照射された光が透明板の凹凸により拡散し、拡散光により、所定のイラストなどが、遊技者に認識可能なように発色して浮かび上がる。
【００４９】
また、導光板９０の２枚の透明板のうち、他方の透明板には、上述のイラスト等とは異なる像を形成するための凹凸が刻まれている。
【００５０】
前述の主制御表示装置５３は、図６（ａ）に示すように、図柄表示基板（メイン図柄表示基板）２５６上に、７セグメント表示体やＬＥＤ表示灯を多数配置したものである。この主制御表示装置５３には、前述の普通図柄を表示する普通図柄表示部５９、第１遊技に対応する第１特別図柄（後述する）を表示する第１特別図柄表示部７０、第２遊技に対応する第２特別図柄（後述する）を表示する第２特別図柄表示部７１、及び、その他の各種表示部が形成されている。なお、上述の普通図柄表示部５９は普通図柄表示装置を構成している。また、第１特別図柄表示部７０は第１特別図柄表示装置を構成しており、第２特別図柄表示部７１は第２特別図柄表示装置を構成している。また、主制御表示装置５３に形成された各表示部の詳細については後述する。
【００５１】
また、以下では、普通図柄を「普図」、特別図柄を「特図」、第１特別図柄を「第１特図」や「特図１」、「特１」、「特別図柄１」、「図柄１」、第２特別図柄を「第２特図」や「特図２」、「特２」、「特別図柄２」、「図柄２」などと称する場合がある。
＜基本的な遊技手順＞
【００５２】
続いて、本実施例のぱちんこ遊技機１０における遊技手順について説明する。先ず、前述の上球皿１８に遊技球が供給された状況で、遊技者が、前述の発射ハンドル２０を操作して回動させると、その回動角度に応じた強度で、上球皿１８に貯留された遊技球が１球ずつ所定間隔で発射される。そして、遊技球は、前述の内レールと外レールにより案内され、遊技領域５２の上部に達し、内レールと外レールとの間から遊技領域５２へ放出される。
【００５３】
通常の遊技においては、遊技者は、遊技球が遊技領域５２の左側で流下するように発射を行い、遊技領域５２の下方中央部に位置する第１始動入賞口６２を狙う。このような遊技領域５２の左側を主に使用する発射の態様は、所謂左打ちと呼ばれる。また、遊技球の発射は、遊技者が発射ハンドル２０を操作している間、前述の発射装置４３により、所定の時間間隔（例えば１分間に１００発を超えない程度の間隔）で繰り返される。そして、遊技領域５２に連続して放出された遊技球は、複数の遊技釘や風車などに干渉しながら、その速度や入射角度（又は反射角度）等の要因に応じた方向へ落下する。
【００５４】
遊技球が、前述の一般入賞口７２や第１始動入賞口６２などの各種の入賞口へ落入すると、入球が検出され、遊技球の払出制御が行われる。そして、入球した入賞口の種類に応じて、所定数の遊技球が、前述の払出ユニット３５を介し、賞球として上球皿１８に払出される。また、上球皿１８が多くの遊技球により満たされ、払出された後続の遊技球が上球皿１８に進入できない場合には、これらの遊技球は、溢れ球として下球皿１９に導かれる。
【００５５】
また、各種の入賞口に落入した遊技球はセーフ球となり、遊技盤５０の表面側から裏面側に案内される。また、セーフ球とならなかった遊技球は、遊技領域５２の下端部に達してアウト口５８に落入し、遊技盤５０の裏面側に案内される。そして、遊技盤５０の裏面側に達した遊技球は、所定の案内樋やセット基盤３１内の遊技球通路を通って下方に導かれ、ぱちんこ遊技機１０から、前述の島設備の側へ向けて排出される。
【００５６】
前述の左作動口６８ａと右作動口６８ｂは、上述のセーフ球を発生させる入賞口と異なり、遊技球が通過するゲートとなっている。なお、本実施例における「落入」、「入球」、「入賞」の用語は、ゲートに係る「通過」の意味を含むものとする。
【００５７】
遊技球が、作動口（ここでは左作動口６８ａ又は右作動口６８ｂ）に入球した場合、後述するような所定の変動開始条件（普図変動開始条件）が成立していれば、主制御表示装置５３において、普通図柄（後述する）が変動表示される。主制御表示装置５３で表示される普通図柄は、作動口への入球に基づき実行される乱数抽選（普図抽選）の結果を示すものであり、所定の変動時間を経たのちに停止表示される。
【００５８】
遊技球が、始動口（ここでは第１始動入賞口６２又は第２始動入賞口６３）に入球した場合、後述するような所定の変動開始条件（特図変動開始条件）が成立していれば、主制御表示装置５３において、特別図柄（後述する）が変動表示される。主制御表示装置５３で表示される特別図柄は、始動口への入球に基づき実行される乱数抽選（大当り抽選）の結果を示すものであり、所定の変動時間を経たのちに停止表示される。
【００５９】
前述の演出表示装置６０においては、特別図柄に係る演出表示が行われる。この演出表示は、特別図柄が変動表示中であるか、停止表示中であるか、といった違いや、特別図柄の停止表示態様が大当りのものであるか、はずれのものであるか、といった違いに関係して、予め定められた各種の態様の演出を行うものである。
【００６０】
特別遊技においては、第１大入賞口９１又は第２大入賞口９２が開放される単位遊技が複数回繰り返される。さらに、特別遊技には、単位遊技が最大回数に亘り繰り返されるものと、単位遊技が最大回数よりも少ない回数に亘り繰り返されるものとがある。
【００６１】
各単位遊技においては、対応する大入賞口（第１大入賞口９１又は第２大入賞口９２）において、所定数（例えば９個）の遊技球が検出された場合、又は、合計の開放時間が所定時間（例えば約３０秒）に達した場合に、終了条件が成立して、対応する大入賞口が閉鎖される。単位遊技の終了条件として、合計の開放時間とするのは、１回の単位遊技中で複数回の大入賞口の開放を分割して行う場合であっても上限値を定めていることを示している。大入賞口の開放を単位遊技内で複数行うことにより、技術介入性を高めたり、１回の開放で行うことにより容易に出玉を獲得できるなど大当り中の遊技性に幅を持たせるため、大入賞口の開放態様は予め設定されているパターンの中から選択可能としている。
【００６２】
さらに、本実施例のぱちんこ遊技機１０においては、上述のように、従来にいう第１種ぱちんこ遊技機に相当する遊技が複数（ここでは２つ）混在するゲーム性が採用されている。つまり、本実施例においては、上述の複数の遊技を、第１特別図柄が使用される第１遊技と、第２特別図柄が使用される第２遊技とに分けることができる。そして、第２遊技が第１遊技よりも優先されており、同時に遊技の開始条件を満たした状況においては、第２遊技を優先して実行させ、第１遊技を保留しておくことにより、第１遊技と第２遊技とが同時に実行されないようになっている。
【００６３】
また、本実施例のぱちんこ遊技機１０においては、前述の大当り抽選の結果に応じて、特別遊技の終了後に、特定遊技が実行される場合がある。この特定遊技は、前述の特別遊技とは別な態様で、通常遊技よりも遊技者に有利な遊技状態となるものである。本実施例においては、特定遊技として、確率変動遊技（以下「確変」と称する）、変動時間短縮遊技（以下「時短」と称する）、及び、入球容易化遊技が設けられている。特定遊技として、確変、時短、入球容易化遊技の何れか１のみ実行するものもあれば、複数の特定遊技を同時に行うものもあり、それらの組み合わせによって異なる遊技性を創出するものである。
【００６４】
特定遊技が実行される場合や終了する場合には、演出表示装置６０の画像や音声などによって推奨される遊技球の発射位置、発射タイミングに関する報知（例えば、右打ちを促す演出）が実行される。そして、遊技者が、発射ハンドル２０の回動量を時計回りに増やして発射力を強め、遊技球を遊技領域５２の右側の領域に向けて発射すると、センター飾り６４の上方を通った遊技球が、センター飾り６４の遊技球通路部６５に進入し、センター飾り６４の流下する右打ち遊技状態となる。
【００６５】
センター飾り６４から放出された多数の遊技球のうちの一部は、右作動口６８ｂ（図１参照）を通過して右通過検出装置６９ｂ（図３参照）により検出される。そして、前述のように、右作動口６８ｂを遊技球が通過すると、前述の普通図柄が主制御表示装置５３（図６（ａ）参照）で変動表示され、普通図柄の変動表示が所定の当り態様にて停止すると、第２始動入賞口６３の普通電動役物が当り態様に応じて所定時間拡開する。
【００６６】
本実施例においては、遊技領域５２の右側に達した遊技球を、釘等によって、第２始動入賞口６３や第２大入賞口９２の周辺に導くことが容易となっている。さらに、本実施例では、特定遊技である時短には入球容易化遊技が付加されるようになっており、時短中は、入球容易化遊技により普通電動役物の開放延長、普通電動役物の確率変動、普通電動役物の時短の組み合わせが行われ、前述の普通電動役物の作動頻度が上昇し、ロング開放が実行され易くなる。そして、時短中において、第２始動入賞口６３の普通電動役物が１回拡開した際に、１個、または複数個の遊技球が第２始動入賞口６３に入球し得るようになっている。
【００６７】
なお、大当りが発生して特別遊技が実行される際には、第１大入賞口９１や第２大入賞口９２が開放するが、この特別遊技中に、遊技者に対して右打ちを行わせることが可能である。そして、この場合には、特別遊技の開始前に、演出表示装置６０の画像や音声などによって、遊技者に右打ちを促す演出を実行することが考えられる。
＜大当りの種類＞
【００６８】
次に、上述の第１遊技及び第２遊技における大当りの種類について説明する。本実施例では、大当りとして、前述の単位遊技を１６回繰り返す大当り（以下、適宜「１６Ｒ（ラウンド）大当り」とも称する）や、単位遊技を４回繰り返す大当り（以下、適宜「４Ｒ大当り」とも称する）が設けられている。
【００６９】
大当りの１部の種類として大当り遊技後の特定遊技により分けることも可能である。確変にならないものを「通常」当り（例えば４Ｒ通常）と表現し、確変が付与されるものを確変当りや特別当り（例えば１６Ｒ確変）と称する。また、例えば、１６Ｒ大当りであっても、第１大入賞口９１（又は第２大入賞口９２）の開放期間が短く、実質的に４Ｒ大当りと同じ程度の出球しか獲得できないといったもの実質４Ｒ当りを設けたり、４Ｒ大当りであっても、出球の獲得がほとんどできないといったもの（４Ｒ出球無し）を設けたりすることが可能である。
【００７０】
また、本実施例では、前述の確変や時短等といった特定遊技状態は、全ての大当りについて発生するようになっている。このため、本実施例における１６Ｒ大当りは、全てが、確変を伴う１６Ｒ大当り（以下「１６Ｒ確変」と称する）であり、４Ｒ大当りは、全てが、確変を伴う４Ｒ大当り（以下「４Ｒ確変」と称する）である。
【００７１】
しかし、大当りと、確変や時短等との組合せについては、本実施例のものに限定されず、種々の組合せを採用することが可能である。例えば、確変、時短、及び、入球容易化遊技といった特典機能のうち、少なくとも１部を付与しない大当りを設けることが可能である。より具体的には、確変のみが伴う大当りや、時短のみが伴う大当りを設けることが考えられる。さらに、確変の継続期間の相違や、時短の継続期間の相違によって、大当りの種類を異ならせることも可能である。また、時短中に電チューサポート（入球容易化状態）を併せて実行する場合は、「時短の継続期間」は、「電チューサポートの継続期間」と言い換えることができる。
＜大当り以外の当り＞
【００７２】
また、本実施例では、大当り以外の当りの種類として、小当りが設けられている。第１遊技（又は第２遊技）において、この小当りが発生した場合には、前述の単位遊技を１回行うようになっている。
＜主制御表示装置＞
＜＜主制御表示装置の構成＞＞
【００７３】
次に、前述の主制御表示装置５３について、図６に基づき説明する。主制御表示装置５３は、図柄表示基板２５６に、セグメント表示体や多数のＬＥＤ表示灯を配置し、各種の表示体の前方に透明板を重ねて構成されている。さらに、図６（ａ）に示すように主制御表示装置５３は、図柄表示基板２５６の、正面から見て左上の部位に、左から順に、第１状態表示灯２３１、第２状態表示灯２３２、主制御エラー表示灯２３３を有している。
【００７４】
第１状態表示灯２３１は、直線状の２つのＬＥＤセグメントを、一列に並べて、数字の「１」の形態のデジットを構成するものである。第２状態表示灯２３２は、直線状の７つのＬＥＤセグメントを組み合せて、数字の「８」の形態のデジットを構成するものである。さらに、主制御エラー表示灯２３３は、第２状態表示灯２３２の右下に付設された真円状の主制御エラー表示灯用ドットにより構成されるものである。
【００７５】
上述の第１状態表示灯２３１及び第２状態表示灯２３２は、各セグメントのＬＥＤを選択的に点灯させることで、０〜１９の数字、アルファベット文字、ハイフンやその他の記号などの表示が可能となっている。さらに、ＬＥＤを点滅させることや、点滅のパターンを異ならせることで、より多様な情報の表示が可能となっている。そして、第１状態表示灯２３１及び第２状態表示灯２３２は、例えば、前述の第１遊技又は第２遊技において大当りが発生し、特別遊技が実行される場合におけるラウンド数の表示などに用いられる。また、主制御エラー表示灯２３３は、例えば、エラーに係る表示などに用いることが可能となっている。
【００７６】
さらに、図６（ａ）中に示すように、図柄表示基板２５６には、上から順に２個、４個、１０個、１０個のＬＥＤ表示灯が横に所定ピッチで並べられている。ここで、図６（ａ）では、説明の便宜上、合計２６個のＬＥＤ表示灯上にＡ〜Ｚの符号を記載している。そして、以下の説明では、図６（ａ）中に付されたＡ〜Ｚの符号によって、各ＬＥＤ表示灯を区別する場合がある。
【００７７】
これらのＬＥＤ表示灯Ａ〜Ｚも、点灯の有無や点滅パターンに応じて所定の情報の表示を行えるようになっている。図６（ｂ）には、図６（ａ）に示すＬＥＤ表示灯Ａ〜Ｚと名称との関係を示している。これらのうち、ＬＥＤ表示灯Ａ〜Ｃは、後述する普通図柄に係る普通図柄記憶表示用第１ＬＥＤ、普通図柄記憶表示用第２ＬＥＤ、普通図柄表示ＬＥＤである。また、ＬＥＤ表示灯Ｄ、Ｅは、第３状態表示灯、第４状態表示灯であり、ＬＥＤ表示灯Ｆは、前述の右打ちを行うべき場合に例えば点灯する右打ち指示灯である。これらのうち、第３状態表示灯（Ｄ）は、特別図柄に係る確率変動機能の作動状態の表示に用いられ、第４状態表示灯（Ｅ）は、普通図柄に係る確率変動機能の作動状態の表示に用いられる。
【００７８】
さらに、ＬＥＤ表示灯Ｇ〜Ｎの８個は、第１特別図柄表示部７０を構成しており、ＬＥＤ表示灯Ｏ、Ｐは、それぞれ第１特別図柄記憶表示用第１ＬＥＤ、第１特別図柄記憶表示用第２ＬＥＤである。また、ＬＥＤ表示灯Ｑ〜Ｘの８個は、第２特別図柄表示部７１を構成しており、ＬＥＤ表示灯Ｙ、Ｚは、それぞれ第２特別図柄記憶表示用第１ＬＥＤ、第２特別図柄記憶表示用第２ＬＥＤである。なお、図６（ａ）中においては、普通図柄表示部５９、第１特別図柄表示部７０、第２特別図柄表示部７１に符号を付すため、それぞれのＬＥＤ表示灯を波括弧の記号により括って示している。
【００７９】
上述の普通図柄表示部５９は、１つのＬＥＤ表示灯Ｃにより構成されており、このＬＥＤ表示灯Ｃの動作態様により、普通図柄の変動表示及び停止表示を行うようになっている。なお、普通図柄表示部５９は、点灯（当り図柄）状態または消灯（ハズレ図柄）状態にて図柄の停止状態を示し、点滅状態にて変動中であることを示す表示部である。
【００８０】
前述の第１特別図柄表示部７０は、横方向に一列に並んだ８個のＬＥＤ表示灯Ｇ〜Ｎの動作態様によって、第１遊技に係る第１特別図柄の変動表示及び停止表示が可能となっている。この第１特別図柄表示部７０による第１特別図柄は、第１始動入賞口６２への遊技球の入球を契機として行われる第１抽選の結果に対応した図柄であり、その変動表示が所定の当り態様にて停止されたときに大当りが発生し特別遊技が実行される。なお、第１特別図柄表示部７０は、第１特別図柄の停止表示の際には、各ＬＥＤ表示灯Ｇ〜Ｎの点灯と消灯との組み合せによって、最大で２５６（＝２＾８）種類の識別情報を表示可能である。
【００８１】
前述の第２特別図柄表示部７１についても同様に、横方向に一列に並んだ８個のＬＥＤ表示灯Ｑ〜Ｘの動作態様によって、最大で２５６（＝２＾８）種類の識別情報を表示可能である。
【００８２】
また、ＬＥＤ表示灯Ａ、Ｂである普通図柄記憶表示用第１ＬＥＤと普通図柄記憶表示用第２ＬＥＤは、２個で１組となっており、２つのＬＥＤの消灯と点灯、点滅の組合せにより、普通図柄に係る保留球数（０〜４）の数値を表示できるようになっている。
【００８３】
普通図柄記憶表示用第１ＬＥＤ（Ａ）及び普通図柄記憶表示用第２ＬＥＤ（Ｂ）による、０〜４の数値の表示は、例えば、保留数が０の場合（保留がない）場合は両方を消灯し、保留数が１の場合は何れか一方を点灯して他方を消灯するといった態様で行うことが可能である。また、保留数が２の場合は両方を点灯し、保留数が３の場合は何れか一方を点灯して他方を点滅させ、保留数が４の場合は両方を点滅させる、といった態様で保留数の表示を行うことが可能である。
【００８４】
第１特別図柄記憶表示用第１ＬＥＤ（Ｏ）及び第１特別図柄記憶表示用第２ＬＥＤ（Ｐ）、又は、第２特別図柄記憶表示用第１ＬＥＤ（Ｙ）と第２特別図柄記憶表示用第２ＬＥＤ（Ｚ）による、特別図柄に係る保留球数（０〜４）の数値の表示は、例えば、前述の普通図柄記憶表示用第１ＬＥＤ（Ａ）と普通図柄記憶表示用第２ＬＥＤ（Ｂ）の場合と同様の態様で保留数の表示を行うことが可能である。
【００８５】
このような構成の主制御表示装置５３は、図３中に示すように、前述のメイン基板１０２に電気的に接続されている。そして、主制御表示装置５３における各種の表示部は、メイン基板１０２のＣＰＵ（後述する）によって制御される。なお、図３中では、主制御表示装置５３における各種の表示部のうち、普通図柄表示部５９、第１特別図柄表示部７０、第２特別図柄表示部７１のみを示している。
＜演出表示装置の構成と基本的な表示内容＞
【００８６】
続いて、前述の演出表示装置６０の構成と、演出表示装置６０の基本的な表示例について説明する。本実施例では、演出表示装置６０として、液晶ディスプレイが用いられている。この演出表示装置６０の表示領域１９４には、前述の主制御表示装置５３で表示される第１特別図柄又は第２特別図柄についての遊技結果に関する演出表示や、ストーリー表示などといったその他の遊技結果が大当りとなる期待度を示唆する演出表示が行われる。なお、演出表示装置６０においては多様な画像の表示が行われるが、ここでは、第１特別図柄又は第２特別図柄に直接的に関係する基本的な演出表示について説明する。
【００８７】
前述のように、主制御表示装置５３において第１特別図柄又は第２特別図柄の変動表示が開始されると、演出表示装置６０において、図７（ａ）、（ｂ）に示すように、演出図柄１９０の変動表示を伴う変動演出（変動演出表示）が実行される。本実施例においては、演出図柄１９０は、左演出図柄１９０ａ、中演出図柄１９０ｂ、右演出図柄１９０ｃにより構成されている。なお、以下では、左中右の演出図柄１９０ａ〜１９０ｃについて、状況に応じ、「演出図柄１９０」や「演出図柄１９０ａ〜１９０ｃ」と記載する場合がある。
【００８８】
さらに、本実施例において演出図柄１９０は、数字の「１」から「９」の記号の意味を有する９種類の要素図柄（記号要素演出図柄）を有している。なお、上述の要素図柄の詳細については後述する。また、ここでは、説明が煩雑にならないよう、数字の「１」から「９」の記号の意味を有する９種類の要素図柄を用いて説明を行うが、要素図柄としては、例えば所定の単語などのように、数字以外の意味を持った図柄を採用することも可能である。さらに、要素図柄として、数字の意味を持ったものと、他の意味を持ったものとを併用することも可能である。また、特殊な演出（後述する疑似連続予告や特殊ゾーン演出）を実行させるために、ある変動時においてのみ出現（通常図柄に対して追加される、または差し替わることにより表示）する演出示唆を行うための特殊図柄も広義では演出図柄１９０の中に含まれるものである。
【００８９】
主制御表示装置５３における第１特別図柄又は第２特別図柄の変動表示に伴い、演出表示装置６０において、上述の演出図柄１９０が変動表示される（図７（ａ）参照）。演出図柄の変動表示は、本実施例においては、左演出図柄１９０ａから右演出図柄１９０ｃを、個々に縦方向に移動（縦スクロール）させ、上述の要素図柄を順次表示領域１９４中に登場させることにより実行される。なお、本実施例においては、左演出図柄１９０ａと右演出図柄１９０ｃが相対的に前方で大きく表示され、中演出図柄１９０ｂが相対的に後方で小さく表示される表示態様が、演出図柄１９０ａ〜１９０ｃに係る１つの表示態様として採用されている。また、演出図柄１９０ａ〜１９０ｃのスクロール方向としては、縦方向のほか、横方向や回転、或いは、旋回などといった種々の態様を採用することが可能であるが、スクロール表示の各種の態様については後述する。
【００９０】
また、演出図柄１９０は、変動表示の途中段階として、所謂「リーチ」の組合せを構成する場合がある。この「リーチ」においては、演出図柄１９０のうち、２つの演出図柄（ここでは左演出図柄１９０ａと右演出図柄１９０ｃ）が、例えば「７」と「７」などの同じ数字の図柄、同じ意味、或いは、所定の関係を持った図柄で組合せを構成する。さらに、この「リーチ」においては、リーチの組合せを構成した演出図柄１９０ａ、１９０ｃ以外の、残りの１図柄（ここでは中演出図柄１９０ｂ）が、他の演出図柄との組合せを構成できない変動中となっている。
【００９１】
なお、演出図柄１９０の表示態様としては、多種類の「リーチ」や、その他の種々のものを採用できるが、各種の表示態様の詳細については後述する。また、演出表示装置６０においては、演出図柄１９０による演出以外にも種々の演出が行われるが、それらの詳細については後述する。
【００９２】
また、本実施例では、演出表示装置６０は液晶ディスプレイを用いたものとなっているが、これに限らず、例えば、機械式のドラム体やＬＥＤ表示体といった他の種類の表示体を用いたものであってもよい。さらに、演出表示装置６０は、１つの表示体のみを備えたものに限らず、例えば付加的な表示体が追加されて複数の表示体の組合せにより構成されるものであってもよい。
【００９３】
さらに、このような付加的な表示体を可動演出部材として備え、付加的な表示体によるギミックを構成することも可能である。そして、通常は、付加的な表示体を、演出表示装置６０の表示領域１９４の視認の障害とならないように、表示領域１９４の外側に避けて配置しておき、所定の演出パターンが実行される場合に、付加的な表示体が、表示領域１９４の前方に現れるようにすることが考えられる。なお、付加的な表示体を用いた演出の具体的な態様については後述する。
＜ぱちんこ遊技機の電気的構成＞
【００９４】
次に、本実施例のぱちんこ遊技機１０における電気的構成について説明するが、ここでは電気的構成のうちの主要なものを抽出して説明する。先ず、ぱちんこ遊技機１０には、図４に示すように、電源基板２５１、払出制御基板１０３、メイン基板１０２、及びサブメイン基板３０１等が備えられている。これらのうち電源基板２５１には、上述の払出制御基板１０３等が接続されており、払出制御基板１０３には、メイン基板１０２、発射装置４３、及び、遊技球等貸出装置接続端子板（図示略）などが接続されている。また、メイン基板１０２には、前述の主制御表示装置５３や、サブメイン基板３０１が接続されており、サブメイン基板３０１には、前述のサブサブ基板３０２が接続されている。
【００９５】
上述の各種構成のうちの電源基板２５１は、前述の電源ユニット３２（図２参照）に備えられているものである。また、払出制御基板１０３には、図示を省略するが、エラーの種別の表示などに用いられる状態表示部や、球貸しに係る金銭処理や球貸処理を実行するカードユニットなども接続されている。さらに、上述の遊技球等貸出装置接続端子板（図示略）には、球貨操作に用いられる球貨操作基板等が接続される。また、上述の発射装置４３には、発射ハンドル２０（図１参照）に備えられたタッチスイッチ（図示略）や発射停止スイッチ（図示略）等が接続されている。
【００９６】
メイン基板１０２には、図示を省略した各種の遊技盤接続基板を介して、図３に示すように、主制御表示装置５３、各通過検出装置６９ａ、６９ｂ、普通電動役物ソレノイド７６、第１始動入賞検出装置７４、第２始動入賞検出装置７５、一般入賞検出装置７３、第１大入賞検出装置７８、第２大入賞検出装置７９、第１大入賞口ソレノイド８０、第２大入賞口ソレノイド８１、及び、磁気センサや電波センサ（図示略）等が接続されている。
【００９７】
サブメイン基板３０１には、図示を省略した各種の中継基板を介して、演出用の各機器が接続されている。演出用の各機器としては、センター飾り６４における各種電飾用のＬＥＤ基板、可動演出部材９３、９４の各種の可動体モータ、遊技機枠１１における電飾用のＬＥＤ基板、遊技機枠１１に備えられた演出用の枠モータ等を例示できる。ここで、遊技機枠１１における電飾としては、前述のガラス扉１５で行われるもののほか、皿ユニット１６で行われるものや、操作ボタン２２が備えられたボタン装置において行われるものなどを例示できる。また、上述の枠モータは、遊技機枠１１に備えられた可動演出部材（図示略）の駆動に用いられるものである。
【００９８】
サブサブ基板３０２には、図４中に示すように、前述の演出表示装置６０に備えられた液晶ユニット４２や、各種スピーカ２１などが接続されている。なお、各種スピーカ２１を、上述のサブメイン基板３０１に接続するようにしてもよい。
【００９９】
続いて、メイン基板１０２、及び、払出制御基板１０３の構成について説明する。図４に示すように、メイン基板１０２には、ＣＰＵ（メインＣＰＵ）５０１、ＲＯＭ（メインＲＯＭ）５０２、ＲＷＭ５０３が搭載されている。これらのうち、ＣＰＵ５０１としては、例えば樹脂パッケージングがされたＣＰＵ装置（ＣＰＵデバイス）内の中央処理装置を利用可能である。なお、本実施例で説明する「ＲＯＭ」や「ＲＷＭ」は、ＣＰＵデバイスに内蔵されたもの、及び、ＣＰＵデバイスに対して外付けされたものの両方を含む包括的な概念のものである。
【０１００】
さらに、図示は省略するが、メイン基板１０２に搭載されたＣＰＵデバイス内には、ＣＰＵ５０１のほかに、制御用クロック生成回路、乱数用クロック生成回路、１６ビット乱数用の乱数回路、８ビットの乱数用の乱数回路等が備えられている。これらのうち１６ビット乱数用の乱数回路、及び、８ビットの乱数用の乱数回路は、内蔵乱数であるハードウェア乱数を発生させるためのものである。
【０１０１】
また、メイン基板１０２には、メイン基板１０２の外部の機器との間でデータの入出力を行う入出力ポート５０５が搭載されている。さらに、メイン基板１０２には、図示は省略するが、割込回路やタイマ回路などの各種回路部が形成されている。
【０１０２】
上述のＲＯＭ５０２は、ＣＰＵ５０１が遊技に係る処理を行うための遊技プログラムや、所定の制御データなどを記憶している。また、上述のＲＷＭ５０３は、ＣＰＵ５０１による遊技プログラムの実行に際して、各種の処理に必要なデータや、処理中に発生したデータ等を書換え可能に記憶する。
【０１０３】
続いて、払出制御基板１０３には、ＣＰＵ（払出ＣＰＵ）５１１、ＲＯＭ（払出ＲＯＭ）５１２、ＲＷＭ５１３が搭載されている。これらのうち、ＣＰＵ５１１としては、例えば樹脂パッケージングがされたＣＰＵ装置（ＣＰＵデバイス）内の中央処理装置を利用可能である。また、ＲＯＭ５１２は、ＣＰＵ５１１が払出しに係る処理を行うための払出用プログラムや、所定の制御データなどを記憶している。また、上述のＲＷＭ５１３は、ＣＰＵ５０１による払出プログラムの実行に際して、各種の処理に必要なデータや、処理中に発生したデータ等を書換え可能に記憶する。
【０１０４】
前述のサブメイン基板３０１は、ＣＰＵ（サブメインＣＰＵ）５２１と、ＲＯＭ（サブメインＲＯＭ）５２２と、ワークＲＷＭ５２３と、入力ポート５２７と、出力ポート５２８、バスライン（図示略）などを備えている。そして、入力ポート５２７の入力側にはメイン基板１０２の出力側が接続され、入力ポート５２７の出力側には、ＣＰＵ５２１、ＲＯＭ５２２、ワークＲＷＭ５２３、及び、出力ポート５２８などが接続されている。
【０１０５】
サブメイン基板３０１のＣＰＵ５２１は、メイン基板１０２から送信される図柄表示用の演出制御コマンド（指令）に基づいて演出表示装置６０の表示を制御する。ＲＯＭ５２２は、ＣＰＵ５２１により実行される各種の制御プログラムや固定値データを記憶するためのメモリであり、ワークＲＷＭ５２３は、ＣＰＵ５２１による各種プログラムの実行時に使用されるワークデータやフラグを一時的に記憶するためのメモリである。
【０１０６】
なお、前述のメイン基板１０２とサブメイン基板３０１の間におけるデータの送受信は、メイン基板１０２からサブメイン基板３０１への一方向通信（片方向通信）の態様で行われる。したがって、メイン基板１０２が保有する情報は、メイン基板１０２がサブメイン基板３０１へ送信しない限り、サブメイン基板３０１で参照することはできない。
【０１０７】
前述のサブサブ基板３０２は、ＣＰＵ５３１、ワークＲＷＭ５３２、プログラムＲＯＭ５３３、サウンドＲＯＭ５３４、キャラクタＲＯＭ５３５、画像コントローラ（ＶＤＰ）５３６、音制御回路５３７、入力ポート５３８、出力ポート５３９、及び、バスライン（図示略）などを備えている。さらに、画像コントローラ（ＶＤＰ）５３６は、ビデオメモリ５４０を備えている。そして、入力ポート５３８の入力側にはサブメイン基板３０１の出力側が接続され、入力ポート５３８の出力側には、ＣＰＵ５３１、ワークＲＷＭ５３２、プログラムＲＯＭ５３３等の各機器が接続されている。
【０１０８】
上述のビデオメモリ５４０は、演出表示装置６０に表示される表示データを記憶するためのメモリであり、ビデオメモリ５４０における画像データの内容を書き替えることにより、演出表示装置６０の表示内容（フレーム画像）が変更される。キャラクタＲＯＭ５３５は、演出表示装置６０に表示される図柄などのキャラクタデータを記憶するためのメモリである。画像コントローラ５３６は、ＣＰＵ５３１、ビデオメモリ５４０、出力ポート５３９のそれぞれの動作タイミングを調整してデータの読み書きに介在すると共に、ビデオメモリ５４０に記憶される表示データを、キャラクタＲＯＭ５３５から所定のタイミングで読み出し、更に予め優先順位を定めたレイヤの順に図柄を重ねて演出表示装置６０に表示させる。なお、サブサブ基板３０２は、図４中に示すように、ＣＰＵ５３１と画像コントローラ（ＶＤＰ）５３６とが別体で備えられているもののほか、ＣＰＵ５３１と画像コントローラ（ＶＤＰ）５３６とをワンパッケージ化した画像コントローラ（ＶＤＰ）が備えられているものであってもよい。
＜電源供給とデータバックアップ＞
【０１０９】
前述の電源基板２５１は、ぱちんこ遊技機１０の各部に電源を供給するための電源部５４１と、初期化スイッチ５４４を有する初期化スイッチ回路部５４３とを備えている。電源部５４１は、図示しない電源経路を通じて、メイン基板１０２や払出制御基板１０３等に対して、各種スイッチ、モータ、ロジック回路等を駆動するための所定量の電圧を、メイン基板１０２や払出制御基板１０３、及び、その他の所定の機器に対して供給する。
【０１１０】
初期化スイッチ回路部５４３は、電源投入時に初期化スイッチ５４４が押下された場合に、メイン基板１０２及び払出制御基板１０３へ、バックアップデータをクリアするための初期化信号を出力する回路を備えている。
【０１１１】
上述のように、メイン基板１０２におけるＲＷＭ５０３は、ぱちんこ遊技機１０の電源の遮断後においても、電源基板２５１からバックアップ電圧が供給されて、データを保持（バックアップ）できるようになっている。つまり、ＲＷＭ５０３には、各種のデータ等を一時的に記憶するためのメモリやエリア（図示略）の他に、バックアップエリア５０３ａが設けられている。このバックアップエリア５０３ａは、停電（瞬間的な電圧降下による停電である所謂瞬停を含む）などの発生により電源が遮断された場合（電断が生じた場合）において、電源遮断時のスタックポインタや、各レジスタ、Ｉ／Ｏ等の値を記憶しておくためのエリアである。そして、通常の電源立ち上げや、停電の解消に伴い、メイン基板１０２等の状態が、バックアップエリア５０３ａの情報に基づいて、電源遮断前の状態に戻される。
【０１１２】
また、払出制御基板１０３におけるＲＷＭ５１３についても、メイン基板１０２のＲＷＭ５０３と同様に、ぱちんこ遊技機１０の電源の遮断後において、電源基板２５１からバックアップ電圧が供給されて、データを保持（バックアップ）できるようになっている。
【０１１３】
前述のメイン基板１０２には、上述のような停電等による電源遮断を監視する停電監視回路部５０６が設けられている。停電監視回路部５０６は、電源基板２５１の電源部５４１から出力される最大電圧である直流安定（例えば３０ボルト）の電圧を監視し、この電圧が所定電圧未満になった場合に、停電（電源遮断）の発生を検知して、上述の電断信号を出力する。このような電断信号の入力に基づき、メイン基板１０２のＣＰＵ５０１、及び、払出制御基板１０３のＣＰＵ５１１は、所定の電源断処理を実行する。
【０１１４】
次に、メイン基板１０２における基本的な機能について説明する。本実施例のメイン基板１０２は、前述した各構成（図４参照）の働きにより、例えば、入球判定、抽選、コマンド送信などの各種の機能を果たす。
【０１１５】
図５中には、メイン基板１０２、サブメイン基板３０１、及び、サブサブ基板３０２の各々における代表的な機能的手段を示している。これらのうち、メイン基板１０２は、入球判定手段１１０、第１抽選手段１１１、第２抽選手段１１２、普図抽選手段１１３、保留制御手段１１４、メイン表示制御手段１１５、特別遊技制御手段１１６、特定遊技制御手段１１７、開閉制御手段１１８、事前情報通知手段１１９、メインコマンド送信手段１２０等を備えている。そして、メイン基板１０２は、これらの機能的手段により、以下に順に説明するように、特別図柄に関する抽選、普通図柄に関する抽選、保留制御、主制御表示、特別遊技、特定遊技、開閉制御、事前情報通知等を実行する。
【０１１６】
上述の入球判定手段１１０は、各入賞口（各作動口、各種始動入賞口、各種大入賞口、一般入賞口など）への遊技球の入球を各入賞口に設けられたセンサ類から出力される信号をもとに判定する。
＜＜特別図柄に係る当否抽選機能＞＞
【０１１７】
前述の第１抽選手段１１１は、第１始動入賞口６２への入球に基づき第１抽選を実行する。第１抽選手段１１１は、第１抽選値取得手段１２１、第１当否判定手段１２２、第１図柄決定手段１２３、第１パターン決定手段１２４の機能を有している。第１抽選の結果は、前述の主制御表示装置５３（図６（ａ）参照）の第１特別図柄表示部７０において、停止表示された第１特別図柄により表される。
【０１１８】
同様に、前述の第２抽選手段１１２は、第２始動入賞口６３への入球に基づき第２の抽選を実行する。第２抽選手段１１２は、第２抽選値取得手段１２５、第２当否判定手段１２６、第２図柄決定手段１２７、第２パターン決定手段１２８の機能を有している。第２の抽選の結果は、前述の主制御表示装置５３の第２特別図柄表示部７１において、停止表示された第２特別図柄により表される。
【０１１９】
前述の第１抽選手段１１１に備えられた第１抽選値取得手段１２１は、第１始動入賞口６２への入球を契機に、第１抽選に係る大当り乱数の値を、第１当否抽選値として取得する。また、前述の第２抽選手段１１２に備えられた第２抽選値取得手段１２５は、第２始動入賞口６３への入球を契機に、第２抽選に係る大当り乱数の値を、第２当否抽選値として取得する。
【０１２０】
なお、本実施例では、第１当否抽選値として取得される大当り乱数、及び、第２当否抽選値として取得される大当り乱数は、ハードウェア乱数（ハード乱数）とソフトウェア乱数（ソフト乱数）とを用いた演算（加算）により生成されている。ハードウェア乱数としては、例えば１６ビット用の乱数回路で生成される内蔵乱数を利用し、ソフトウェア乱数としては、ソフトウェアにおける乱数生成プログラムにより割込毎に更新される値を利用する。なお、ハードウェア乱数とソフトウェア乱数のうちのいずれか一方を使用するものであってもよい。
【０１２１】
第１抽選手段１１１における第１当否判定手段１２２は、第１当否抽選値に基づいて当否判定を行い、第１当否抽選値が、当りとなる所定の値（当り値）に該当するか否かを判断する。同様に、第２抽選手段１１２における第２当否判定手段１２６は、上述の第２当否抽選値に基づいて当否判定を行い、第２当否抽選値が、当りとなる所定の値（当り値）に該当するか否かを判断する。第１当否判定手段１２２及び第２当否判定手段１２６による当否判定では、第１当否抽選値や第２当否抽選値と、大当り抽選の抽選結果との対応を定めた当否判定テーブル（図８（ａ）参照）が用いられる。ここで、図８（ａ）中に示す、通常時確変時大当りとは、常に大当りとなる乱数値範囲を示すものであり、確変時大当りとは、確変時のみ大当りとなる乱数値範囲であることを示している。
【０１２２】
第１抽選手段１１１における第１図柄決定手段１２３や第２抽選手段１１２における第２図柄決定手段１２７は、第１特別図柄または第２特別図柄に係る大当り抽選でいずれかの大当りに当選した場合における、特別図柄の種類を、大当り図柄判定テーブル（図９参照）に基づき決定する。第１抽選用の大当り図柄判定テーブルは、図柄決定に係る乱数値（図柄乱数）である図柄抽選値と、特別図柄の種類との関係を規定している。
【０１２３】
ここで、図柄抽選値は、特別図柄に係る「特別図柄当り図柄乱数」や「図柄乱数」などとも称する場合がある。また、本実施例では、当たりの種類に小当りが含まれており、第１図柄決定手段１２３および第２図柄決定手段１２７は、特別図柄に係る大当り抽選で小当りに当選した場合における、特別図柄の種類を、小当り図柄判定テーブル（図９（ｃ）参照）に基づき決定する。
【０１２４】
図柄抽選値は、前述の当否抽選値と同様に、始動入賞口への入球を契機に取得されるものである。また、特別図柄の種類は、当りの種類に対応付けられており、取得された図柄抽選値に紐付いて、大当りの種類や小当りの種類が定まるようになっている。
【０１２５】
第１抽選手段１１１における第１パターン決定手段１２４や第２抽選手段１１２における第２パターン決定手段１２８は、それぞれに対応する特別図柄表示部における特別図柄の変動パターンを、特図変動パターンテーブルに基づき決定する。特図変動パターンテーブルは、多数の特図変動パターンと、特別図柄の変動パターン決定（変動パターン抽選）に係る乱数値（変動パターン乱数）であるパターン抽選値との関係を規定している。
【０１２６】
パターン抽選値は、前述の当否抽選値と同様に、始動入賞口への入球を契機に取得されるものである。さらに、第１特別図柄及び第２特別図柄に係る変動パターンは、例えば、大当り時、はずれ時、リーチの有無、時短の有無、保留数、大当り後の変動回数などといった各種の遊技状況に応じて相違した複数の特図変動パターンテーブルが設けられている。
【０１２７】
特別図柄に係る変動パターン（特図変動パターン）は、特別図柄の変動表示における、変動開始から停止までの時間（変動時間）を定めている。そして、特図変動パターンは、その種類によって、例えば数秒程度（これに限らず１秒以下などであってもよい）から数十秒度のように、長短様々な変動時間を規定している。すなわち、各特図変動パターンには、変動表示の終了条件として変動時間が定められており、前述の第１特別図柄表示部７０又は第２特別図柄表示部７１（図６（ａ）参照）においては、特別図柄の変動表示が開始されて、規定された変動時間が経過すると、特別図柄が停止表示される。
＜＜普通図柄に係る各種抽選機能＞＞
【０１２８】
続いて、前述の普図抽選手段１１３について説明する。この普図抽選手段１１３は、普図抽選値取得手段１２９、普図当否判定手段１３０、普図図柄決定手段１３１、普図パターン決定手段１３２を有している。そして、普図抽選手段１１３は、前述の入球判定手段１１０により、各作動口６８ａ、６８ｂにおける遊技球の通過が検出されると、この検出結果に基づき、普通図柄に係る抽選（普図抽選）を実行する。
【０１２９】
この普図抽選においては、普図抽選値取得手段１２９により、普通図柄に係る乱数（普図当否乱数、普図図柄乱数、普図変動パターン乱数などの普図抽選値）が取得される。そして、普通図柄の変動開始時に、普図図柄決定手段１３１により、普図判定テーブルが参照される。この普図判定テーブルには、普図抽選値と、当否、当り図柄の種類、及び、変動パターンとの対応関係が定められている。そして、普図当否判定手段１３０により、当否乱数が当りに該当するものであるか否かが判定され、当りに該当する場合には、当り図柄の種類に基づき当りの種類が判定される。
【０１３０】
また、左作動口６８ａ又は右作動口６８ｂへの入球を契機に普図パターン抽選値（前述した普図変動パターン乱数）が取得され、取得した普図パターン抽選値を用いて普図パターン決定手段１３２により、普通図柄に係る変動パターン（普図変動パターン）が決定される。各普図変動パターンは、普図変動パターンに係る乱数（普図変動パターン乱数）である普図パターン抽選値と対応けられており、取得された普図パターン抽選値に紐付いて、遊技の状況に応じた普図変動パターンが定まるようになっている。
【０１３１】
さらに、本実施例では、普通図柄に係る乱数である普図抽選値、及び、普図パターン抽選値は、ソフトウェア乱数のみを用いて作成されている。
＜＜特別図柄の保留に関する機能＞＞
【０１３２】
続いて、前述の保留制御手段１１４について説明する。保留制御手段１１４は、第１保留手段１３３、第２保留手段１３４、普図保留手段１３５を有している。これらのうち第１保留手段１３３は、新たに第１始動入賞口６２への入球があった場合に、第１特別図柄に係る所定の変動開始条件が満たされなければ、入球により取得された各種の乱数（第１当否抽選値、第１図柄抽選値など）に係る情報（第１特図保留記憶情報）を、一時的に保留記憶する。本実施例では、第１特別図柄に係る保留の上限値は４個に設定されており、この上限値を超えない範囲で、第１特別図柄に係る保留が可能となっている。
【０１３３】
上述の入球があった際に実行されていた第１特別図柄又は第２特別図柄の変動表示が終了し、更に、上述の入球よりも前に発生した第１特別図柄又は第２特別図柄に係る保留が存在しない場合には、第１特別図柄に係る変動開始条件が成立し、第１特別図柄に係る新たな図柄変動が許可されることとなる。
【０１３４】
前述の第２保留手段１３４についても、新たに第２始動入賞口６３への入球があった場合に、第２特別図柄に係る所定の変動開始条件が満たされなければ、入球により取得された各種の乱数（第２当否抽選値、第２図柄抽選値など）に係る情報を、一時的に保留記憶する。
【０１３５】
上述の入球があった際に実行されていた第２特別図柄の変動表示が終了した場合には、第２特別図柄に係る変動開始条件が成立し、第２特別図柄に係る新たな図柄変動が許可されることとなる。なお、本実施例では、第２特別図柄に係る保留の上限値は、第１特別図柄と同様に４個に設定されている。
【０１３６】
上述の第１特別図柄、および第２特別図柄は、特別遊技を開始する図柄が停止して特別遊技に制御された場合は、特別遊技が終了した後に変動開始条件を判定する。
＜＜普通図柄の保留に関する機能＞＞
【０１３７】
続いて、前述の普図保留手段１３５について説明する。普図保留手段１３５は、作動口６８ａ、６８ｂ（図１参照）における入球があった場合に、普通図柄に係る所定の変動開始条件が満たされなければ、入球により取得された乱数（普図抽選値など）に係る情報（普図保留記憶情報）を、一時的に保留記憶する。そして、変動開始条件が成立するまで、上述の入球に係る普通図柄の変動表示を許可しない。なお、本実施例では、普通図柄に係る保留の上限値は４個に設定されており、この上限値を超えない範囲で、普通図柄に係る保留が可能となっている。
【０１３８】
上述の入球があった際に実行されていた普通図柄の変動表示が終了し、普通電動役物が作動していない場合に、普通図柄に係る変動開始条件が成立し、普通図柄に係る新たな図柄変動が許可されることとなる。
＜＜主制御表示に関する機能＞＞
【０１３９】
続いて、前述のメイン表示制御手段１１５について説明する。メイン表示制御手段１１５は、第１特図制御手段１３６、第２特図制御手段１３７、普図制御手段１３８、保留表示制御手段１３９、及び、その他表示制御手段１４０を有している。これらのうち第１特図制御手段１３６は、第１抽選手段１１１により決定された第１特別図柄の変動パターンに従い、第１特別図柄表示部７０（図６（ａ）参照）で、第１特別図柄の変動表示（例えば、ＬＥＤ表示灯Ｍ、Ｎを１００ｍｓｅｃ毎に点滅させる点滅表示）を行う。そして、第１特別図柄は、変動パターンにより定められた変動時間が経過すると、第１特別図柄表示部７０において、決定された図柄で停止表示する。
【０１４０】
さらに、第２特図制御手段１３７は、前述の第２特別図柄に係る変動開始条件が成立していれば、第２抽選手段１１２により決定された変動パターンに従い、第２特別図柄表示部７１（図６（ａ）参照）で、第２特別図柄の変動表示を行う。そして、第２特別図柄は、変動パターンにより定められた変動時間が経過すると、第２特別図柄表示部７１において、決定された図柄で停止表示される。
【０１４１】
また、普図制御手段１３８は、前述の普通図柄に係る変動開始条件が成立していれば、普図抽選手段１１３により決定された普通図柄の変動パターンに従い、普通図柄表示部５９（図６（ａ）参照）で、普通図柄の変動表示を行う。さらに、そして、普通図柄は、変動パターンにより定められた変動時間が経過すると、普通図柄表示部５９において、決定された図柄で停止表示される。
【０１４２】
さらに、保留表示制御手段１３９は、前述の第１特別図柄、第２特別図柄、及び、普通図柄に係る保留数の表示を行う。そして、これらの保留数の表示は、図６（ａ）に示す主制御表示装置５３の、第１特別図柄記憶表示部（ＬＥＤ表示灯Ｏ、Ｐ）、第２特別図柄記憶表示部（ＬＥＤ表示灯Ｙ、Ｚ）、及び、普通図柄記憶表示部（ＬＥＤ表示灯Ｃ、Ｄ）にて行われる。また、前述のその他表示制御手段１４０は、上述した第１特別図柄、第２特別図柄、普通図柄、及び、各種保留表示以外の、主制御表示装置５３における表示を制御する。
＜＜特別遊技に関する機能＞＞
【０１４３】
続いて、前述の特別遊技制御手段１１６について説明する。特別遊技制御手段１１６は、大当りに当せんした場合に、特別図柄が所定の大当り態様で停止されると、特別遊技作動条件が成立したと判定し、前述のように大当りの種類（停止した特別図柄の停止表示態様）に応じて所定の態様（予め定められた単位遊技の回数や単位遊技中の大入賞口の開放パターン）で開放させる特別遊技を実行する。
＜＜特定遊技に関する機能＞＞
【０１４４】
続いて、前述の特定遊技制御手段１１７について説明する。特定遊技制御手段１１７は、前述の確変や時短等に係る制御を行う。特定遊技制御手段１１７は、大当りの種類に応じて、その特別遊技の終了後の遊技状態を、確変状態や時短状態等へ移行させる。本実施例においては、確変状態は、全ての種類の大当りに付帯しており、特別遊技後の合計の変動表示回数が所定数（例えば１００回）に達するまで継続される。確変状態の間は、第１抽選手段１１１や第２抽選手段１１２による大当りの当せん確率が、非確変時である通常時よりも高い値のまま維持される。
【０１４５】
また、本実施例において時短状態は、第１特別図柄及び第２特別図柄の変動表示回数の合計が、特別遊技の終了時点から数えて所定の終了条件回数（例えば１００回など）に達するまで継続される。さらに、時短中は、第１特別図柄及び第２特別図柄の変動表示時間が、通常状態よりも概ね短くなるよう、第１パターン決定手段１２４や第２パターン決定手段１２８が、時短用の変動パターンを選択する。
【０１４６】
さらに、本実施例においては、前述のように、特定遊技として時短が実行されるときに合わせて入球容易化遊技が実行され、普通電動役物の作動が容易になり、第２始動入賞口の入り口に配置された開閉羽根が開放しやすくなる。開閉羽根の開閉制御は、後述する開閉制御手段１１８により制御される。
＜＜開閉制御に関する機能＞＞
【０１４７】
続いて、前述の開閉制御手段１１８について説明する。開閉制御手段１１８は、第２始動入賞口６３の普通電動役物（開閉羽根）や、第１大入賞口９１、第２大入賞口９２の開閉動作を制御する。開閉制御手段１１８は、普通図柄が特定の態様で停止されると、普通電動役物ソレノイド７６に開放指示を送り、第２始動入賞口６３の普通電動役物を開放させる。さらに、開閉制御手段１１８は、特別遊技において、第１大入賞口ソレノイド８０や第２大入賞口ソレノイド８１に開放指示を送るための制御を行い、第１大入賞口９１や第２大入賞口９２を開放させる。
＜＜事前情報通知に関する機能＞＞
【０１４８】
続いて、前述の事前情報通知手段１１９について説明する。事前情報通知手段１１９は、第１始動入賞口６２又は第２始動入賞口６３に入球があった際、その入球に対応する図柄変動表示が保留されるか否かにかかわらず、取得された各種の乱数値に係る情報を、事前通知情報として、サブ基板（ここではサブメイン基板３０１）へ送信するための処理を行う。
【０１４９】
上述の事前通知情報としては、取得した前述の各当否抽選値（第１当否抽選値又は第２当否抽選値）、各図柄抽選値（第１図柄抽選値又は第２図柄抽選値）、各パターン抽選値（第１パターン抽選値又は第２パターン抽選値）が、どのような当否範囲、図柄範囲、パターン範囲に属するものであるのか判定テーブル（変動時に実際に当否判定や図柄判定、パターン判定に用いるテーブルや、事前判定用テーブル）を用いて判定した結果や、各種抽選値自体といった情報を例示できる。
【０１５０】
なお、このような事前通知情報の送信により、サブ基板１０４において、各種の先読み演出が可能となる。そして、先読み演出としては、保留予告や連続予告などを例示できるが、これらの詳細については後述する。
＜＜コマンド送信に関する機能＞＞
【０１５１】
続いて、前述のメインコマンド送信手段１２０について説明する。メインコマンド送信手段１２０は、メイン基板１０２からサブメイン基板３０１へのコマンド（メインコマンド）の送信を行う。メイン基板１０２からサブメイン基板３０１へのコマンド送信は、始動入賞時、特別図柄の変動開始時、特別図柄の変動停止時、大当り発生時などの種々のタイミングで、種々の情報を送信コマンド記憶領域にセットし、割込み処理毎に一定単位のコマンドの送信が行われる。
＜サブ基板の基本機能＞
【０１５２】
次に、前述のサブ基板１０４における基本的な機能について説明する。本実施例においてサブ基板１０４は、サブメイン基板３０１及びサブサブ基板３０２により構成されており、メイン基板１０２からのコマンド受信、演出パターン決定、演出表示制御、演出実行などの各種の機能を果たす。
【０１５３】
図５中に示すように、サブメイン基板３０１は、メインコマンド受信手段１４１、演出パターン決定手段１４２、サブメインコマンド送信手段１４３等を有している。さらに、サブメイン基板３０１は、スピーカ出力等の制御を行うための音制御手段１４４や、遊技効果ランプ出力等の制御を行う光制御手段１４５などの機能的手段が備えられている。
【０１５４】
演出パターン決定手段１４２により決定される演出パターンは、演出表示装置６０に表示される表示演出や、必要に応じ表示演出と併せて行われる音演出及び光演出を指定する情報を含んでおり、演出図柄１９０の変動表示中に大当りの期待度の高さを示唆する演出を実行する。ここで、本実施例における「期待度」は、「信頼度」と言い換えることが可能なものである。以下「期待度」については、同種の予告演出のパターンのうち出現したときの変動で大当りとなる期待感を高める演出段階（通常パターン、チャンスアップパターン、確定パターン）について述べるものや、１の演出を発生させる当り変動パターン（当り変動における変動パターン）情報およびはずれ変動パターン情報（はずれ変動における変動パターン）について確認したときに、１の演出に対応する変動パターン中に当り変動パターンが含まれる確率について述べるものの記載それぞれについて使用する場合があり、総じて「期待度が高い演出」とは、当該演出が発生した場合に大当りすることが多い演出のことをいう。
【０１５５】
演出パターン決定手段１４２により演出パターンが決定されると、決定された演出パターンを示す演出パターン情報が、サブメインコマンド送信手段１４３を介し、サブメインコマンドとして、サブサブ基板３０２へ送信される。また、サブメイン基板３０１からサブサブ基板３０２へ送信されるコマンドには、サブサブ基板のＲＯＭから音データやランプデータ等を読み出すために、音情報なども含まれる。
【０１５６】
サブサブ基板３０２には、図５中に示すように、サブメインコマンド受信手段１４６や演出実行制御手段１４７などが備えられている。そして、サブサブ基板３０２においては、演出実行制御手段１４７により、サブメイン基板３０１からのサブメインコマンドに基づき、必要な画像データを液晶ユニット４２（図４参照）に順次出力し、アニメーション画像を構成して、演出表示装置６０において演出用の動画を表示する。
＜特定遊技に係る具体的態様＞
【０１５７】
次に、前述した特定遊技の具体的態様について説明する。本実施例においては、前述のように特定遊技として、特別図柄の確率変動機能（確変）、特別図柄の変動時間短縮機能（時短）、及び、入球容易化遊技（普通図柄の確率変動機能、普通図柄の変動時間短縮機能、普通電動役物の開放延長機能の複合）が設けられている。そして、本実施例では、これらの各種特定遊技のうちの少なくともいずれか１つが、大当り抽選の結果（特別図柄の停止表示図柄）や、大当り中の遊技結果に応じて実行される。
＜＜確率変動遊技＞＞
【０１５８】
上述の確変は、大当り後の特別図柄に係る遊技の確率状態を、通常の確率状態と比べて大当りの発生確率が高くなるように変更するものである。本実施例においては、確変状態の継続期間（確変期間）は、特別図柄の変動回数に基づき決定されている。
【０１５９】
特別図柄の変動回数は、特別図柄の変動表示から停止表示までが１回として定まるものである。そして、本実施例において確変期間は、特別遊技終了後の第１特別図柄及び第２特別図柄の合計の変動回数が所定回数（例えば１００回）に設定される。このように次回の大当りが発生する前に確変期間が終了し得るようにした機能は、例えばＳＴや回数切り確変などと称することが可能である。なお、確変期間を次回の大当りまでとすることも可能であり、その場合の具体的態様としては、例えば、特図１及び特図２の両方、特図１及び特図２の何れか一方、特図１及び特図２の一部の大当り、又は、特図１或いは特図２の一部の大当り、について確変期間を次回の大当りまでとすることなどを例示できる。
＜＜変動時間短縮遊技＞＞
【０１６０】
上述の時短は、前述の主制御表示装置５３における特別図柄（第１特別図柄及び第２特別図柄）の変動時間を、通常遊技の場合と比べて、概ね短縮するものである。ここで、「概ね短縮する」とは、全ての場合に通常遊技よりも短縮するとは限らず、一部には、特別図柄の変動時間が通常遊技と同等な場合や、通常遊技よりも長い場合を含み得る、という意味である。そして、この時短によれば、特別図柄の変動時間が短くなることから、連続して始動入賞口（第１始動入賞口６２及び第２始動入賞口６３）への入賞が発生しても、特別図柄の変動表示及び停止表示を短い間隔で円滑に進めることができ、大当り抽選の機会を多く確保することが可能となる。
【０１６１】
さらに、本実施例においては、時短状態の継続期間（時短期間）は、確変状態と同様に、特別図柄の変動回数に基づき決定されている。そして、本実施例において時短状態は、特別遊技終了後の第１特別図柄及び第２特別図柄の合計の変動回数が所定回数（例えば１００回）に達するまで継続される。
【０１６２】
なお、本実施例では、確変期間と時短期間を同じ期間に設定しているが、確変期間と時短期間を互いに異なる期間としてもよい。また、確変期間や時短期間は、いずれも一定であることに限定されない。例えば、確変期間や時短期間を、発生した大当りの種類に応じて４回、２５回、１００回などのいずれかとすることなどが可能である。
【０１６３】
また、所謂転落抽選の機能を備えることが可能である。この転落抽選としては、以下のようなものを例示できる。例えば、確変や時短が、上述の最大変動回数（ここでは１００回）よりも少ない所定の回数（例えば５０回）に達した後には、最大変動回数に達するまで毎回の特別図柄の変動毎に、確変や時短を終了させるか否かの抽選（特定遊技終了抽選）が実行される。そして、この特定遊技終了抽選に当せんした場合には、確変及び時短を終了させ、次回の変動からの遊技状態が、確変や時短が伴わない通常状態に戻る。
＜＜入球容易化遊技＞＞
【０１６４】
続いて、前述の入球容易化遊技について説明する。この入球容易化遊技は、普通電動役物に係る機能を遊技者に有利に設定し、第２始動入賞口６３の開放態様が通常よりも遊技球を受け入れ易くなり得るようにする遊技状態である。入球容易化遊技が実行された場合には、普通図柄に係る時短、普通図柄に係る確率変動、普通電動役物に係る開放延長などの制御態様や、これらの制御態様の組合せにより、第２始動入賞口６３への入球容易性が高められ、入球容易状態が形成される。
【０１６５】
普通図柄における上述の各種の制御態様のうち、普通図柄に係る時短は、普通図柄の変動時間が通常状態よりも短縮される制御態様であり、普通図柄に係る確率変動は、普通図柄の当せん確率を通常状態よりも向上させる制御態様（普通図柄に係る確変）である。さらに、普通電動役物に係る開放延長は、第２始動入賞口６３の開放時間を、通常時（非特定遊技時）の開放（ショート開放）よりも長く開放（ロング開放）を行う制御態様である。
【０１６６】
上述のように、本実施例における特定遊技中の入球容易化遊技は、普通図柄の時短、開放抽選の確率変動、普通電動役物の開放延長という３つの機能を用いて第２始動入賞口６３への入球容易性を高める。しかし、これに限定されず、これら３つの機能のうち、１つ又は２つの機能を用いて第２始動入賞口６３への入球容易性を高める構成としてもよい。また、３つの機能のうち少なくともいずれかを、実施する期間と実施しない期間との切り替えを、遊技状態に応じて行う構成としてもよい。
【０１６７】
このような入球容易化遊技の継続期間は、特別図柄に係る時短期間に関連付けて決定することが可能である。例えば、特別図柄に係る時短中は入球容易化遊技を継続し、特別図柄に係る時短が終了すると入球容易化遊技が終了する、といった制御態様の採用が可能である。
＜ぱちんこ遊技機における主な演出＞
＜＜演出図柄の基本的表示態様＞＞
【０１６８】
次に、メイン基板１０２からサブメイン基板３０１へのコマンドに基づき、サブメイン基板３０１及びサブサブ基板３０２によって実行される各種の演出について、主要なものを説明する。そして、ここでは先ず、前述の演出図柄１９０（図７（ａ）、（ｂ）参照）の基本的な表示態様について説明する。
【０１６９】
演出図柄１９０は、主制御表示装置５３において特別図柄が変動表示されることに伴って、演出表示装置６０上において変動表示される（図７（ａ）参照）。さらに、演出図柄１９０は、主制御表示装置５３において特別図柄が停止表示されることに伴って、演出表示装置６０上において停止表示（図７（ｂ）参照）される。
【０１７０】
演出図柄１９０の停止に伴い表示される停止図柄は、左演出図柄１９０ａ、中演出図柄１９０ｂ、右演出図柄１９０ｃの３つの図柄の組合せにより構成される。そして、メイン基板１０２における大当り抽選の結果が大当りとなった場合には、例えば「７７７」や「５５５」のように、３つの図柄が揃ったぞろ目の組合せが、大当りを表す停止図柄として表示される。また、大当り抽選の結果がはずれであった場合には、例えば「７６７」、「９２８」、「３３１」などのように、１部又は全ての演出図柄が他の演出図柄と異なる組合せで、演出図柄１９０が停止表示される。
【０１７１】
ここで、本実施例における「停止図柄」や「図柄の停止」は、３つの演出図柄１９０が「確定停止」していることを意味している。すなわち、３つの演出図柄１９０ａ〜１９０ｃが、演出表示装置６０の表示領域１９４において、例えば「７６７」や「９２８」などの組合せを保った状態で表示されていたとしても、それだけでは「確定停止」したことには該当しない。そして、このように演出図柄１９０が、組合せを保ちつつ「確定停止」に至っていない状態を、「仮停止」の状態と称することが可能である。
【０１７２】
このような「仮停止」の表示態様としては、例えば、演出図柄１９０が小刻みに振動している（揺れている）状態を例示できる。そして、演出図柄１９０が組合せを維持したまま小刻みに揺れているような仮停止の態様を、「揺れ変動」の態様などと称することが可能である。この「仮停止」における演出図柄１９０の揺れの態様としては、縦又は横の直線移動や水平方向の回転移動などを例示でき、移動範囲としては数ミリ程度を例示できる。
【０１７３】
また、上述の「確定停止」の表示態様としては、仮停止の状態を経て、全ての演出図柄１９０ａ〜１９０ｃが組合せを保ったまま停止した状態を例示できる。さらに、この「確定停止」の際に、確定停止されたことを示す演出を行うことが可能である。そして、確定表示されたことを示す演出としては、確定停止の状態を所定時間（例えば１秒程度）維持することや、確定停止された各演出図柄１９０ａ〜１９０ｃを、特殊効果が付加された状態で表示すること（図柄エフェクト）を例示できる。
【０１７４】
ここで、図柄エフェクトとしては、各演出図柄１９０ａ〜１９０ｃを瞬間的（例えば０．５秒程度）に限り光らせる、各演出図柄１９０ａ〜１９０ｃの周りに輝点を１回或いは複数回周回させる、演出図柄１９０ａ〜１９０ｃを拡大又は縮小する、演出図柄１９０ａ〜１９０ｃを数ミリ程度移動させて元の位置に戻す、演出図柄１９０ａ〜１９０ｃの周りに漂う所定態様のオーラの動画を付加する、などといった種々の態様を採用することが可能である。なおエフェクト（効果）の種類によって、瞬間的な表示では適さない場合には、確定停止になる前から開始されるようにすることが好ましい。
【０１７５】
また、前述の「リーチ」の表示態様において、リーチの組合せを保った演出図柄が、前述の「仮停止」の態様で表示される場合がある。そして、この「仮停止」によるリーチ表示の後に、変動表示されていた図柄（ここでは中演出図柄１９０ｂ）が、はずれの組合せ（はずれリーチの組合せ）を構成して「仮停止」し、組合せを保ったまま「確定停止」が行われて変動表示が終了する、といった演出を例示することができる。また、３つの演出図柄１９０ａ〜１９０ｃが、はずれリーチの組合せによる「仮停止」を行っている状態から、中演出図柄１９０ｂが変動を再開してリーチ演出が高信頼度のもの（大当りに係る信頼度が相対的に高いもの）に発展する、といった演出（後半リーチ）も例示できる。
【０１７６】
なお、演出図柄１９０のスクロール表示の態様としては、上述の縦スクロールに限定されるものではなく、種々の表示態様を採用することが可能である。そして、他の表示態様としては、例えば、横方向（右から左など）への横スクロール態様や、左演出図柄１９０ａから右演出図柄１９０ｃを、個々に、鉛直軸まわりに回転（自転）させて、変動表示を行う回転態様を例示できる。また、例えば、左演出図柄１９０ａから右演出図柄１９０ｃが、表示領域１９４中で、後方から前方、即ち画面の奥から手前に向って、直線軌道或いは曲線（旋回）軌道に沿って、拡大されながら順次繰り出される、といった表示態様も例示できる。さらに、後方から前方へ向う演出図柄が、上方から下方手前へ降りてくる、といったスクロール表示の態様を採用することも可能である。
【０１７７】
また、スクロールの態様は、前述したような各種の態様のいずれか１つを採用することに限らず、例えば、所定の演出が実行される場合に、所定のスクロール態様から他のスクロール態様に切り替えることなども可能である。また、複数の演出モードについて、演出モード毎に、スクロール態様を異ならせることなども可能である。
【０１７８】
また、図７（ａ）、（ｂ）においては、演出図柄１９０の組合せが、表示領域１９４の上下方向の中段でのみ停止表示される表示態様が例示されており、有効ラインは、横方向（図７（ｂ）の例では手前から奥を経て手前に至る横方向など）の１ラインのみとなっている。しかし、これに限定されるものではなく、例えば、有効ラインの数を、例えば平面的な２ラインや５ラインとすることなども可能である。
【０１７９】
さらに、図７（ｂ）においては、左演出図柄１９０ａから右演出図柄１９０ｃを、所定の字体の数字のみにより簡略化して示しているが、演出図柄１９０は、数字などの所定の記号を意味する部分（前述の記号要素演出図柄である要素図柄）と、所定の記号以外を表す絵柄からなる部分（非記号要素演出図柄である要素図柄）との組合せにより構成することが可能である。そして、所定の記号以外を表す絵柄からなる部分としては、各種のデザイン画や人物画、及び、これらの組合せ等を例示でき、さらに、記号に組合される各種のデザイン画や人物画を、動画とすることも可能である。
＜＜演出パターンの例示＞＞
【０１８０】
続いて、前述の演出パターンについて説明する。演出パターンは、メイン基板１０２で決定される変動パターンに関連付けられた状態で多数設けられている。さらに、演出パターンには、演出図柄１９０を含む演出の態様が規定されている。より具体的には、演出パターンには、選択された演出図柄１９０に対する変動開始から変動停止までの変動過程や、演出図柄１９０と組合せて表示される背景及びストーリー展開などといった演出過程が定義されている。そして、演出パターンには、前述の「リーチあり」や「リーチなし」に対応したものがある。
【０１８１】
これらのうち、「リーチあり」の演出パターンが実行される場合は、あと１つの演出図柄（ここでは中演出図柄１９０ｂ）が揃えば大当りとなるリーチ演出が、演出表示装置６０において行われる。そして、特別図柄に係る当否抽選の結果が大当りである場合には、大当りの種類に応じた「７７７」や「３３３」などのぞろ目の表示が、確定停止した演出図柄１９０によって行われる。また、特別図柄に係る当否抽選の結果がはずれである場合には、例えば「７６７」や「５１５」などのはずれを示す組合せが、確定停止した演出図柄１９０によって行われる。
【０１８２】
さらに、「リーチなし」の演出パターンが実行される場合は、例えば「９２８」や「３３１」などのように、左演出図柄１９０ａと右演出図柄１９０ｃがリーチの組合せとならないリーチなしの組合せが、確定停止した演出図柄１９０によって行われる。
【０１８３】
これらの演出パターンには、長短様々な変動時間をもつものがあり、特に、「リーチあり」の変動パターンには、変動時間が数分に及ぶようなものも含まれている。なお、本実施例では、前述した特別図柄に係る変動パターン（図１０（ａ）〜（ｃ）参照）における、「リーチなし（３秒〜１０秒程度）」、「ノーマルリーチ（１０秒〜２０秒程度）」、「スーパーリーチ（大当り信頼度の高いリーチ）（３０秒〜２分程度）」に対応した、リーチなしの演出パターン、ノーマルリーチの演出パターン、スーパーリーチの演出パターンが設けられている。そして、これらの演出パターンには、例えば、１つの変動パターンに対して複数の演出パターンが関連付けられており、演出パターン数は、前述の変動パターンよりも多岐に亘っている。さらに、「スーパーリーチ」は、「ＳＰ（スペシャル）リーチ」と言い換えることが可能なものである。
＜＜特別図柄に係る保留演出表示＞＞
【０１８４】
次に、演出表示装置６０において行われる特別図柄に係る保留表示（保留演出表示）について説明する。演出表示装置６０の表示領域１９４の下部には、図７（ａ）、（ｂ）中に示すように、保留数表示部１９７が表示される。この保留数表示部１９７は、第１遊技における当否抽選値の保留数を示す第１保留数表示部、又は、第２遊技における当否抽選値の保留数を示す第２保留数表示部として、いずれの遊技が実行されているかに応じ使用されるものである。
【０１８５】
すなわち、保留数表示部１９７は、例えば初当り前などの通常の遊技状態においては、第１遊技に係る第１保留数表示部として使用され、前述した特定遊技中などには、第２遊技に係る第２保留数表示部として使用される。なお、ここでは説明や図示を簡略化するため、個々の保留表示を真円によって表しているが、保留表示を、その他の形状や色彩の組み合わせ、キャラクタ画像、アニメーション等により行ってもよい。
【０１８６】
本実施例においては、第１遊技又は第２遊技に係る保留が発生すると、上述の保留数表示部１９７に所定の保留表示が行われる。さらに、保留数が増えると、保留表示が追加される。そして、保留数が上限に達すると、図７（ａ）に示すように、保留数表示部１９７において、４つの保留表示が行われる。
【０１８７】
また、保留数表示部１９７における保留表示は、第１表示位置から第４表示位置にて行うことが可能である。つまり、保留数表示部１９７には、第１表示位置から第４表示位置が含まれており、保留数表示部１９７の、遊技者から見て左端の部位が、第１表示位置となっている。そして、右端へ向かって順に、第２表示位置、第３表示位置、第４表示位置が設けられている。さらに、以下では、第１表示位置から第４表示位置で行われる保留表示を、それぞれ「保１」、「保２」、「保３」、「保４」と称する。
【０１８８】
例えば、演出表示装置６０において、第１遊技又は第２遊技に係る演出図柄１９０の変動表示が行われている最中で、且つ、保留数表示部１９７に１つの保留表示も行われていない状況において、保留が発生すると、左端の第１表示位置（上述の「保１」の位置）に保留表示が行われる。そして、この際には未だ他の保留表示が行われておらず、「保２」〜「保４」は発生していないものとする。このように「保１」が発生している状況で、更に保留が発生すると、発生した保留に係る表示は、「保１」の右隣の「保２」の位置で行われる。そして、「保１」及び「保２」が表示され、「保３」や「保４」が表示されていない状況で、更に保留が発生すると、発生した保留数に応じて、「保３」や「保４」の表示が行われる。
【０１８９】
そして、「保１」が発生した際に実行されていた変動表示が終了し、第１遊技に係る他の変動開始条件も成立していれば、上述の「保１」に係る保留記憶情報が消化される段階となり、「保１」の保留表示が、保留数表示部１９７の中の左側へ移動する。保留数表示部１９７の左側の部位には、当該変動情報表示部１９５が設けられている。この当該変動情報表示部１９５は、そのときに実行されている変動表示に係る情報（当該変動情報）を表示する領域である。つまり、「保１」の保留表示は、対応する保留記憶情報に係る変動表示が実行される際には、当該変動情報表示部１９５に移動して、当該変動情報表示１９８に変化する。
【０１９０】
ここで、「保１」の保留表示を当該変動情報表示部１９５に移動させる際に、アイテムに係るサイズ、色彩、形態などといった表示要素の変更を行うようにしてもよい。図７（ａ）、（ｂ）の例では、「保１」の保留表示を当該変動情報表示１９８に変化させる際に、サイズの拡大を行っている。
【０１９１】
上述のように「保１」にあった保留表示が当該変動情報表示部１９５に移動すると、後続の保留表示の待機順位が繰り上り、「保２」は「保１」の位置にシフトする。さらに、「保３」や「保４」が存在した場合には、「保３」は「保２」の位置にシフトし、「保４」は「保３」の位置にシフトする。そして、このような状況で更に保留が発生した場合には、新たに「保４」が発生し、保留数が上限に達することとなる。また、新たな保留が発生しなければ、この次の変動表示の開始に伴い、保留表示のシフトが行われ、各保留の待機順位が繰り上がることとなる。
【０１９２】
なお、「保１」〜「保４」における保留表示から、当該変動情報表示部１９５における当該変動情報表示１９８に変化した状態を含めて、広義に、保留演出と捉えることが可能であるが、これに限らず、「保１」〜「保４」における保留表示までを保留表示とし、当該変動情報表示部１９５における当該変動情報表示１９８に変化した状態は保留表示に含めない、といった取扱いを行うことも可能である。
【０１９３】
また、演出図柄１９０に係る変動表示が行われておらず、保留数が０の状況で、第１始動入賞口６２又は第２始動入賞口６３に入球があると、「保１」の表示は行われず、当該変動情報表示部１９５に、直接的に、当該変動情報表示１９８が行われるようになっている。そして、このような場合に限って、当該変動情報表示部１９５における当該変動情報表示１９８を保留表示に含めない、といった取扱いを行うことも可能である。
【０１９４】
また、保留表示については、種々の遊技状態に応じた態様で行うことが可能である。例えば、大当り抽選の確率が通常確率の場合と高確率の場合などで、異なる演出モードに制御される場合に互いの保留表示の態様を異ならせることなどを例示できる。
【０１９５】
さらに、保留数表示部１９７の表示態様は上述のものに限定されず、例えば、第１遊技に係る第１保留数表示部と、第２遊技に係る第２保留数表示部を、当該変動情報表示部１９５を左右から挟んでそれぞれ表示する、といったことも可能である。また、本実施例のように第２遊技を第１遊技に優先して実行するのではなく、第１遊技及び第２遊技に係る始動入賞の発生順に特別図柄や演出図柄１９０の変動表示を行うタイプのぱちんこ遊技機においては、当該変動情報表示部１９５の左側に８つの保留表示を並べる、といったことも可能である。
＜＜特別図柄に係る保留先読み演出＞＞
【０１９６】
次に、特別図柄に係る予告演出（先読み演出）の１つである、保留先読み演出について説明する。この保留先読み演出は、前述の保留記憶情報（第１特図保留記憶情報又は第２保留記憶情報）に係る事前通知情報に基づき、実行される演出である。さらに、保留先読み演出は、前述の事前情報通知の機能を用いて、そのときに演出図柄１９０等を用いて行われている演出よりも後に消化が行われる保留に対して、リーチや大当りが発生することの期待を示唆する演出として実行される。
【０１９７】
例えば、前述の保留数表示部１９７における「保３」の位置で発生した保留表示について、前述の基本の表示態様である表示（例えば青色）とは異なり、緑色の保留表示を行うことで、通常の青色の態様である場合に比べて、リーチが発生すること等の期待度が高いことが示される。そして、青や緑の彩色の他に、黄色、赤色、金色、虹色、所定柄などの表示態様を設け、緑色よりも、黄色、赤色、金色、虹色、所定柄の順で大当りの期待度が高いことを示す、といった演出が行われている。
【０１９８】
ここで、上述の「所定柄」の表示態様としては、キリン等の動物模様や、所定のキャラクタ画像を含む表示態様などを例示できる。また、保留表示の彩色や柄のみでなく、真円形状以外のアイテムや人物画像等を採用することも可能である。さらに、上述の各種の表示態様に点滅や発光を行っている態様を組み合せて先読み演出を行うことも可能である。また、保留先読み演出を含む先読み演出に当せんした保留を、例えば「トリガ保留」などと称することが可能である。
【０１９９】
以上説明したような保留に係る先読み演出は、第２遊技においても行われる場合がある。そして、第２遊技に関しては、基本色（オレンジ）のほかに、赤色、金色、虹色、所定柄などの表示態様を備えることが可能である。また、第２遊技に係る保留表示としても、真円形状以外のアイテムや人物画像等を採用することも可能である。
【０２００】
さらに、上述したような第１遊技及び第２遊技において保留表示を用いる先読み演出は、「保留変化」などと称することが可能である。そして、このような「保留変化」には、保留発生の当初から上述のように基本の表示態様と異なる表示態様を示すものや、保留発生の後のタイミングで表示態様の変化を示すものなどがある。
【０２０１】
これらのうち、保留発生の後のタイミングで表示態様の変化を示すものとしては、例えば、保留が発生して保留表示が開始され、保留の消化が進み、保留表示が、例えば「保２」、「保１」と進む間に、保留表示が変化するようなものを例示できる。そして、例えば、保留発生時には「保３」の位置に青色（第２遊技の場合はオレンジ色）で保留表示が行われ、「保１」の位置に移動した際に、緑色等の他の色に変化する、といったことが行われる。
【０２０２】
また、第１遊技及び第２遊技の何れについても、当該変動情報表示１９８となった場合に、保留表示が基本色から、赤色、金色、虹色、所定柄などの表示態様や、或いは、真円形状以外のアイテムや人物画像等の表示態様に変化して、大当りの期待度を表す場合もある。
【０２０３】
さらに、上述のような保留変化に係る制御態様としては、以下のようなものを例示できる。例えば、保留発生時に、保留変化の演出パターン（保留変化パターン）を決定するための抽選（保留変化パターン抽選）を行う。この保留変化パターン抽選には、保留変化パターンテーブルが用いられ、この保留変化パターンテーブルには、保留変化の有無や、保留変化を実行する場合（保留変化ありの場合）には、どのようなタイミングでどのような表示態様を実行するか、といった演出パターンの決定に係る事項が規定されている。また、保留変化パターンとしては、第１遊技のためのものと、第２遊技のためのものとが定められている。
【０２０４】
また、保留変化に当せんした保留が、「保１」から「保４」の中に複数存在する場合に、いずれか一方の保留先読み演出をキャンセルする、といったことが可能である。より具体的には、例えば、「保４」が発生した際に、「保４」に係る保留が、緑色に変化する保留変化パターンに当せんし、先に発生しているいずれかの保留が、虹色に変化する保留変化パターンに当せんしていれば、上述の「保４」に係る保留については、保留変化をキャンセルして実行しない、といったもの例示できる。
【０２０５】
さらに、例えば、上述の例と同様に「保４」が発生した際に、「保４」に係る保留が、虹色まで変化する保留変化パターンに当せんし、先に発生している全ての保留が、虹色までは変化せず、緑色などまでしか保留変化しないものであれば、先に発生している保留については、保留変化をキャンセルして実行しない、といったもの例示できる。
＜＜特別図柄に係る連続予告＞＞
【０２０６】
次に、他の先読み演出のパターンとして、特別図柄に係る連続予告（連続演出）について説明する。この連続予告は、真正のものと擬似のものとがあり、これらのうちの真正の連続予告は、特別図柄に係る複数回の変動表示に亘り、連続性のある予告演出を行うものを意味している。また、擬似の連続予告は、特別図柄に係る１回の変動表示について、複数回の特別図柄の変動があったような断続的な予告演出（疑似連続予告）を行うものを意味している。
【０２０７】
上述の「連続予告」としては、例えば、演出上のストーリーにおいて主人公となる登場人物が、特別図柄に係る１回の変動毎に、最終到達目的としている部屋を目指して、順次異なる部屋に移動するようなものなどを例示できる。また、その他の態様の「連続予告」としては、主人公となる登場人物が、特別図柄に係る１回の変動毎に、異なる敵と対戦して勝利し、最終目的となる敵を目指すようなものも例示できる。
【０２０８】
さらに、前述した真正の連続予告（以下では単に「連続予告」と称する場合がある）は、メイン基板１０２からサブメイン基板３０１に送信される事前通知情報に基づいて行うことが可能である。より具体的には、例えば、「保３」の保留が発生した場合に受信した事前通知情報に基づいて、サブメイン基板３０１が、その次以降の特別図柄に係る変動表示に対応した演出パターンとして、３回の変動表示に亘る連続予告を含んだ内容のものを選択する、といったことが可能である。
【０２０９】
そして、１回分の保留が消化され、上述の「保３」の保留が「保２」の位置にシフトされた際には、選択された連続予告に係る演出パターンのうち、最初の１回目の予告に係る演出パターンが実行される。さらに、保留が順次消化され、保留表示が、「保２」から「保１」に移動した際には、３回のうちの２回目の予告が実行され、「保１」から当該変動情報表示部１９５に移動した際には、最後となる３回目の予告が実行される。
【０２１０】
なお、サブメイン基板３０１において、上述の「保３」の保留が発生した時点で実行されている変動表示に係る変動パターンや、それ以前に発生している「保２」又は「保１」に係る保留記憶情報を確認することも可能である。すなわち、上述の「保３」の保留が発生した際に、既に記憶されている各種の情報の中に、大当り信頼度の高い所定のリーチ演出が実行されることを表す情報や、大当りが発生することを表す情報が存在すれば、「保３」の保留が発生した際に選択した連続予告に係る演出パターンをキャンセルする、といったことが可能である。その他、「保３」に対する保留の期待度に応じて、次変動から即座に連続予告を行うものではなく、１変動待って「保１」の変動及び先読み態様となるトリガ保留の消化時の２変動に跨る連続予告とするケースも考えられる。
【０２１１】
また、前述した擬似の連続予告（以下では「擬似連続予告」と称する場合がある）としては、特別図柄の１回の変動表示に係る演出パターンにおいて、リーチ表示が、複数回断続的に行われるようなものや、登場人物が複数回の行為を繰り返すようなもの、演出図柄１９０の仮停止と再変動を繰り返すものなどを例示できる。
【０２１２】
なお、以上説明したような連続予告の内容は、あくまでも例示であり、連続予告の内容としては、説明したもの以外にも種々のものを採用することが可能である。
＜＜普通図柄に係る演出図柄＞＞
【０２１３】
次に、前述の普通図柄に係る演出について説明する。本実施例では、普通図柄に係る演出表示は行われていない。しかし、普通図柄に係る演出を、演出表示装置６０における演出の一部として行うことが可能である。そして、このように普通図柄の演出表示を行う場合には、演出図柄としては、例えば、はずれと、当たりの種類とを識別できる程度の表示を行うことが考えられる。
【０２１４】
また、前述のように、演出表示装置６０を、複数の表示体の組合せにより構成した場合には、相対的に大型な表示体と、これに比べて小型な表示体（複数でもよい）を備えることが可能である。そして、大型な表示体を、例えば「メイン表示体」や「メイン液晶」などと称し、小型な表示体を、例えば「サブ表示体」や「サブ液晶」などと称することが可能である。さらに、上述のような相対的に小型な表示体を備えた場合には、普通図柄に係る演出図柄（１９９）を、例えば、小型な表示体に表示するようにしてもよい。また、前述のセンター飾り６４の所定の部位に、例えば、２つを１組としたＬＥＤ表示灯を設け、これを普通図柄に係る演出表示装置としてもよい。
【０２１５】
また、普通図柄に係る演出図柄を用いた演出を行う場合は、普通図柄に係る保留演出表示を、演出表示装置６０における演出の一部として行うことが可能である。また、前述のように、演出表示装置６０を、大型な表示体及び小型な表示体のような複数の表示体により構成した場合には、普通図柄に係る演出保留表示を、例えば、小型な表示体に表示するようにしてもよい。また、前述のセンター飾り６４の所定の部位に、例えば、２つを１組としたＬＥＤ表示灯を設け、これにより「１」から「４」の普通図柄に係る保留数の演出表示を行ってもよい。
＜＜限定頻度パターンに係る演出＞＞
【０２１６】
次に、限定頻度パターンに係る演出（以下では「限定頻度パターン演出」と称する）について説明する。限定頻度パターン演出は、前述の演出パターンの一部として備えられているものである。さらに、限定頻度演出パターン演出は、メイン基板のパターン決定手段にて特定の期間に決定される変動パターンに対応して、所定の遊技状態において出現し易くなるように設定された演出である。この限定頻度パターン演出の内容は、特定の傾向を示す演出内容となっており、限定頻度パターン演出の内容として、例えば、時短遊技中の特定の変動において、あらかじめ定められた変動パターンをメイン基板で決定し、演出として高信頼度のリーチを必ず発生させるようなものを例示できる。
【０２１７】
また、限定頻度パターン演出が出現し易い遊技状況としては、遊技開始時、所定の演出パターンが実行された直後（例えば、小当り、出球なし当りの直後）、所定の演出モード中（確変、時短遊技モード中）、特別遊技の終了直後などを例示することができる。また、これらに加えて、限定頻度パターン演出が出現し易い遊技状況としては、第１遊技（又は第２遊技）に係る保留数が所定数（例えば４個）に達している場合や、保留が存在しない場合なども例示できる。さらに、限定頻度パターン演出が実行される状況においては、その時の状況に応じて予め設けられている限定頻度テーブルを用い、この限定頻度テーブルに定められた限定頻度パターンから、実行すべき演出パターンが選択されるようになっている。
＜＜操作ボタンを用いた演出＞＞
【０２１８】
次に、前述の操作ボタン２２（図１参照）を利用する演出（以下「ボタン演出」と称する）について説明する。操作ボタン２２は、ボタン演出が実行された場合に、遊技者によって押下操作され、遊技者に対し、自分が遊技の演出や当否抽選に参加しているような感覚を与える機能を発揮するものである。ボタン演出としては、例えば演出図柄１９０（図７（ａ）、（ｂ）参照）の変動表示過程で、演出表示装置６０の表示領域１９４に、操作ボタン２２の図柄とともに、「Ｐｕｓｈ」、「連打せよ」、「長押しせよ」等といった文字や、或いは残り時間を示すインジケータの動画などの、操作を促すガイド表示を行うことを例示できる。
【０２１９】
さらに、ボタン演出としては、遊技者が、上述のガイド表示に従って操作ボタン２２を操作すると、登場人物がコメントを発するような演出や、味方キャラクタが敵キャラクタに対する攻撃を行うような演出を例示できる。また、操作ボタン２２を操作すると、前述の可動演出部材９３等が作動して、リーチとなることを報知するようなものも例示できる。さらに、リーチ演出中にボタン演出が行われることもあり、その場合には、操作ボタン２２を操作すると、前述の可動演出部材９３等が作動して大当りへの期待を煽るものなども例示できる。
【０２２０】
また、上述の操作ボタン２２に関して、通常時は操作ボタン２２の操作が無効となっているが、ボタン演出中は操作ボタン２２の操作が有効となるボタン操作有効期間となっている。ボタン操作有効期間は、予め設定された一定時間となっている。
【０２２１】
なお、操作ボタン２２に振動モータやソレノイド（図示略）を組み合わせて、操作ボタン２２を振動させる振動演出や、例えばモータ等の駆動源を用いて操作ボタン２２の動作範囲を拡大して、操作ボタン２２を突没させるといった演出態様を採用することも可能である。さらに、操作ボタン２２を突没させる場合は、突出量を比較的大きく（例えば５〜１０ｃｍ程度）設定することも可能である。
【０２２２】
また、操作ボタン２２としては、外形寸法が小型（例えば数センチ程度）のものに限らず、十数センチ程度の半球体の形態のものなどを採用してもよい。さらに、操作ボタン２２のような操作入力機器としては、その他にも種々の形態のものを採用可能であり、例えば、演出内容に関連した、自動車の操作ハンドル、航空機の操作レバー、登場人物の模型（フィギュア）にタッチセンサを付加したものなども採用が可能である。また、相対的に小型の操作ボタン２２と、操作レバー等の形態を有するものを併設し、演出内容などの状況に応じて使い分ける、といったことも可能である。
【０２２３】
本実施例では、操作ボタン２２として、突没機構や振動機構を備え、上球皿１８に対する突没動作や、上球皿１８での振動動作が可能なものが採用されている。本実施例においては、操作ボタン２２は、図２６（ａ）に示すようなレバー装置（レバー装置ユニット）８４の上部に備えられている。このレバー装置８４は、ベース体８５に駆動源となるモータ（ここではステッピングモータ）８６、可動機構部８７、レバー体８８を取り付けて構成されている。さらに、レバー体８８の上部には、操作ボタンの周囲を装飾する装飾部８９が設けられている。
【０２２４】
レバー装置８４は、図１中に示すように、遊技機枠１１の皿ユニット１６に内蔵されており、上述の装飾部８９や操作ボタン２２が、上球皿１８から露出している。さらに、図１や図２６（ａ）に示すように、レバー装置８４は、通常状態時には、装飾部８９が上球皿１８の外表面と連続する面を構成するよう、レバー体８８を収容している。
【０２２５】
しかし、所定の演出が実行される場合には、図２６（ｂ）に示すように、レバー体８８が突出し、装飾部８９と操作ボタン２２が、所定の角度と突出量で上昇する。この場合、図示は省略するが、装飾部８９と操作ボタン２２は、上球皿１８の外表面に対して飛び出した状態となる。ここで、レバー体８８と装飾部８９とを併せて「レバー」と称することが可能である。また、これらに操作ボタン２２を含めて「レバー」と称することも可能である。以下では、レバー体８８、装飾部８９、操作ボタン２２を併せて「レバー」と称すし、符号Ｌを付す。
【０２２６】
上述のレバーＬは、図２６（ｂ）に示すように突出した状態で、図２６（ｃ）に示すような前方への傾倒動作が可能である。そして、例えば、所定のリーチ演出中にレバーＬが、収納状態から突出状態に変化し、演出表示装置６０にレバーＬが倒れる様子を示した動画が表示され、遊技者がレバーＬを手前に倒すと、他の可動演出部材９３等が動作し、当否抽選の結果が大当りであることが報知される、といった一連の演出を行えるようになっている。
＜＜大当り発生時の演出＞＞
【０２２７】
次に、大当りが発生した場合の演出について説明する。大当りが発生した場合の演出には、特別遊技開始時の演出（大当り開始デモ）、特別遊技中の演出（ラウンド演出）、最終ラウンド終了時の演出（大当り終了デモ）、特別遊技の終了時の演出（大当り終了デモ）などがある。
【０２２８】
前述の演出図柄１９０が確定停止されると、ファンファーレなどの音に伴い、大当りが開始される旨の表示を行う。さらに、特別遊技中の打ち方指示として右打ち案内演出を実行し、遊技者に対し、発射ハンドル２０の回動量を増やして右打ちを行うよう案内する内容のものを例示できる。
【０２２９】
前述の特別遊技中の演出としては、遊技者が大当りを獲得しなければ見ることができない内容の動画を例示できる。また、この際には所定の楽曲が、前述のスピーカ２１（図１参照）から出力される。さらに、特別遊技中の動画としては、例えば、ぱちんこ遊技機１０の演出に採用された劇画における所定の登場人物が、ライバルとなる敵と戦う様子を描いたものや、僥倖を享受する様子を描いたものなどを例示できる。
【０２３０】
なお、特別遊技中のラウンドの切換わりを、例えば、表示領域１９４（図７（ａ）、（ｂ）参照）の隅部（例えば右上隅部）における「１Ｒ」、「２Ｒ」、・・・、「１５Ｒ」、「１６Ｒ」といった表示により報知することが可能である。さらに、特別遊技中の演出の一部として、例えば、特定遊技中に大当りが発生して、大当りが連続した場合における大当りの発生回数を表示することも可能である。
【０２３１】
また、本実施例では、全ての種類の大当りに確変や時短等の特典が伴っているが、これに限定されず、例えば、確変を伴わない大当りを設けることも可能である。そして、大当りの種類に、確変を伴わない大当りを含む場合には、特別遊技終了後に確変となるか否かの報知を、特別遊技中の特定のラウンド、或いは、特別遊技終了の際まで報知しないようにすることも可能である。
【０２３２】
変形例として、大入賞口内に確率変動機能作動領域を有するぱちんこ遊技機において、特別遊技中の所定のタイミングで、遊技球が確率変動機能作動領域で検出された場合には確変となる、といった制御態様や、それに応じた演出を採用することも可能である。
【０２３３】
この場合は、例えば、遊技球の検出領域を有する入球装置（ここでは「Ｖ入球装置」と称する）を、遊技領域５２（図１参照）における第２大入賞口９２の内部に追加して設ける。さらに、特別遊技の所定のタイミングで、Ｖ入球装置を、遊技球を受入れ可能な状態とし、この状態においてＶ入球装置で遊技球が検出された場合に、その後の確率状態が、確変状態となるように制御するとともに、確変となる特典を入手した旨を遊技者へ報知する。
【０２３４】
続いて、前述の特別遊技後の演出としては、特別遊技中の演出内容の結果に係るもの例示できる。より具体的には、登場人物同士の闘いの結果に応じて勝者が感情を表す内容などを例示できる。このような特別遊技後の演出は、エンディング演出と称することも可能である。
【０２３５】
さらに、特別遊技後の演出としては、大当りの連続回数を追加して表示するものや、そのときの特別遊技により遊技者が獲得した賞球数を表示するものなどを例示できる。また、特定遊技中に大当りが発生して、大当りが連続した場合における大当りの発生回数を追加して表示することも可能である。また、大当りの連続に関しては、大当りの発生回数が所定回数（例えば２０回）に達した場合に、それ以前には選択されることがない演出パターンを実行する、といったことも可能である。
＜各種の具体的演出例＞
＜＜複数の演出部材の重畳による演出＞＞
【０２３６】
次に、本実施例のぱちんこ遊技機１０において実施することが可能な各種の具体的な演出について例を挙げて説明する。先ず、演出表示装置６０の表示と、前述した導光板９０の表示、及び、可動演出部材（例えば符号９３など）の重畳による演出を行うことが可能である。この種の演出は、演出表示装置６０の前方に可動演出部材を位置させ、演出表示装置６０の表示内容と、可動演出部材の光装飾や動きなどとを組み合わせることによる複合的な演出となる。
【０２３７】
一例を挙げれば、可動演出部材の外側には演出表示装置６０の表示領域１９４の少なくとも一部が見えており、例えば、演出表示装置６０に炎が燃え盛る様子の映像を表示した場合には、炎の前方で可動演出部材が光装飾や動作を行う組合せの演出が実行されるようにする。さらに、導光板９０において、例えば、炎の模様が点滅するような演出や、或いは、波紋状の模様を点滅させるような演出を行うことにより、導光板９０と演出表示装置６０の遠近の差による視覚効果を発揮することができる。
【０２３８】
さらに、この状態において、導光板９０と演出表示装置６０との間で可動演出部材による演出を実行することにより、可動演出部材の様子や、演出表示装置６０の映像を、導光板９０の表示を部分的に障害としながら遊技者に視認させることができる。さらに、可動演出部材の前後の模様状の表示の変化の合成により、複雑な状況表示を可動演出部材に重畳でき、可動演出部材の置かれた環境を複雑な態様で表現することが可能となる。
【０２３９】
そして、これらのことにより、導光板９０、可動演出部材（例えば符号９３など）、演出表示装置６０といった限られた構成によって、より複雑な演出を行うことができ、演出を多様化することが可能となる。なお、導光板９０を、例えば透過液晶表示体などに変更した場合であっても、透過液晶表示体の一部を、背後の可動演出部材（例えば符号９３など）や、演出表示装置６０の表示内容の一部を視認できる程度の透過状態とすることで、導光板９０の場合と同様に重畳による演出を行うことが可能である。
＜＜演出の発展に係るタイマ表示＞＞
【０２４０】
また、演出表示装置６０での表示内容として、演出の発展に係るタイマ表示（タイマ演出）を行うことが可能である。より具体的には、例えば、演出図柄１９０の変動表示中（変動演出中）において、所定の場合に、タイマ表示領域が出現する。このタイマ表示領域の配置としては、演出表示装置６０の表示領域１９４における右下の部位などを例示できる。
【０２４１】
上述のタイマ表示領域には、例えば、「７０：００」等の表示が行われる。この「７０：００」等の表示は、７０秒後に演出の発展があることを示唆するものであり、表示開始後、１００分の１秒ごとのカウントダウン表示が継続される。そして、タイマ表示領域における表示が「００：００」となった場合に、変動演出が発展し、大当りの期待度が高まるよう、演出が進行する。
＜＜演出図柄を用いた演出＞＞
【０２４２】
また、演出図柄１９０を用いた演出としても種々のものを例示することができる。例えば、左演出図柄１９０ａと右演出図柄１９０ｃが仮停止中であり、中演出図柄１９０ｂが変動中の状況において、左演出図柄１９０ａと右演出図柄１９０ｃを他の態様に変化させることが可能である。このときの左演出図柄１９０ａと右演出図柄１９０ｃの変化後の態様としては、例えば、所定の括弧記号などを例示できる。そして、変動中の中演出図柄１９０ｂを「ＮＥＸＴ」「もう一回」「まだまだ！」等の単語に変化させ、単語の左右を所定の括弧で挟んだ文字画像を表示し、その後に演出を発展させる。
【０２４３】
このように演出図柄１９０を、それまでとは異なる性質の表示態様に変化させる演出は、発展前の演出と、発展後の演出との間を繋ぐための演出として利用することが可能である。また、上述の「ＮＥＸＴ」等の単語を括弧で挟んだ文字画像として、発展や大当りの期待度が相対的に低いものと高いものとを設けること（例えばＮＥＸＴの文字列の色を白と赤、金色などで異ならせること）も可能である。
【０２４４】
ここで、このように演出図柄１９０が他の性質の表示態様に変化する場合には、演出表示装置６０において、小サイズ化された演出図柄（図示略）を所定の部位（右上隅或いは左端など）に表示しておくことが可能である。この小サイズ化された演出図柄を表示することで、特別図柄の変動表示中であることの報知機能を維持しつつ、演出表示装置６０における演出表示の自由度を高めることが可能となる。なお、縮小されたサイズの演出図柄（１９０）と、縮小前の基本となるサイズの演出図柄１９０とを区別するため、例えば、縮小前の演出図柄を「第１演出図柄」などと称し、縮小後の演出図柄を「第２演出図柄」などと称することが可能である。
【０２４５】
また、演出図柄１９０を用いた演出の他の態様として、同時に複数のリーチの組合せが表示されるダブルリーチやトリプルリーチなどの演出を採用することも可能である。さらに、１回の変動演出中に、ダブルリーチからトリプルリーチに発展するような演出を採用することも可能である。
【０２４６】
また、演出図柄１９０を用いた演出の他の態様として、演出図柄１９０の変動表示を開始する際に、最後に停止する演出図柄（ここでは中演出図柄１９０ｂ）を用いて演出の示唆を行うことが可能である。より具体的には、中演出図柄１９０ｂにおける人物画の部分（前述の非記号要素演出図柄である要素図柄）が台詞を発するアニメーション動作を行い、音出力として、変動開始時予告用の所定の台詞を発する、といったようなものを例示できる。
【０２４７】
また、演出図柄１９０を用いた演出の他の態様として、遊技者が前述の操作ボタン２２を連打した際に、左中右の演出図柄１９０ａ〜１９０ｃの少なくともいずれかを、連打に応じた態様で表示するものを採用可能である。そして、「連打に応じた態様」としては、例えば、左中右の演出図柄１９０ａ〜１９０ｃの少なくともいずれかが、震える（振動する）といったものを例示できる。
【０２４８】
さらに、「連打に応じた態様」としては、操作ボタン２２の１回の操作の検出ごとに演出図柄を１回動作させるもの（操作と動作の同期を図ったもの）を例示できる。また、操作ボタン２２が連打されたことを検出した場合に、演出図柄が震える（振動する）内容のアニメーションを表示するものなどを例示できる。そして、操作ボタン２２が連打されたことの検出は、例えば、所定時間（例えば１秒）内に所定回数（例えば２回等の複数回）以上の操作が検出されたか否かの判定を行うこと等により実行することが可能である。
＜＜保留表示を利用した演出＞＞
【０２４９】
続いて、前述の保留表示を用いた演出としても種々のものを例示することができる。例えば、図７（ａ）、（ｂ）中に示す当該変動情報表示部１９５の当該変動情報表示１９８を一旦消去し、当該変動情報表示部１９５に、例えば、「色変化？」のように期待度が高まることを示唆するような文字の情報（文字の状態遷移示唆情報）を表示する。そして、このような状態遷移示唆情報の表示の後、当該変動情報表示部１９５における当該変動情報表示１９８が、例えば赤色や虹色などといった高期待度を意味するものに変化する場合があるようにする。
【０２５０】
また、上述の「色変化？」のような表示を、ルーレットの目の１つや、回転ドラム（リール）の１つの図柄として表示することも可能である。例えば、「変化なし」、「色変化？」、「赤」、「虹」のような情報表示をルーレットの目や、回転ドラムの図柄として採用し、当該変動情報表示部１９５において、ルーレットや回転ドラムのオブジェクトの表示を行う。そして、当該変動情報表示部１９５において、「変化なし」、「色変化？」、「赤」、「虹」の表示が順次変化し、停止した情報に対応した態様で、その後の当該変動情報表示１９８が行われるようにすることが考えられる。なお、当該変動情報表示１９８を消去せずに、ルーレットや回転ドラムのオブジェクトの表示を行うことも可能である。
【０２５１】
また、保留表示を用いた演出の他の態様として、図７（ａ）、（ｂ）中の保留数表示部１９７において保留変化が行われる場合に、保留変化したことや、保留変化が直後に発生することを、例えば、「保留変化」、「赤保留」、「虹保留」などといった保留変化情報を表示することで、積極的に報知することが考えられる。ここで、このような保留変化情報の表示を、演出表示装置６０における表示領域１９４の中央で行ってもよく、或いは、保留数表示部１９７において、保留変化する保留表示の近傍で行ってもよい。
【０２５２】
さらに、保留変化の直前に限らず、例えば保留変化が行われる前の１回又は複数回の変動前から、保留変化が行われるか否かを示唆する先読み演出を行うことも可能である。そして、保留変化が行われるか否かを示唆する先読み演出としては、保留表示の画像に他の画像（前述した「保留変化」、「赤保留」、「虹保留」等や所定のキャラクタ画像など）を組み合わせることが考えられる。
＜＜その他の演出＞＞
【０２５３】
また、その他の演出として、操作ボタン２２として、押下操作以外の操作が可能なものを採用することが可能である。そして、押下操作以外の操作としては、タッチパネルによるタッチ操作や、遊技者が掴んで回す捻り操作を例示することができる。また、これらの各種の操作態様のうちの複数を行うことが可能な操作ボタン装置を採用することが可能である。そして、複数の態様の操作を行うことが可能な操作ボタン装置を採用した場合には、前述したようなボタン操作に係るガイド表示として、遊技者が実行するべき操作態様を案内することが考えられる。
【０２５４】
また、その他の演出として、変動演出中に、例えば二次元コードの表示を行うことが可能である。そして、この場合には、変動演出中に遊技者がスマートフォンなどの携帯端末を取り出し、携帯端末のカメラ機能を利用して二次元コードを読み取り、所定の外部サーバにアクセスし、遊技や機種などに係る各種の情報を取得できるようにすることが考えられる。
＜メイン基板からサブメイン基板へ送信される各種コマンド＞
【０２５５】
次に、メイン基板１０２からサブメイン基板３０１へ送信される各種コマンドについて説明する。コマンドの送信タイミングの例としては、初期画面表示中、客待ちデモ（待機デモ）中、特別図柄の図柄変動開始時、特別図柄の図柄確定時、特別図柄の図柄確定中、大当り開始デモ時、大当り中大入賞口開放時、大当り中大入賞口閉鎖時、当り終了デモ時、大当り終了デモ終了時などがある。このうち初期画面表示中は、ぱちんこ遊技機１０の電源投入後、客待ちデモが開始されて定常状態に入るまでの期間である。また、始動入賞時、電断復帰時、及び、エラー検出時は、何れの場合であってもコマンド送信が行われる。さらに、ＲＷＭクリア時にもコマンド送信が実行される。
【０２５６】
これらのうち、ＲＷＭクリア時のコマンドは、演出制御（サブメインＣＰＵ）初期化のためのコマンドであり、客待ちデモコマンドは、演出表示装置６０や遊技効果ランプを客待ちデモ用に設定し、音声を消去するためのものである。
【０２５７】
特別図柄の図柄変動開始時のコマンドとしては、図柄１記憶数、図柄２記憶数、通信検査１、通信検査２、演出回数Ａ〜Ｚ、演出選択状態０〜２、変動付加情報、図柄１（図柄２）演出パターン、図柄１（図柄２）キャラクタ演出のコマンドがある。図柄１記憶数および図柄２記憶数のコマンドは、第１特別図柄の保留球数および第２特別図柄の保留記憶数を示すものであり、１つのコマンドとして送信される。通信検査１コマンド及び通信検査２コマンドは、正常な通信がなされているか否かの確認のためのものである。演出回数Ａ〜Ｚの各種コマンドは、前述の特定遊技状態における遊技回数（残り遊技回数でも可）や限定頻度テーブルにしたがった演出に係る回数を示すものであり、演出選択状態０〜２の各種コマンドは、特定遊技状態や限定頻度遊技において選択される変動パターンにしたがった演出を選択させるために変動パターンの決定に際して変動パターンテーブルの選択の基準となるデータの種類を示すものである。変動付加情報コマンドは、決定した変動パターンに所定の演出時間を追加して変動させる際、どのような演出パターンが追加されるかを示すものであり、大当り期待度の示唆等を行う要素（演出構成要素）を付加するための情報を示すものである。図柄１演出パターンコマンドは、第１特別図柄の変動パターンに対応したコマンドを送信するためのものであり、図柄２演出パターンコマンドは、第２特別図柄の変動パターンに対応したコマンドを送信するためのものである。図柄１キャラクタ演出コマンドは、第１特別図柄の図柄に対応したコマンドを送信するためのものであり、図柄２キャラクタ演出コマンドは、第２特別図柄の図柄に対応したコマンドを送信するためのものである。
【０２５８】
特別図柄の図柄確定時のコマンドとしては、図柄１演出パターン停止、図柄２演出パターン停止のコマンドがある。図柄１演出パターン停止コマンド、及び、図柄２演出パターン停止コマンドは、それぞれ、第１特別図柄や第２特別図柄に基づく演出図柄１９０を停止させるためのものである。
【０２５９】
特別図柄の図柄確定中のコマンドとしては、変動時間短縮回数０（低確率、非入球容易状態時）、変動時間短縮回数Ａ〜Ｚ（低確率、入球容易状態時）、変動時間短縮回数０（高確率、非入球容易状態時）、変動時間短縮回数Ａ〜Ｚ（高確率、入球容易状態時）、発射位置指定のコマンドがある。これらは、その時の遊技状態に関するコマンドを送信するためのものであり、演出モード表示や時短回数表示などに使用される。本実施例では、すべての大当りの後に１００回の確率変動機能および入球容易状態を発生させる仕様であるため、確率変動機能の作動有無によって送信するコマンドを異ならせていないが、高確率遊技状態では、確変回数を送信し、低確率遊技状態では変動時間短縮回数を送信するようにしてもよい。
【０２６０】
大当り開始デモ時のコマンドとしては、図柄１大当り開始デモ、図柄２大当り開始デモ、発射位置指定のコマンドがある。図柄１大当り開始デモコマンド、及び、図柄２大当り開始デモコマンドは、第１特別図柄や第２特別図柄の大当り図柄に基づいた開始デモを表示させるためのものである。発射位置指定コマンドは、所謂左打ちや右打ちにより、遊技者に、センター飾り６４の左右の何れか流路の間で遊技球の打ち分けを行わせる場合に発射位置を報知するためのものである。
【０２６１】
大当り中大入賞口開放時のコマンドとしては、図柄１大当り中デモ１〜１６、図柄２大当り中デモ１〜１６、発射位置指定のコマンドがある。これらは、第１特別図柄や第２特別図柄の大当り図柄及びラウンド数に基づいた演出を表示させるためのものである。
【０２６２】
大当り中大入賞口閉鎖時のコマンドとしては、大入賞口閉鎖演出コマンドがある。これは、大入賞口閉鎖演出を表示させるためのものである。
【０２６３】
大当り終了デモ時のコマンドとしては、図柄１当り終了デモ、図柄２当り終了デモのコマンドがある。これらは、第１特別図柄や第２特別図柄の当り図柄に基づいた当り終了デモ演出を表示させるためのものである。
【０２６４】
始動入賞時のコマンドとしては、当り予告（当り予告演出）、図柄予告（当り図柄予告演出）、変動予告（パターン予告演出）、図柄１記憶数、図柄２記憶数のコマンドがある。当り予告、図柄予告、変動予告の各コマンドは、事前情報通知手段１５７による前述の先読み演出に係るコマンド（先読みコマンド）である。そして、当り予告コマンドは、当否乱数の乱数値範囲を送信するためものであり、抽選確率に応じた当否の情報などを含んでいる。図柄予告コマンドは、図柄乱数の乱数値範囲を送信するためのものであり、当りの種類に係る情報などを含んでいる。さらに、変動予告コマンドは、変動パターンの乱数範囲を送信するためのものであり、変動パターンのグループの種別（リーチなし、ノーマルリーチ、又は、スーパーリーチなど）の指定に利用可能である。図柄１記憶数、図柄２記憶数のコマンドは、第１特別図柄や第２特別図柄の保留記憶数を伝えるためのものである。そして、本実施例では、当否抽選の結果、先読み演出の有無や期間などの情報は、当り予告、図柄予告、変動予告の各コマンドによって、サブメイン基板３０１に伝えられるようになっている。
【０２６５】
電断復帰時のコマンドとしては、通信検査１、通信検査２、電断復帰用遊技状態Ａ〜Ｅ、演出回数Ａ〜Ｚ、演出選択状態０〜２、図柄１キャラクタ演出、図柄２キャラクタ演出、電断復帰当り状態、電断復帰時特別図柄１状態、電断復帰時特別図柄２状態、発射位置指定、エラーａ〜ｄ、図柄１記憶数、図柄２記憶数のコマンドがある。
【０２６６】
通信検査１、通信検査２のコマンドは、正常な通信がなされているか否かの確認のためのものである。電断復帰用遊技状態Ａ〜Ｅのコマンドは、電断時の遊技状態に応じて異なるコマンドを送信するためのものである。演出回数Ａ〜Ｚのコマンドは、前述の限定頻度テーブルにしたがった演出に係る回数を示すものであり、演出選択状態０〜２のコマンドは、限定頻度テーブルにしたがった演出の種類を示すものである。図柄１キャラクタ演出、図柄２キャラクタ演出コマンドは、第１特別図柄や第２特別図柄の図柄に対応したコマンドを送信するためのものである。
【０２６７】
電断復帰当り状態コマンドは、当り中か否かに応じて異なるコマンドを送信するためのものである。電断復帰時特別図柄１状態、電断復帰時特別図柄２状態のコマンドは、第１特別図柄や第２特別図柄の、待機中・変動中・当たり中などの状態に応じたコマンドを送信するためのものである。発射位置指定コマンドは、前述のように、状況に応じた適切な発射位置を指定するためのものである。エラーａ〜ｄは、エラーの有無及び種類を送信するためのものである。図柄１記憶数、図柄２記憶数のコマンドは、第１特別図柄や第２特別図柄の保留記憶数を伝えるためのものである。
＜メイン基板の主要な制御処理＞
【０２６８】
次に、上述の構成のぱちんこ遊技機１０のメイン基板１０２における主要な制御処理について、図１１〜図１４等に基づいて説明する。なお、説明に先立ち、以下で用いる「特別電動役物」、「条件装置」、「役物連続作動装置」の用語について説明する。これらは何れもぱちんこ遊技機１０の制御処理における概念上の機器を表しており、これらのうち「特別電動役物」は、第１大入賞口９１、第２大入賞口９２を作動させることとなるものである。また、「条件装置」は、特別図柄として特定の図柄組合せが停止表示された場合に作動するものであり、「役物連続作動装置」は、特別電動役物を連続して複数回作動させることができるものである。
【０２６９】
また、ここで説明するぱちんこ遊技機１０の主要な制御処理は、図１１及び図１２に示す制御開始処理、図１３に示す遊技進行割込み処理、及び、図１４に示す電源断処理であり、これらはメイン基板１０２において実行される。
＜制御開始処理＞
【０２７０】
図１１及び図１２に示す制御開始処理は、ぱちんこ遊技機１０の電源投入によりＣＰＵ５０１の製造コードを利用したセキュリティチェックが行われた後に開始される制御処理であり、この制御開始処理においては、後述する電源投入時に必要な設定（Ｓ１〜Ｓ４）を実行後、初期化スイッチ５４４の操作状態（Ｓ５）、電断時状況確認処理（Ｓ６〜Ｓ８）における電源断情報フラグ（電源断確認情報）の値、及びＲＷＭ領域の加算結果（チェックサムデータ）に対応して、電源断復帰時の処理（Ｓ９〜Ｓ１７）、ＲＷＭの初期化時の処理（Ｓ２４〜Ｓ２６）、遊技進行割込み用の計時設定の処理（Ｓ２７）、循環処理（Ｓ３２（Ｓ２８〜Ｓ３１））等を実行する。
＜＜電源投入時に必要な設定＞＞
【０２７１】
電源投入時に必要な設定として、スタックポインタの設定（Ｓ１）、割込みモードの設定（Ｓ２）、及びＲＷＭ５０３へのアクセス許可の設定（Ｓ３）が行われ、続いて内蔵レジスタの初期設定が行われる（Ｓ４）。
【０２７２】
これらのうちスタックポインタの設定（Ｓ１）の処理においては、スタック領域を確保するため、スタックポインタにスタックポインタの初期値としてセットし、スタックポインタが特定の番地にセットされる。次に、割込みモードの設定（Ｓ２）においては、所定番号のモードを設定し、ＲＷＭのアクセス許可設定（Ｓ３）においては、ＲＷＭへのアクセスを許可するため、所定のレジスタにアクセス許可データをセットする。これにより、マスカブル割込みが特定の割込みモードに設定され、ＣＰＵ内蔵ＲＷＭがアクセス許可にされる。さらに、内蔵レジスタの設定（Ｓ４）においては、内蔵レジスタ初期設定テーブルを用いて、遊技進行割込み使用設定値やクロック源選択値等といった対応する各種の設定値がセットされる。なお、メイン基板１０２における割込みについては後述する。
＜＜ＲＷＭクリアスイッチの操作状態の確認＞＞
【０２７３】
初期化スイッチ５４４の操作状態の確認の処理（Ｓ５）においては、入力ポートを介して入力される初期化スイッチ５４４の出力信号の状態が確認される。ＲＷＭクリアスイッチが押されたか（オンされたか）否かが判定され、押されていなければ（Ｓ５：ＮＯ）、後述する電断時状況判定処理（Ｓ６〜Ｓ８）中の電源断情報フラグの値の判定処理（Ｓ６）へ進む。一方、初期化スイッチ５４４が押されていれば（Ｓ５：ＹＥＳ）、ＲＷＭの初期化時の処理（Ｓ２４〜Ｓ２６）の処理が行われる。
【０２７４】
ここで、初期化スイッチ５４４は、対応する入力ポートのＲＷＭクリアスイッチビットが５回連続でオンと判定された場合に操作されたと判断される。また、初期化スイッチ５４４が押されたか否かの情報の判定はこのとき１回だけ行われ、以降は判定が行われない。
＜＜電断時状況確認処理＞＞
【０２７５】
初期化スイッチ５４４の操作がなかった場合の電断時状況確認処理（Ｓ６〜Ｓ８）においては、電源断情報フラグの値が読込まれ、読込まれた値が所定の電源断正常データに一致するか否かが判定される（Ｓ６）。電源断正常データは、電源がオフする電源断（電断）が生じた際に、電源断の処理が正常に行われた場合に保存されるものである。
【０２７６】
電源断情報フラグの値が電源断正常データに一致した場合（Ｓ６：ＹＥＳ）には、チェックサムデータが算出される（Ｓ７）。このチェックサムデータの算出の処理においては、図示は省略するが、チェックサムデータとして初期値がセットされ、チェックサムデータに対して所定の演算が行われた後、演算後のチェックサムデータが０と異なるか否かの判定が実行される。
【０２７７】
チェックサムデータが０でなかった場合（Ｓ８：ＮＯ）、即ち再開準備処理実行条件が成立していない場合には、相対アドレスの基準値の上位にＲＷＭ先頭上位がセットされ、この場合にもＲＷＭの初期化時の処理（Ｓ２４以降）へ移行する。一方、チェックサムデータが０であった場合（Ｓ８：ＹＥＳ）には、後述する電源断復帰時の処理（Ｓ９〜Ｓ１７）へ移行する。
＜＜電源断復帰時の処理＞＞
【０２７８】
電源断復帰時の処理においては、スタックポインタにスタックポインタバッファの値がセットされ、スタックポインタが電源断時に保存した値に戻される（Ｓ９）。さらに、メイン基板１０２とサブ基板１０４との通信線の検査を行うため、演出制御コマンドをサブ基板１０４へ送信する要求がされ（Ｓ１０、Ｓ１１）、装飾ランプ（遊技効果ランプ）及び効果音（音響演出）の演出を電源断発生前の状態に戻すまたはリセット処理させるための演出制御コマンドをサブ基板１０４へ送信する要求がされる（Ｓ１０、Ｓ１１）。また、特別図柄表示装置の作動保留球数に対応したコマンドの要求を行うため、図柄記憶数コマンド要求処理が実行される（Ｓ１２）。
【０２７９】
さらに、ソレノイドが電源断発生前の出力状態に戻される（Ｓ１３）。具体的には、第２始動入賞口６３、第１大入賞口９１、第２大入賞口９２の開放／閉鎖状態を電源断前の状態に復帰させる。
【０２８０】
この後、以降の特別図柄の設定の処理（Ｓ１４）へ進み、特別図柄表示装置（７０、７１）の確率変動機能の作動状態の情報が設定される。次に、電源復帰の設定（Ｓ１５）、及びデータ格納処理（Ｓ１６）、払出制御基板との通信線異常の検出設定（Ｓ１７）が実行される。
【０２８１】
続いて、遊技進行割込み処理の起動の処理において、遊技進行割込みを起動させるため、ＰＴＣ０カウンタ設定レジスタのアドレスがセットされ、所定の大きさ（ここでは約４ｍｓに相当）のカウント値がＰＴＣ０カウンタ設定レジスタにセットされる（Ｓ１８）。これにより、遊技進行割込みが４ｍｓ毎に発生することとなる。
【０２８２】
そして、フラグレジスタを除く各種レジスタの復帰の処理が実行され（Ｓ１９）、電源断が発生したときの状態が割込み許可であったのか否かの判定の処理（Ｓ２０）が実行される。そして、電源断時が割込み禁止の状態であった場合には（Ｓ２０：ＮＯ）、フラグレジスタを復帰させ（Ｓ２１）、スタックポインタにセットされている再開指標情報に基づき、制御処理を電源断の発生前の戻すべき番地の処理に戻す。一方、電源断時が割込み許可の状態であった場合には（Ｓ２０：ＹＥＳ）、フラグレジスタを復帰させた後（Ｓ２２）、割込み許可の設定（Ｓ２３）を行ってから、スタックポインタにセットされている再開指標情報に基づき、制御処理を電源断の発生前の戻すべき処理に戻す。
【０２８３】
ここで、フラグレジスタの復帰を他のレジスタとは別に行うのは、フラグレジスタには確変等の遊技状態の情報が記憶されており、これらの情報の復帰を可能な限り、制御処理を電源断の発生前に戻す直前で行うためである。
＜＜ＲＷＭの初期化時の処理＞＞
【０２８４】
ＲＷＭの初期化時の処理（Ｓ２４〜Ｓ２８）においては、ＲＷＭ領域をクリアした後（Ｓ２４）、ＲＷＭの初期設定（Ｓ２５）、演出表示器（演出表示装置６０）の初期化（Ｓ２６）、及び遊技進行割込み用の計時設定（Ｓ２７）を行う。このうちＲＷＭ領域のクリア（Ｓ２４）からＲＷＭの初期設定（Ｓ２５）の処理においては、ＲＷＭ全領域にクリアデータ（００Ｈ）がセットされ、クリアデータが相対アドレスの基準値としてストアされ、この基準値が＋１される。さらに、この基準値のビット７が検査され、検査結果の判定が実行される。検査結果の判定の処理において、検査結果が０であれば、前述のクリアデータを上記基準値にストアする処理に戻り、初期化データ設定テーブルのアドレスがセットされる。これにより、ＲＷＭの初期値が設定される。なお、ＲＷＭ領域のクリアは、全領域に対して行うものに限定されず、例えば特定の情報が記憶された一部の領域のみや、未使用の領域を除いた領域のみをクリアするようにしてもよい。
【０２８５】
なお、上述のクリアデータの値である「００Ｈ」のように、数値の末尾に記載した「Ｈ」は、その数値が１６進数表記されていることを表している。また、本実施例では、１６進数を表す数値には「Ｈ」の記号を付し、２進数を表す数値には「Ｂ」の記号を付し、これらのような表記法を示す記号が付されていない数値は１０進数で表記されたものとする。
【０２８６】
演出表示器の初期化（Ｓ２６）においては、演出表示装置６０の初期化（リセットとは異なり、遊技進行前の初期状態へ移行させるもの）、エラー状態及び不正賞球監視情報のコマンド送信要求を行うため、演出初期コマンド設定テーブルのアドレスを引数としてコマンド要求データ設定処理を実行する。
＜＜遊技進行割込み用の計時設定の処理＞＞
【０２８７】
遊技進行割込み用の計時設定の処理（Ｓ２７）においては、遊技進行割込みを起動させるため、対応するカウンタ設定レジスタに所定の大きさのカウント値をセットし、遊技進行割込みを例えば４ｍｓ毎に発生させる。
＜＜循環処理＞＞
【０２８８】
遊技進行割込み用の計時設定（Ｓ２７）の後には、割込み処理時間監視手段である所定のタイマの再帰（リスタート）準備や、各種乱数の初期値の生成に用いられる乱数関係値の更新を行う循環処理（Ｓ３２（Ｓ２８〜Ｓ３１））が実行される。この循環処理（Ｓ３２（Ｓ２８〜Ｓ３１））においては、遊技機の管理を行うため、先ず、割込みを禁止する（Ｓ２８）。さらに、割込み処理時間監視手段を再帰させる準備のため、割込み処理時間監視手段クリアレジスタに第１再帰情報となる所定の値をセットする（Ｓ２９）。この第１再帰情報は、予め定められた例えば５５Ｈ等の値である。
【０２８９】
そして、初期値乱数更新処理を実行し（Ｓ３０）、普通図柄当り初期値乱数、特別図柄当り図柄初期値乱数、及び特別図柄当りソフト初期値乱数を更新する。この後、割込みを許可した後（Ｓ３１）、再度割込み禁止（Ｓ２８）の処理に戻り、それ以降の処理（Ｓ２８〜Ｓ３１）を順次繰り返して制御処理を循環させる。
【０２９０】
割込み許可（Ｓ２８）が実行される毎に前述の遊技進行割込みが可能となり、遊技進行割込み処理は、Ｓ２７で設定された周期情報に基づいて、所定の周期（ここでは４ｍｓ周期）毎に繰返される。
＜＜初期値乱数更新処理＞＞
【０２９１】
前述の初期値乱数更新処理（Ｓ３０）においては、普通図柄当り初期値乱数、特別図柄当り図柄初期値乱数、及び特別図柄当りソフト初期値乱数を更新するため、初期値乱数更新テーブルから乱数の更新回数取得し、更新回数分、初期値乱数の更新を行う。
＜遊技進行割込み処理＞
【０２９２】
次に、遊技進行割込み用の計時設定（Ｓ２７）の処理において設定された周期情報に基づき４ｍｓ周期で繰返される遊技進行割込み処理について説明する。図１３に示すように、遊技進行割込み処理においては、割込み動作条件の設定（Ｓ４１、Ｓ４２）、割込み処理時間監視手段の再帰（Ｓ４３）、遊技機の管理（Ｓ４５〜Ｓ７０）、割込みの許可（Ｓ７１）を順に行い、遊技進行割込みが発生する前の処理に復帰させる。
【０２９３】
具体的には、割込み動作条件の設定の処理（Ｓ４１、Ｓ４２）においては、割込みフラグをクリアするため、割込み動作条件設定値が、遊技進行割込み制御レジスタに格納され（Ｓ４１）、割込み動作条件設定値が、所定の入力端子に対応した制御レジスタにセットされる（Ｓ４２）。この後、第２再帰情報がセットされ（Ｓ４３）、更に第２再帰情報が割込み処理時間監視手段レジスタにセットされる（Ｓ４４）。
【０２９４】
遊技機の管理（Ｓ４５〜Ｓ７０）においては、遊技機の管理を行うため、以下の処理を順に実行する。
【０２９５】
先ず、特定の信号の入力を監視するため、入力処理（Ｓ４５）を実行する。ここで監視の対象となっているのは、遊技盤面に取り付けられている各種スイッチ、受け皿満タンスイッチ、開放信号、磁気検知信号、電波検知信号、ガラス未検出信号、及び断線短絡電源異常検知信号である。
【０２９６】
続いて、各種乱数更新処理（Ｓ４６）を実行し、普通図柄変動パターン乱数、及び変動パターン乱数を更新する。さらに、初期値更新型乱数更新処理（Ｓ４７）を実行し、普通図柄当り乱数、特別図柄当り図柄乱数、及び特別図柄当りソフト乱数を更新する。次に、初期値乱数更新処理（Ｓ４８）を実行し、普通図柄当り初期値乱数、特別図柄当り図柄初期値乱数、及び特別図柄当りソフト初期値乱数を更新する。また、２バイトタイマの更新を行うため、タイマ減算処理（Ｓ４９）を実行し、第２始動入賞口６３の有効期間を設定するため、第２始動口の有効期間設定処理（Ｓ５０）を実行する。
【０２９７】
さらに、入賞監視処理（Ｓ５１）が実行され、賞球を払出す回数の記憶、盤用外部情報の出力要求の作成、及びサブ基板１０４に送信するコマンドの送信要求が行われる。続いて、払出制御基板１０３を制御するため、賞球制御処理（Ｓ５２）を実行する。
【０２９８】
次に、遊技球が普通図柄作動ゲート（作動口６８ａ、６８ｂ）を通過したとき、普通図柄に係る乱数を記憶するため、普通図柄作動ゲート監視処理（Ｓ５３）を実行し、普通図柄表示装置又は普通図柄電動役物に係る処理を行うため、普通図柄制御処理（Ｓ５４）を実行する。さらに、普通図柄の変動開始の監視を行うため、普通図柄変動開始監視処理（Ｓ５５）を実行する。また、遊技球の第１始動入賞口６２及び第２始動入賞口６３の入賞の監視を行うため、始動口監視制御処理（Ｓ５６）を実行し、第１特別図柄表示部７０又は第２特別図柄表示部７１に係る処理を行うため、特別図柄制御処理（Ｓ５７）を実行する。続いて、特別電動役物に係る処理を行うため、特別電動役物制御処理（Ｓ５８）を実行し、第１大入賞口９１又は第２大入賞口９２の有効期間に係る処理を行うため、大入賞口有効期間設定処理（Ｓ５９）を実行し、第１特別図柄、及び、第２特別図柄の変動開始の監視を行うため、特別図柄変動開始監視制御処理（Ｓ６０）を実行する。
【０２９９】
次に、磁気の監視、断線・短絡・電源の監視、電波の監視、ガラス枠セット・遊技盤の枠の開閉状態の監視、及びペアガラスの監視を行うため、異常検知処理（Ｓ６１）を実行し、入球通過時間異常の検出を行うため、入球通過時間異常検出処理（Ｓ６２）を実行する。さらに、特別電動役物が連続して作動する回数、エラー状態、普通図柄表示装置の作動保留球数、及び特別図柄表示装置の作動保留球数の表示要求を行うため、遊技状態表示処理（Ｓ６３）を実行し、発射ハンドル２０のタッチ状態（操作量の状態を含む）の監視を行うため、ハンドル状態信号検査処理（Ｓ６４）を実行する。また、特別図柄の表示、普通図柄の表示、特別図柄表示装置（７０、７１）の作動保留球数の表示、普通図柄表示装置の作動保留球数の表示、遊技状態の表示、特別電動役物が連続して作動する回数の表示、及びエラーの表示を行うため、ＬＥＤ出力処理（Ｓ６５）を実行する。
【０３００】
続いて、遊技球の発射の禁止／許可の信号を出力するため、発射制御信号出力処理（Ｓ６６）を実行し、試験装置に出力する信号を作成し出力するため、試験信号出力処理（Ｓ６７）を実行する。さらに、普通電動役物ソレノイド、第１大入賞口開放ソレノイド、及び第２大入賞口開放ソレノイドの出力データの出力を行うため、ソレノイド出力処理（Ｓ６８）を実行し、演出制御コマンドを送信するため、演出制御コマンド送信処理（Ｓ６９）を実行し、外部端子（外部中継端子基板４６（図２参照）の各種外部出力端子）に信号を出力するため、外部情報出力処理（Ｓ７０）を実行する。
【０３０１】
この後、割込み許可（Ｓ７１）が実行され、制御処理がリターン（ＲＥＴ）に抜ける。そして、次回の遊技割込みが実行されるまでの残余時間を利用して、制御開始処理の前述の循環処理（Ｓ３２（Ｓ２８〜Ｓ３１））が実行される。
＜＜演出制御コマンド送信処理＞＞
【０３０２】
演出制御コマンド送信処理（Ｓ６９）においては、演出制御基板へ送信するコマンドの送信要求を検査し、送信要求があると判断した場合、要求するコマンドデータを取得し、使用したコマンドバッファのクリアを行い、取得したコマンドデータに対応したＭＯＤＥデータの取得、ＭＯＤＥデータの出力、ＭＯＤＥデータの保持、取得したコマンドデータに対応したＥＶＥＮＴデータの取得、ＥＶＥＮＴデータの出力を順次行う。コマンドデータの送出タイミングは、演出データストローブにより規定され、演出データストローブ信号のオン時間（ここでは２μｓ以上）の後の所定時間（ここでは４６μｓ以上）が演出データ保持時間となっている。
【０３０３】
本実施例では、メイン基板１０２からサブメイン基板３０１に出力される演出制御コマンドは、送信の前に、コマンド要求により、コマンドバッファに一旦格納される。コマンドバッファは、複数のバッファをリングバッファとして機能させたものであり、コマンド送信のための制御処理（ここでは演出制御コマンド送信処理（Ｓ６９））において、コマンドバッファに蓄積された順に、１回の遊技進行割込み処理で１コマンド（ＭＯＤＥデータとＥＶＥＮＴデータのセット）ずつ、コマンドバッファから取出されて送信される。なお、優先順位が高く設定されたコマンドから先に送信するような手法も採用可能である。また、各種の制御処理において、送信が必要となったコマンドが発生した場合に、随時コマンド送信を行うことも可能である。このような手法を採用した場合には、１回の遊技進行割込み処理中に、例えば演出制御コマンド送信処理（Ｓ６９）のような一つの制御処理モジュール内で集約的に演出コマンドの送信が行われるのではなく、コマンド送信の必要が生じる都度、各制御処理モジュール内で、逐次的にコマンド送信が行われることになる。このため、コマンド送信が次回以降の遊技進行割込み処理に持ち越されるといった事態が生じ難い。そして、例えば始動入賞時のコマンドや、特別図柄の変動開始時のコマンド送信に遅れを生じることがなく、迅速なコマンド処理が可能となる。
＜＜電源断処理＞＞
【０３０４】
次に、電源断が生じた場合に実行される電源断処理について説明する。図１４に示すように、電源断処理においては、全使用レジスタのデータをＲＷＭに退避し（Ｓ８１）、電源断前の割込み許可／禁止の状態を保存する（Ｓ８２）。さらに、ＲＷＭに電源投入正常の情報が保存されているか否かが判定され（Ｓ８３）、保存されていない場合には（Ｓ８３：ＮＯ）、電源断異常の情報をＲＷＭに保存し（Ｓ８４）、ＲＷＭアクセス禁止の処理（Ｓ８８）へ移る。一方、保存されている場合には（Ｓ８３：ＹＥＳ）、スタックポインタの値をスタックポインタバッファに保存し（Ｓ８５）、電源断正常の情報をＲＷＭに保存し（Ｓ８６）、ＲＷＭのチェックサムを算出し、チェックサムデータを保存する（Ｓ８７）。そして、ＲＷＭをアクセス禁止とし（Ｓ８８）、制御処理をループさせながらＣＰＵ５０１のリセットを待つ。
＜＜変動パターンの抽選に係る制御態様＞＞
【０３０５】
続いて、変動パターンの抽選に係る各種態様について説明する。ここで説明する変動パターンの決定の態様は、一のぱちんこ遊技機１０において、何れかが選択されて適用されてもよく、或いは、適宜併用されていてもよい。そして、複数の態様を併用する場合には、例えば、当否結果等の要素に基づき、態様の使い分けを行うことが可能である。
【０３０６】
本実施例では、変動パターンの決定には、前述のように、当否結果、保留球数、特別図柄（図柄群の場合もある）、及び、変動パターン選択状態が決定要素として用いられているが、これらの決定要素の組合せに対応した変動パターンが選択される。そして、変動パターンの決定に伴い、変動パターンと紐付けされ対になっている変動時間が決定される。変動パターンの決定に関し、決定された結果が、メイン基板１０２からサブメイン基板３０１へ送信される。
【０３０７】
また、変動パターン及び変動時間の決定に際して、付加的な変動時間の決定を行うことが可能である（変動付加情報の決定）。特別図柄の図柄変動開始時のコマンドとして変動付加情報のコマンドを設定することにより、遊技状態や当り図柄といった要素に関係づけて先に決定した変動時間中に、後発的に予告等の演出を付加することができる。そして、この様な態様で、総合的な変動時間を決定する場合には、以下のように、予め設けられる変動パターンの数を少なく抑えつつ、多様な変動パターンを作成することが可能である。変動付加情報（変動付加パターン）を用いることにより、相対的に少ない数の基本の変動パターンに対し、例えば乱数抽選した変動付加情報を繋げて、事後的に変動パターンを形成することが可能である。そして、このことにより、変動パターンの組合せにより新たな変動パターンを形成できるので、演出の種類数に対して予め設けておく変動パターンの数を過大とすることなく、多様な変動パターン（変動時間）を作成できる。なお、変動付加情報に係る乱数値も、先読み演出用のコマンドとして、始動入賞発生時に、メイン基板１０２からサブメイン基板３０１に送信することが可能である。変動付加情報を用いる例を更に挙げれば、演出図柄１９０の組合せとして、一旦非確変図柄である「６６６」が表示された後、「７７７」に昇格させるか否かの結果が表示されるまでの演出（再抽選演出）や、はずれ図柄「７８７」が表示された後、中図柄を「８」から「７」へ変更して「７７７」を表示させる演出（逆転演出、復活演出）を、変動付加情報を設定した場合に行う、といったことがある。
【０３０８】
また、本実施例では、変動パターンは、保留球数も要素として決定されており、保留球数が幾つであるかに応じて、参照される変動パターンテーブルが異なる場合を有する。変動パターンテーブルは、保留球数０〜４に対応して設けられている。保留数が多い場合は、リーチを形成しない変動時間が短いものを決定しやすく、より多くの新たな保留が生起可能なようになっており、対して保留数が少ない場合は、リーチ等を形成しやすく変動が停止してしまうことをなるべく防止できるようになっている。状態当否判定の結果が大当りである場合には、大当りまでの過程を演出的に盛り上げるため、保留数に関係なく変動時間を決定することも考えられる。
＜＜図柄の指定に係る制御態様＞＞
【０３０９】
本実施例では、図柄乱数の数値範囲が「０〜９９９」（２バイトデータ）に設定されている。図柄の抽選にあたり、図柄乱数を示す符号の上位バイトの値に基づき使用する図柄判定テーブルを決定し、その後、図柄乱数の下位バイトの値に基づき、決定した図柄判定テーブルから図柄を決定することなども可能である。そして、このようにすることにより、テーブルの判定は１バイトのデータを比較するもので構成することができ、メモリやプログラムの容量を削減できる。図柄の抽選結果である当り図柄（図柄群であってもよい）は、その図柄情報に対して大当り時のラウンド数や大当り後の時短回数等の遊技状態の振分けられるようにしてもよい。さらに、メイン基板１０２からサブメイン基板３０１へ当り図柄等を伝えるコマンド（例えば、本実施例では、図柄１演出パターン、図柄２演出パターンの各コマンド）に、遊技状態を伝える情報（遊技状態指定情報）を付加することも可能である。
＜サブ基板の主要な制御処理＞
【０３１０】
次に、前述のサブ基板１０４の主要な制御処理について説明する。ここでは、主要な制御処理として、例外処理である各種の割込み処理、及び、これらに関係する処理について、図１５〜１８に基づき説明する。
＜＜割込み要因と優先レベル＞＞
【０３１１】
先ず、本実施例においては、サブ基板１０４を構成するサブメイン基板３０１において、ＣＰＵ５２１が最優先する割込み要因（要因発生元）として、ＣＰＵ５２１に設けられたリセット端子への所定信号（リセット信号）の入力、及び、各種の異常の発生がある。これらのうち、リセット信号の入力があるのは電源立ち上げ時、外部リセットが行われる場合、ウォッチドッグタイマのタイムアウトがあった場合などであり、リセット信号の入力に伴い後述するサブメイン初期設定処理（図１５参照）が実行される。一方、各種異常の発生時の割込みは、ウォッチドッグタイマの機能（ウォッチドッグ機能）が有効に設定されているか否かに応じて実行されるものである。ウォッチドッグ機能におけるタイムアウトにより暴走検知がされると、後述するサブメイン初期設定処理（図１５参照）が実行される。
【０３１２】
サブメイン基板３０１におけるその他の割込み発生要因として、メイン基板１０２からのコマンド（メインコマンド）の受信がある。メイン基板１０２からのコマンドの受信中であることは、メイン基板１０２からの前述のストローブ信号（演出データストローブ信号）の立ち上がりを検出することにより判定される。このメインコマンド受信割込みが発生すると、後述するメインコマンド受信処理（図１７参照）が実行される。なお、メインコマンド受信処理において、問題なくコマンドを受信できた正常受信の場合は、受信したコマンドの内容がコマンドバッファ（コマンドリングバッファ）に保存され、コマンド解析処理は、後述するメイン処理（図１６参照）内のメインループ処理（Ｓ１２４〜Ｓ１３４の循環処理）にて行われる。そして、メインコマンド受信割込みの優先レベルは、上述の最優先の次に高いレベル７に設定されている。
【０３１３】
また、他の割込み発生要因として、サブサブ基板３０２との送受信がある。このサブサブ基板３０２との送受信に係る割込み（サブサブコマンド受信割込み）は、サブサブ基板３０２からの受信コマンド（サブサブコマンド）が入力された場合に発生する。サブサブ基板３０２からの受信コマンドは、サブサブ基板３０２が、サブメイン基板３０１からコマンド（サブメインコマンド）を受信した場合に、正常にコマンド受信した旨をサブメイン基板３０１伝えるものである。そして、サブサブ基板３０２との送受信に係る割込みが発生すると、コマンド送受信管理処理が実行される。なお、サブメイン基板３０１からサブサブ基板３０２へのコマンド送信は、後述するように、サブサブ基板３０２からの監視用トグル信号が正常に送られてきた場合に行われるものである。このサブサブ基板３０２との送受信に係る割込みの優先順位は、レベル２となっている。
【０３１４】
また、他の割込み発生要因として、サブサブ基板３０２との通信がある。サブサブ基板３０２との通信に係る割込み（サブサブ通信割込み）は、後述するように所定周期（本実施例では５００μｓ）毎に発生する。そして、サブサブ基板３０２との通信に係る割込みが発生すると、サブサブ基板との通信処理が実行される。このサブサブ基板３０２との通信に係る割込みの優先順位は、上述のサブサブ基板３０２との送受信に係る割込みと同じレベル２である。
【０３１５】
さらに、他の割込み発生要因としては、ＲＴＣクロック（リアルタイムクロック）との通信、タイマ割込み（サブメインタイマ割込み）の発生、各種ランプ類の割込み要求、などがあり、これらの優先順位は最も低いレベル１に設定されている。これらのうち、ＲＴＣクロックとの通信に係る割込みの際には、ＲＴＣクロックとの通信処理が実行される。また、上述のタイマ割込みは、ソレノイド出力処理、モータ出力処理、遊技用タイマ管理処理等、遊技演出全般で利用するためのものである。タイマ割込みの起動は、初期化時の設定（初期設定）で直ちに行われ、タイマ割込みは所定の周期（本実施例では約１ｍｓ）毎に繰り返される。そして、タイマ割込みが発生した場合には、後述するタイマ割込み処理（図１８参照）が実行される。
＜＜サブメイン初期設定処理＞＞
【０３１６】
ぱちんこ遊技機１０の電源投入がされた場合のように、サブメイン基板３０１の電源がオンされると、図１５に示すサブメイン初期設定処理が実行される。このサブメイン初期設定処理においては、先ず、所定のアドレスがスタックポインタとしてセットされ（Ｓ１０１）、続いて各種の初期設定が完了するまですべての割込みが禁止される（Ｓ１０２）。さらに、ハードウェア初期設定処理（Ｓ１０３）において、ハードウェアに関する基本的な設定（レジスタ設定やポート初期化など）が行われ、ＲＷＭ初期化処理（Ｓ１０４）において、所定の条件に応じてＲＷＭ初期化が行われる。そして、このＲＷＭ初期化においては、初期値付き変数には初期値が準備され、初期値なし変数については０クリアがされる。また、ＲＷＭ初期化処理（Ｓ１０４）においては、ＲＷＭへのＲＯＭデータ（制御プログラム等）の展開なども行われる。
【０３１７】
さらに、Ｓ１０５において、メインコマンドの受信以外の割込み禁止がされ、続いて、各種エラー情報の設定を行う電断復帰エラー検出処理（Ｓ１０６）が実行される。この電断復帰エラー検出処理（Ｓ１０６）においては、ゲーム性等の事情に応じた処理が行われる。つまり、サブメイン基板３０１においては、振動エラーや電波エラー等を含めた各種のエラーに対処する機能が備えられている。しかし、これらの各種エラーに対処する機能は予め選択されており、有効とされているエラーに対してのみ、エラー検出の機能が発揮されるようになっている。例えば、所謂１種と２種のゲーム性を組合せた１種２種タイプや、所謂球確スペックなどのように、遊技球が特定の領域を通過することで所定の当りが発生するか否かが決まるような機種では、振動エラーの検出機能が有効とされる。しかし、本実施例に係るぱちんこ遊技機のように、当否抽選が乱数抽選のみにより行われるタイプの機種では、振動エラー検出機能を有していても、その機能は予め選択的に無効とされており、振動エラー等についての特別な対処は行われない。
【０３１８】
続いて、全ランプ消灯処理（Ｓ１０７）において、全ランプ消灯を行うために消灯リクエストが行われ、ウォッチドッグタイマ動作開始処理（Ｓ１０８）において、ウォッチドッグタイマをウォッチドッグタイマとして使用する設定に基づき、ウォッチドッグタイマが起動される。なお、図１５においては、Ｓ１０１からＳ１０８までの処理にメイン処理（Ｓ１０９）を繋げて記載しているが、Ｓ１０１からＳ１０８までの処理がサブメイン初期設定処理となっており、メイン処理（Ｓ１０９）は、このサブメイン初期設定処理（Ｓ１０１〜Ｓ１０８）の後に続いて行われるものとなっている。さらに、メイン処理（Ｓ１０９）において、遊技の主たる処理の管理などが行われるが、このメイン処理（Ｓ１０９）の詳細については後述する。
【０３１９】
メイン処理（Ｓ１０９）の後には、スリープ処理（Ｓ１１０）が配置されている。通常であれば、メイン処理（Ｓ１０９）からサブメイン初期設定処理を行うリセット動作に復帰することはないため、このスリープ処理（Ｓ１１０）は実行されないが、図中に破線の矢印で示すように、何らかの原因によってこのスリープ処理（Ｓ１１０）が実行されることになった場合には、小消費電力モードへの移行が行われる。
＜＜サブメイン基板におけるメイン処理＞＞
【０３２０】
前述のメイン処理（Ｓ１０９）においては、図１６に示すように、ＲＷＭ配置アドレス取得処理（Ｓ１２１）が実行され、このＲＷＭ配置アドレス取得処理（Ｓ１２１）においては、ＲＷＭに展開されたプログラム領域をチェックできるように、展開されたプログラム領域の先頭アドレスの取得が行われる。
【０３２１】
次に、以降の処理での割込みを可能とするため、すべての割り込みが許可される（Ｓ１２２）。さらに、デバイス初期化処理（Ｓ１２３）において、モータ、ソレノイド、ランプ類等の各種デバイスの初期化動作や、初期化動作の実行フラグの記憶領域への格納が行われる。続くウォッチドッグクリア処理（Ｓ１２４）において、ウォッチドッグタイマを使用する設定が行われていれば、ウォッチドッグタイマがクリアされる。さらに、図柄更新処理（Ｓ１２５）において、演出図柄１９０ａ〜１９０ｃに係るはずれ図柄がカウンタにより決定される。
【０３２２】
ここで用いられるカウンタとしては、「１１１」から「９９９」の３桁のカウンタを例示でき、例えば、取得されたカウンタ値が「７５７」であった場合には、停止表示される演出図柄１９０ａ〜１９０が「７５７」となるようにすることが可能である。メインから送信された遊技情報（当否情報や変動パターン情報）や、先読み演出実行中等の状況によっては、取得されたカウンタ値が「１１１」のようなぞろ目や「３４３」のリーチ形成態様、先読み予告で使用される装飾図柄（同色など系統の同じ図柄の組み合わせで構成されるチャンス目など）の組合せであった場合には所定の桁の数値をオフセットして、適当なはずれの組合せとすることが可能である。
【０３２３】
この図柄更新処理（Ｓ１２５）は、採用されたはずれ図柄の決定方式によっては実行されない場合がある。例えば、遊技状態や演出状態に応じた図柄組合せを組み込んだ抽選シート（抽選テーブル）のデータを持ち、該抽選シートを適宜選択および使用してはずれ図柄を決定するような制御態様を例示できる。この後、入力ポートデータチェック処理（Ｓ１２６）において、サブメインＣＰＵ５２１における入力ポートのデータチェックが行われる。
【０３２４】
続くエラー演出管理処理（Ｓ１２７）においては、エラー状態の監視が行われ、監視結果に応じて各種エラー報知が実行される。さらに、プッシュボタン監視制御処理（Ｓ１２８）は、演出用サブボタン（プッシュボタン）である前述の操作ボタン２２に係る制御のためのものであり、操作ボタン２２の入力状態（操作状態）に応じた処理を実行する。
【０３２５】
次に、予告抽選管理処理（Ｓ１２９）においては、予告演出を決定するための抽選が実行されるが、この予告演出の抽選は、メイン処理（Ｓ１０９）における後述のループ処理の数回に分けて行われる場合を有する。すなわち、１回の変動中に複数回の予告演出が実行されるような場合、例えば、変動開始直後のように相対的に早いタイミングで出現する予告演出については、抽選時期の優先順位が高く設定されており、優先順位に従ったタイミングで抽選を行うことにより、極力早く画像制御側であるサブサブ基板３０２にコマンド送信できるようになっている。なお、予告抽選管理処理（Ｓ１２９）において行われる各種の処理については後述する。
【０３２６】
次に、デバイス管理処理（Ｓ１３０）においては、リアルタイムクロック（ＲＴＣ）、モータ、ソレノイド、スピーカ、ランプ類等のデバイス動作要求や、デバイスの動作切り替えタイミングとなった場合に、該当するデバイスを動作させるための処理が実行される。より具体的には、デバイス管理処理（Ｓ１３０）では、図２１に示すように、モータ位置チェック処理（Ｓ１７１）、ＲＴＣプロセス管理処理（Ｓ１７２）、ＲＴＣ送受信制御タスク管理処理（Ｓ１７３）、ＲＴＣ汎用管理処理（Ｓ１７４）、ランプ制御処理（Ｓ１７５）、モータリクエスト管理処理（Ｓ１７６）、ソレノイド制御処理（Ｓ１７７）、モータ初期化管理処理（Ｓ１７８）が順に実行される。
【０３２７】
これらのうち、モータ位置チェック処理（Ｓ１７１）では、可動演出部材（９３、９４等）の駆動に利用される各モータについて、回転位置の確認を行えるようになっている。そして、モータ位置チェック処理（Ｓ１７１）では、可動演出部材（９３、９４等）の、動作の起点となる初期位置を確認することが可能であり、モータ位置チェック処理（Ｓ１７１）は、例えば「可動演出部材位置チェック処理」や「可動演出部材位置検出処理」などと称することも可能なものである。さらに、初期位置の確認に係る詳細については後述する。
【０３２８】
続いて、前述のＲＴＣプロセス管理処理（Ｓ１７２）では、ＲＴＣを用いた各種の処理が管理され、ＲＴＣ送受信制御タスク管理処理（Ｓ１７３）では、ＲＴＣに係るデータの送受信のための管理が行われる。また、ＲＴＣ汎用管理処理（Ｓ１７４）では、ＲＴＣに係る汎用な処理の管理が行われる。さらに、前述のランプ制御処理（Ｓ１７５）では、サブメインＣＰＵ５２１により管理されるＬＥＤについての処理が実行される。
【０３２９】
続いて、モータリクエスト管理処理（Ｓ１７６）では、可動演出部材（９３、９４等）の駆動に利用される各モータを動作させるための処理が行われる。このモータリクエスト管理処理（Ｓ１７６）は、例えば「可動演出部材リクエスト管理処理」などとも称することが可能なものである。また、ソレノイド制御処理（Ｓ１７７）では、演出に用いられるソレノイドを動作させるための処理が行われ、モータ初期化管理処理（Ｓ１７８）では、前述のモータ位置チェック処理での確認結果に基づいたモータ初期化の管理が行われるようになっている。上述のモータ初期化管理処理（Ｓ１７８）は、例えば「可動演出部材初期化管理処理」などとも称することが可能なものである。
【０３３０】
このようなデバイス管理処理（図１６のＳ１３０）の後、ＣＰＵ５２１の処理は演出管理タイマ制御処理（図１６のＳ１３１）に移行する。この演出管理タイマ制御処理（Ｓ１３１）では、演出に係る時間の管理が行われる。
【０３３１】
さらに、コマンド解析処理（Ｓ１３２）においては、図示は省略するが、コマンド受信判定の処理や、フィードバックコマンド受信判定の処理が行われる。そして、このコマンド解析処理（Ｓ１３２）では、メイン基板１０２から受信したコマンド（メインコマンド）に応じるための処理を開始する必要や、前述のコマンドバッファにコマンドデータが存在する場合に、コマンドの解析を行う。そして、コマンドの解析が行われた場合（Ｓ１３３：ＹＥＳ）には、処理がウォッチドッグクリア処理（Ｓ１２４）に戻り、メインループが実行される。
【０３３２】
ここで、本実施例では、上述のコマンド解析処理（Ｓ１３２）において、サブメインＣＰＵ５２１に係るサブ１制御チェックサム算出処理（図示略）が行われるが、このサブ１制御チェックサム算出処理（図示略）は、後述する乱数更新処理後（Ｓ１３４）で行うことも可能である。また、サブ１制御チェックサム算出処理（図示略）を、独立した制御モジュールとして備え、例えば、後述する乱数更新処理（Ｓ１３４）の直前などに配置してもよい。
【０３３３】
メイン基板１０２からのコマンド受信の直後はコマンドバッファにコマンドデータがあるため、メインループを実行し、ウォッチドッグクリア処理（Ｓ１２４）以降の処理に戻る。しかし、メインループが繰返されて、後述する次回のタイマ割込みが実行されるまでの間に、コマンドバッファが空になると、コマンド解析を行う必要がなくなり、コマンド解析を行わないことになる。このような場合には、メインループに進まず（Ｓ１３３：ＮＯ）、生じた時間を利用して、コマンド解析に比べれば優先順位が低い乱数更新処理（Ｓ１３４）が実行される。この乱数更新処理（Ｓ１３４）は、ソフト乱数更新処理である。また、このコマンド解析処理（Ｓ１３２）においては、サブメイン基板３０１における変動パターン（サブ変動パターン）の決定を行う。また、全ての図柄組合せを組み込んだ抽選シート（抽選テーブル）のデータを持ち、該抽選シートを使用してはずれ図柄を決定するような制御態様を採用した場合は、コマンド解析処理（Ｓ１３２）で演出図柄の決定を行う。ここで、上述の「サブ変動パターン」について、以下では「演出パターン」と称する場合がある。
【０３３４】
これらのコマンド解析に係る処理（Ｓ１３２、Ｓ１３３）については、言い換えれば、或るコマンドについて、コマンド受信直後には、以降に配置された処理（ここでは乱数更新処理（Ｓ１３４））に進まずにメインループ処理（Ｓ１２４〜Ｓ１３４）内のそれ以外の処理（Ｓ１２４〜Ｓ１３３）を繰り返し、コマンドバッファにコマンドがなくなれば、以降に配置された処理へ進み、この結果、或るメインコマンドについて、コマンド解析処理（Ｓ１３２）の開始直後には、コマンド解析が実行されるので、後に配置されたプログラムモジュールへは進まず、コマンド解析処理（Ｓ１３２）においてコマンド解析が行われなくなると、後に配置されたプログラムモジュールへ進むものであるということができる。なお、コマンド解析したか否かの判定処理（Ｓ１３３）の後に、例えばチェックサムの算出などの処理を行う場合には、この処理についても乱数更新処理（Ｓ１３４）と同様に、コマンド受信直後は実行されない処理であるということがいえる。
【０３３５】
乱数更新処理（Ｓ１３４）においては、演出に係る抽選用乱数（ソフトウェア乱数）の更新が行われ、この乱数更新処理（Ｓ１３４）が実行される度にサブメイン基板３０１に係るソフトウェア乱数は新たな値に更新される。そして、乱数更新処理（Ｓ１３４）で逐次更新される値は、前述の予告抽選管理処理（Ｓ１２９）などにおいて、各種の演出態様の抽選のための乱数として用いられる。
＜＜メインコマンド受信処理＞＞
【０３３６】
次に、メイン基板１０２からのメインコマンド受信処理について、図１７に基づいて説明する。先ず、コマンド入力値を確定するか否かの判定が行われる（Ｓ１４１）。コマンド入力については、ノイズ等により読み込み失敗の恐れがあるため、２連続で同じ値が読み込まれるまでは入力値は確定とされない。具体的には、コマンドデータを最高５回まで読込み、２連続で同じ値が読み込まれた時点で入力値確定とする処理が実行される。そして、コマンド入力値を確定しない場合（Ｓ１４１：ＮＯ）には、このメインコマンド受信処理を抜けて割込み発生前の元の処理へ戻る。
【０３３７】
コマンド入力値が確定された場合（Ｓ１４１：ＹＥＳ）には、受信したコマンドが第１コマンドか否かの判定が行われ（Ｓ１４２）、第１コマンドであったか第２コマンドであったかの判定結果に応じて処理が分岐する。メイン基板１０２は、１回のコマンド送信で１バイトのコマンド送信を行うが、メイン基板１０２からのコマンドはＭＯＤＥデータ及びＥＶＥＮＴデータの２バイト構成であるため、前述のように２回のコマンド送信が必要である。したがって、メイン基板１０２からは、１回目に上位バイトのコマンド（ＭＯＤＥコマンド）を送信し、２回目に下位バイトのコマンド（ＥＶＥＮＴコマンド）が送信される。そして、コマンドを受信したサブメイン基板３０１においては、コマンドデータの最上位ビットが「１」であれば第１コマンド（ＭＯＤＥコマンド）と判定し、最上位ビットが「０」であれば第２コマンド（ＥＶＥＮＴコマンド）と判断する。
【０３３８】
受信したコマンドが第１コマンドであった場合（Ｓ１４２：ＹＥＳ）には、第１コマンドがテンポラリに保存され（Ｓ１４８）、記憶される。ここで、テンポラリは、値を一時退避させておくための記憶領域である。
【０３３９】
さらに、所定のハードウェア乱数であるハード乱数１のそのときの値が、ソフトウェア上のバッファにラッチされて保持され（Ｓ１４９）、その後、処理はこのメインコマンド受信処理を抜けて割込み発生前に戻る。ここで、Ｓ１４９のように、メイン基板１０２のコマンド（第１コマンド）を受信する毎に、ハード乱数１をラッチしておくのは、乱数の周期が形成されないようにするためである。つまり、ランダムなタイミングで発生する第１コマンドの受信を利用して数値を作成し、演出のための所定の抽選等のタイミングにてそのときの数値を利用することで、周期性を排除した乱数の取得が可能となっている。
【０３４０】
ハードウェア乱数は高速カウンタを用いて生成されるものであるが、取得するタイミングがランダムでなければ何らかの周期性が生じてしまうことがあり得る。しかし、メイン基板１０２からの第１コマンドは、遊技球の入賞等に起因する不規則なタイミングにてサブメイン基板３０１で受信されるものであるため、周期が生じる可能性は少ない。したがって、サブメイン基板３０１においては、上述のようにコマンドの受信を利用したハードウェア乱数の生成を行い、メイン基板１０２で行われているような周期性の排除を行っているのである。
【０３４１】
一方、Ｓ１４２において、受信したコマンドが第１コマンドでないと判定された場合（Ｓ１４２：ＮＯ）には、第２コマンドを受信したことになる。そして、第２コマンドを受信した場合には、第１コマンドを受信済みか否かの確認が行われる（Ｓ１４３）。第１コマンドを受信済みでない場合（Ｓ１４３：ＮＯ）には、メインコマンド受信処理を抜けて元の処理へ戻る。
【０３４２】
第１コマンドを受信済みの場合（Ｓ１４３：ＹＥＳ）には、コマンドライトポインタの取得が行われる（Ｓ１４４）。ここで、コマンドライトポインタは、コマンドリングバッファにおける読み取り位置を示すものであり、コマンドライトポインタの取得は、コマンドライトポインタにより示された読み取り位置からデータを取得するものである。
【０３４３】
さらに、この時点で正常に受信されている第１コマンドと第２コマンドとが解析処理用のコマンドリングバッファに保存される（Ｓ１４５）。保存されたデータは、前述のメイン処理（図１６参照）のコマンド解析処理（Ｓ１３２）にて解析処理される。そして、コマンドライトポインタが更新され（Ｓ１４６）、前述のテンポラリの第１コマンドがクリアされる（Ｓ１４７）。ここで、コマンドライトポインタの更新は、コマンドリングバッファの読み取り位置を１つ更新する処理である。また、テンポラリの第１コマンドをクリアする処理は、Ｓ１４８にて記憶した第１コマンドをクリアするものである。
【０３４４】
なお、本実施例では、２つの要素コマンド（第１コマンド及び第２コマンド）の組を１組（１セット）とし、第１コマンドの受信に応じてハード乱数１のラッチを行っているので、第２コマンドの受信後の処理（Ｓ１４３〜Ｓ１４７）の系統とは異なった処理系統（Ｓ１４８，Ｓ１４９の系統）でラッチ処理ができ、第２コマンドの受信後の処理を迅速に終えることができる。
＜＜サブメインタイマ割込み処理＞＞
【０３４５】
次に、タイマ割り込み処理について、図１８に基づき説明する。タイマ割込み処理は、所定周期である１ｍｓ毎に発生する。このタイマ割り込み処理は、優先度が一番低いレベル１の割込み処理であるため、図中に示すように、先ず、優先レベル２以上の割り込みが許可される（Ｓ１６１）。さらに、ポート入力処理（Ｓ１６２）が実行され、ポートデータの入力処理や出力処理が行われる。このポート入力処理（Ｓ１６２）においては、各種センサ（磁気センサ、振動センサ等）に接続されたポートを確認する処理（入力処理）、及び、各種デバイス（モータ、ソレノイド、ランプ等）に接続されたポートからの情報出力（出力処理）が行われている。
【０３４６】
また、ポート入力処理（Ｓ１６２）では、これらのポート以外にも、電断時に電断を示す旨の信号（電断信号）が入力される電源電圧監視用のポートに係る処理も行われている。そして、この電断信号が入力されると、ＣＰＵ５２１の処理は、全ての割込み処理を禁止し、記憶された情報のバックアップを行うための転送処理へ移行する。
【０３４７】
続いて、デバイス制御データ出力処理（Ｓ１６３）が実行され、各種モータ、ソレノイド、ランプ類等を駆動するためのデバイス制御データ出力が行われる。例えば、図１６に示すメイン処理のデバイス管理処理（Ｓ１３０）において、所定のモータに対し１００ｍｓ間の励磁の後、１００ｍｓ間の消磁を行うという駆動制御パターンが決定されていた場合には、このデバイス制御データ出力処理（Ｓ１６３）において、１００ｍｓの時間のカウント処理が行われる。
【０３４８】
さらに、演出用タイマ更新処理（Ｓ１６４）が実行され、各種演出における所定のタイミングを計るためのタイマ値の更新処理（Ｓ１６５）が行われる。そして、ボタン制御タイマ更新が実行され、プッシュボタン（操作ボタン２２）の操作が有効となる期間の管理のための有効時間管理タイマや、押下時間に基づく押下操作の有効判定や長押し判定のための押下時間カウントタイマが更新される。
【０３４９】
次に、タスク制御カウンタの更新（Ｓ１６６）が実行され、所定の複数のタスクに用いられる制御用カウンタ（マルチタスク用カウンタ）が更新される。この制御用カウンタは、１６回を１単位として、タイマ割込み周期である１ｍｓ毎に１回のカウント値の更新を行うものである。そして、タスク制御用カウンタは、本実施例では、０〜１５までの値を１ｍｓ毎に順にカウントするとともに、この０〜１５の値のカウントをループさせている。
【０３５０】
また、所定のタスクの一つとして、遊技効果ランプに係るものを例示できる。遊技効果ランプの駆動態様には、演出表示装置６０における画像と同期して行われるものも多く、動画の１フレーム（１単位の画像フレーム）の表示の切換えは約１６ｍｓ又は約３２ｍｓ（約３３ｍｓである場合もある）といった周期で行われることが多い（本実施例では１６ｍｓ周期）。このため、遊技効果ランプに係る制御用カウンタの生成周期が、動画表示における制御単位時間（１６ｍｓや３２ｍｓ）と整数倍や整数分の１といった関係を形成するよう、制御用カウンタの設計が行われている。この結果、画像とタイミングを合わせたランプ演出の設計が容易となる。
【０３５１】
また、制御用カウンタに関しては、例えば遊技効果ランプに係る或る処理が１６ｍｓ間隔で行われるとすると、制御用カウンタの値が３等の一つの所定の値にとなるタイミングで当該処理が行われる。また、後述する画像ＣＰＵ暴走監視処理のように８ｍｓ間隔で行われる処理については、制御用カウンタが１となる場合及び９となる場合のように、差が８である２箇所のタイミングで処理が行われる。
【０３５２】
また、制御用カウンタが生成する周期を、例えばタイマ割込み（サブメインタイマ割込み）の１周期（１ｍｓ）のように比較的短い周期に合せた場合、エラー報知等の制御のように、３０秒間程度の比較的長い時間をカウントする制御を行うと、３０秒を計数するのに確保すべきデータ長が長くなり、必要なメモリ数も大となる。このため、制御用カウンタの周期を、タイマ割込みの１周期（１ｍｓ）よりも長く設定するとともに、重畳される他の演出（画像演出）に係る制御周期と整数倍或いは整数分の１の関係となるよう、制御用カウンタが一周する周期を所定周期（ここでは１６ｍｓ）に設定している。なお、このタスク制御カウンタの更新の処理（Ｓ１６６）で更新される制御用カウンタの他の用途としては、サブサブ基板３０２に対する暴走監視（後述する）がある。
【０３５３】
次に、画像ＣＰＵ暴走監視処理（Ｓ１６７）が実行され、サブサブ基板３０２の画像ＣＰＵに対する暴走監視処理が行われる。ここで、本実施例においては、サブサブ基板３０２のＣＰＵは、図４中の画像コントローラ５２６に一体化されている。前述のように、サブサブ基板３０２からは、動画制御の１つのフレーム表示毎にオンとオフを繰り返す所定の信号（監視用トグル信号）が出力されている。このサブサブ基板３０２からのトグル信号が、所定期間（例えば５０〜１００フレーム程度に相当する１６００ｍｓ）連続して変化しない場合に、画像ＣＰＵの暴走のような異常が発生していると判断され、サブメイン基板３０１からサブサブ基板３０２に対してリセット信号（外部リセット信号）が送信される。サブサブ基板３０２では、このリセット信号の受信後、サブサブ基板３０２の状態初期化のためのリセット処理（サブメイン初期設定処理）が実行される。
【０３５４】
上述のようなトグル信号の監視は、後述するように、８回のタイマ割込み（８ｍｓ）につき１回行われる。また、この監視の周期が到来したことの判断には、前述の制御用カウンタが用いられている。ここで、監視の周期を８ｍｓとしているのは、画像の１フレームに係る表示の周期（１６ｍｓ又は３２ｍｓ）よりも短い周期で監視を行うことにより１フレームの表示周期中に必ず１回は監視が行われるようにするためである。さらに、監視の周期を８ｍｓとしていることの他の理由としては、前述の制御用カウンタが生成する周期の整数分の１とすることで、制御用カウンタの更新タイミングを利用できるようにするためである。
【０３５５】
この画像ＣＰＵ暴走監視処理（Ｓ１６７）に続いて、エラー管理タイマ処理（Ｓ１６８）が実行される。このエラー管理タイマ処理（Ｓ１６８）においては、エラー管理タイマの減算が行われ、タイムアウト時には所定の処理を実行する。タイムアウト時の処理としては、前述のエラー報知を終了させる処理などを挙げることができる。なお、このエラー管理タイマは、１６回のタイマ割込みにつき１回のカウントを行うものであり、エラー管理タイマを用いたエラー管理に係る処理も、前述の制御用カウンタを用いる所定のタスクのうちの一つである。このエラー管理タイマ処理が終わるとサブメインのメイン処理（図１６参照）の、タイマ割込み前の元の処理へ戻る。ここで、前述のＳ１６１において割込み許可の対象に制限をかけているため、図示は省略するが、全ての割込みを許可してから、サブメインのメイン処理へ戻るようになっている。
＜＜サブサブ基板との通信処理＞＞
【０３５６】
次に、前述のサブサブ基板３０２との通信処理について説明する。サブメイン基板３０１からサブサブ基板３０２へのコマンド送信（サブメインコマンドの送信）は、サブサブ基板３０２との通信に係る割込み（サブ通信割込み）を一定間隔（ここでは５００μｓ）毎に発生させ、割込みの度にサブサブ基板３０２との通信処理を実行することにより行われている。このサブサブ基板３０２との通信処理においては、順に、バッファチェックが行われて送信すべきデータの存在が確認され、データがあればこのデータが読み込まれる。そして、読み込まれたデータが送信バッファにセットされ、コマンド送信に係る設定が更新されて、サブサブとの通信処理が終了する。
＜＜コマンド送受信管理処理＞＞
【０３５７】
また、サブメイン基板３０１がサブサブ基板３０２へコマンド送信した際には、サブサブ基板３０２側から、正常にコマンド（サブメインコマンド）を受信できた旨を示す前述の受信コマンド（サブサブコマンド）がサブメイン基板３０１側に送信される。このコマンド送受信管理処理においては、コマンドの読み込みが行われ、コマンド解析が実行された後、コマンドの保存が行われる。サブサブコマンドの受信にあたっては、サブサブ基板３０２においてコマンド受信割込み処理が実行されるが、このコマンド受信割込み処理は、前述のサブ通信割込み内で、コマンド受信割込み処理を実行するためのフラグを設定することにより実行される。つまり、サブサブ基板３０２からのサブサブコマンドの入力は、サブメイン基板３０１からのサブメインコマンドの送信後に発生するものであるため、コマンド受信割込み処理は、サブ通信割込みに係る処理に対し付帯的に行われるものとなっている。
＜＜サブサブ基板における制御処理＞＞
【０３５８】
サブサブ基板３０２においては、サブメイン基板３０１と同様に、電源立ち上げ後に開始されるサブサブ初期設定処理、このサブサブ初期設定処理後に実行されるメイン処理、メイン処理に対し所定周期で発生するサブサブタイマ割込みに伴って実行されるタイマ割込み処理、サブメインコマンドの受信に伴って発生する割込み処理であるサブメインコマンド受信処理、などが実行される。これらのうち、サブメインコマンド受信処理においては、サブメイン基板３０１からのサブメインコマンドを受信すると、正常にサブメインコマンドを受信できた旨を示す前述の受信コマンド（サブサブコマンド）を送信する処理が実行される。
＜可動演出部材に係る各種の動作制御＞
＜＜可動演出部材の位置確認に係る基本的事項＞＞
【０３５９】
次に、前述した可動演出部材（９３、９４等）の動作制御について説明する。先ず、可動演出部材（９３、９４等）の、動作の起点となる初期位置を確認することが考えられる。可動演出部材（９３、９４等）に係る初期位置の確認は、位置検出センサ（図示略）を用いて行うことができる。ここで、位置検出センサは、「初期位置センサ」と称することも可能である。
【０３６０】
また、前述したように初期位置の確認は、サブメインのメイン処理（図１６）におけるメインループ処理（Ｓ１２４〜Ｓ１３４）内のデバイス管理処理（Ｓ１３０、図２１）にて行えるようになっている。さらに、本実施例における初期位置の確認は、デバイス管理処理（Ｓ１３０）内のモータ位置チェック処理（Ｓ１７１）で行えるようになっている。また、図示は省略するが、サブメイン基板３０１における電源断復帰時に、サブメインＣＰＵ５２１が電源断復帰処理を実行し、その際にデバイス管理処理（Ｓ１３０）内のモータ初期化管理処理（Ｓ１７８）へ移行して、初期位置の確認を行うようになっている。なお、サブメインＣＰＵ５２１による電源断復帰処理内に、初期位置の確認のための処理を設けることも可能である。
【０３６１】
位置検出センサの種類としては、可動演出部材（９３、９４等）の構成等の要因により、接触式及び非接触式のいずれであっても採用が可能である。また、位置検出センサの検出方式としては、光学式、電磁誘導式、機械式など、可動演出部材（９３、９４等）の構成等の要因により、各種のものを採用可能である。
【０３６２】
また、サブメイン基板３０１において可動演出部材（９３、９４等）の初期位置を確認するタイミングとしては、複数のタイミング（確認タイミング）を定めることができる。そして、初期位置を確認するタイミングとして、前述した客待ちデモ開始時、大当り開始デモ時、変動開始時、及び、変動停止時などを挙げることができる。これらのうち客待ちデモ時は、前述の客待ちデモに係る開始タイミングである。さらに、これらのタイミングについて、サブメイン基板３０１の側では、前述したように、対応する各タイミングにてメイン基板１０２から送信される各種コマンドを受信した際に、認識することが可能である。
【０３６３】
なお、本実施例では、客待ちデモ開始時、大当り開始デモ時、変動開始時、及び、変動停止時などの各タイミングで可動演出部材の位置検出を行うことが可能となっている。そして、これらのすべてのタイミングについて毎回位置検出を行うようにしてもよく、或いは、これらのうちの１部のみのタイミングで位置検出を行うようにしてもよい。また、各タイミングにおいて、位置検出可能な状況であるか否かを判定し、可能な状況である場合に位置検出を行うようにしてもよい。
【０３６４】
また、これらのタイミングで可動演出部材（９３、９４等）の位置確認を行う一方で、可動演出部材（９３、９４等）の動作中（動作開始時から動作終了時までの間の期間など）のタイミングには、可動演出部材（９３、９４等）の位置確認を行わないようにすることが可能である。このようにすることで、ぱちんこ遊技機１０を、可動演出部材（９３、９４等）に係る位置確認のタイミングは複数あるが、可動演出部材（９３、９４等）の動作時（動作中）には位置検出センサの入力状態を確認せずに、可動演出部材（９３、９４等）を動作させるものとすることができる。
【０３６５】
また、可動演出部材（９３、９４等）の動作の有無や、動作の態様は、サブメイン基板３０１において決定されるが、可動演出部材（９３、９４等）の動作時に位置確認を行わないことにより、演出制御を円滑に行うことが可能になる。つまり、可動演出部材（９３、９４等）の動作の決定に際しては、サブメイン基板３０１において、メイン基板１０２から指定された変動パターンに基づき、前述のようにサブ変動パターン（演出パターン）が決定される。
【０３６６】
さらに、決定されたサブ変動パターンによって、演出場面等といった演出の基幹部分（基幹要素）が決定され、更に、カットイン演出の有無や種類、各種予告の有無や種類などが決定される。ここで、上述の各種予告には、演出の発展、前述の先読み演出、可動演出部材（９３、９４等）を動作させる演出、などといった各種の演出要素が含まれる。
【０３６７】
なお、サブメインＣＰＵ５２１でリーチの有無を決定する場合があってもよい。そして、サブメインＣＰＵ５２１によりリーチの有無を決定する制御態様としては、例えば、メイン基板１０２から「ノーマル１」等の演出パターンの情報が通知されても、サブメインＣＰＵ５２１がリーチの有無を決定し、リーチ演出の実行が決定された場合には、サブメインＣＰＵ５２１による決定結果に基づいてリーチ演出が行われる、といったものを例示できる。このようにした場合には、リーチの有無が、上述した演出の基幹部分に含まれることとなる。
【０３６８】
可動演出部材（９３、９４等）を動作させるためのこれらの処理については、以下のように説明することもできる。例えば、可動演出部材（９３、９４等）は、メイン基板１０２のＣＰＵ５０１からのメインコマンド（特別図柄の図柄変動開始時のコマンドなど）に基づき演出としての動作（演出動作）を行う場合がある。加えて、可動演出部材（９３、９４等）は、上述のようなメインコマンドではなく（メインコマンドによらず）、初期位置の確認結果に基づき、初期位置に復帰するための位置復帰動作を行う場合がある。そして、可動演出部材（９３、９４等）には、メイン基板１０２のＣＰＵ５０１からの指示に基づき動作する場合と、サブメインＣＰＵ５２１による独自に決定に基づき動作する場合とがあるといえる。
【０３６９】
例を挙げれば、可動演出部材（９３、９４等）には、メイン基板のＣＰＵ５０１により決定された変動パターン（メイン変動パターン）に基づきサブメインＣＰＵ５２１が決定した演出パターンに定められた通りに動作する場合と、例えばメイン基板のＣＰＵ５０１に基づくことなくサブメインＣＰＵ５２１のみの制御によって動作エラーにより停止した位置から初期位置へ復帰するために動作するような場合とがある。
【０３７０】
さらに、可動演出部材（９３、９４等）の位置復帰に係る処理については、前述したように変動開始時等のタイミングで可動演出部材の位置検出を行うことが可能であるが、例えば、可動演出部材（９３、９４等）がメインコマンドに基づく演出動作を行わない変動演出の際であっても、毎回の変動開始時に位置確認を行うようにすることが可能である。
【０３７１】
また、前述したように、可動演出部材（９３、９４等）の位置復帰に係る処理は、サブメインのメイン処理（図１６）におけるメインループ処理（Ｓ１２４〜Ｓ１３４）のデバイス管理処理（Ｓ１３０）で行われる。そして、このことは、前述した確変や時短等の特定遊技状態であっても、特定遊技状態とは異なる通常状態（通常遊技状態）であっても同様である。つまり、可動演出部材（９３、９４等）の位置復帰に係る処理については、通常遊技状態と特定遊技状態とで共通であるということができる。
【０３７２】
また、可動演出部材（９３、９４等）の動作（メインコマンドに基づく動作）としては、例えば、そのときの変動パターンにおける変動期間（変動時間）の前半において、リーチ発生の予兆を表す態様で行われるものを例示することができる。さらに、演出が発展する予兆を表す態様としては、振動する態様や、相対的な小さな変位量で移動する態様などを例示できる。また、複数の可動演出部材のうちの、例えば１つを駆動することにより行われる態様なども例示することができる。
【０３７３】
さらに、可動演出部材（９３、９４等）の動作としては、例えば、そのときの変動パターンにおける変動期間（変動時間）中のいずれかのタイミングで、リーチへの昇格や発生やリーチの発展、或いは、大当りなどを所定の割合（１００％を含む）で予告する態様のものを例示することができる。そして、この場合の予告する態様の動作としては、相対的に大きな変位量で移動する態様や、複数の可動演出部材が同時に動作する態様などを例示することができる。
【０３７４】
さらに、特別遊技に係るラウンド中や、特別遊技後の終了デモ時（大当り終了デモ時）などには、可動演出部材（９３、９４等）の位置を確認しない制御態様を採用することが可能である。また、すべての変動（変動演出）において、変動開始時や変動停止時のタイミングで、可動演出部材（９３、９４等）に係る初期位置を確認することが可能である。
【０３７５】
また、可動演出部材（９３、９４等）の駆動源としてステッピングモータ等のモータ（図２６（ａ）〜（ｃ）の符号９７）を用いることが可能である。そして、可動演出部材（９３、９４等）の位置確認の態様として、モータの回転量（回転角度など）をモータ用の初期位置センサにより確認することも可能である。そして、この場合には、例えば、可動演出部材（９３、９４等）が初期位置に在るべき状況であるのにかかわらず（在る予定であるにもかかわらず）、所定期間（例えば５秒間程度）、可動演出部材（９３、９４等）が初期位置に在ることを確認できなかった場合に、可動演出部材（９３、９４等）を初期位置に戻す、といった制御態様を採用することが可能である。
【０３７６】
例えば、モータのセンサ入力（初期位置センサからの入力）を、ぱちんこ遊技機１０の動作中に常時、所定周期（ここでは１ｍｓ）のタイマ割込み内で監視し、特定条件下で、初期位置センサの出力を所定時間（例えば５秒間）に亘って読み込みできなかった場合に、可動演出部材（９３、９４等）を初期位置へ移動させる、といった処理を行うことが可能である。
【０３７７】
この場合、モータの動作制御に用いられるモータ動作テーブルに、動作開始位置を示す情報（動作開始位置情報）及び動作停止位置を示す情報（動作停止位置情報）を定めておき、これらのうちの動作停止位置情報を参照して、可動演出部材（９３、９４等）が、そのときに初期位置にいる予定であるか否かを判断することができる。
【０３７８】
例えば、センター飾り６４の上部に配置された可動演出部材９３を所定量落下させ、更に振動動作を行わせて落下前の位置（初期位置）へ戻す、といった動作のためのモータ動作テーブルに、動作開始位置（初期位置）、動作停止位置（初期位置）、モータの回転量（ステップ数）等の動作情報（回転位置情報ともいう）を予め定めておくことが可能である。これらの位置情報は、可動演出部材９３の動作が、制御上、動作リクエスト（動作要求）された際に、サブメイン基板３０１において保持されている。
【０３７９】
その後、可動演出部材９３が、上述の動作リクエストに基づき実際に動作開始すると、動作の終了の際における可動演出部材の動作停止位置の情報が更新される。さらに、例えば、可動演出部材９３が初期位置へ戻りきらずに可動演出部材９３の動作が終了してしまった場合に、サブメイン基板３０１では、制御上、可動演出部材９３が初期位置にいるはずの状況（初期位置にあるべき状況）であるのに、初期位置センサからの入力がないため、異常であるという判定を行うことになる。
【０３８０】
そして、前述した１ｍｓ周期のタイマ割込みにおけるセンサ監視の処理（図１８中のポート入力処理（Ｓ１６２）を参照）にて、この異常状態が所定時間（例えば５秒）に亘り続いた場合（例えば５秒に相当する回数のタイマ割込み処理が繰り返された場合）に、可動演出部材９３を初期位置へ移動させる処理を実行し、初期位置への復帰を試みる。なお、上述したようなタイマ管理を行う場合も、可動演出部材（ここでは９３）を正常位置に戻す動作を、可動演出部材が演出上の動作を行うタイミングを避けて実行することが可能である。
【０３８１】
この場合には、可動演出部材が演出上の動作を行うタイミング（期間）であるか否かの判定を行い、演出上の動作を行うタイミングであると判定した場合には、可動演出部材の位置復帰のための動作を禁止し、所定の場合（次回の変動開始時など）に、可動演出部材に位置復帰のための動作を行わせる、といったことが可能である。
【０３８２】
なお、このような状況として、可動演出部材に動作開始しない、或いは、動作中に停止する、などといったエラーが発生し、このエラー中に、演出上の動作（演出動作）を行うタイミングが到来するような場合を例示できる。このような場合、前述の通り、可動演出部材の演出動作のタイミングで位置確認が行われず、エラー中であることにより演出動作が行われない。その後、エラーから復帰した場合には、演出動作タイミングとは異なる所定のタイミング（変動開始時等）にて位置検出を行うこととなる。
【０３８３】
また、上述のような場合については、位置復帰の動作（位置復帰動作）中であるため演出動作を行わず、位置復帰動作を継続する、といった制御態様を採用することが可能である。
【０３８４】
さらに、演出動作を行うタイミングと位置復帰動作を行うタイミングが同時といえるようなタイミングで発生することも考えられる。しかし、制御処理上は、制御プログムに定められた順に、各タイミングの到来が判定されたり、可動演出部材に係る動作リクエストの設定が行われたりすると考えられる。そして、このような場合には、例えば、演出動作を行うタイミングが到来してから十分な時間（予め定められた所定時間）が経過するのを待って位置検出を行う、といったことが考えられる。なお、このような制御態様に限定されるものではなく、種々の制御態様を採用することが可能である。
【０３８５】
また、前述のような異状状態の管理に関しては、サブメインのメイン処理（図１６）におけるメインループ処理（Ｓ１２４〜Ｓ１３４）の回数に基づき、所定条件が成立したか否かの判定を行うことも可能である。そして、この場合には、メインループ処理（Ｓ１２４〜Ｓ１３４）の処理（例えばコマンド解析処理（Ｓ１３２））において、所定回数に亘って所定のコマンドを受信した場合に、条件が成立したと判定し、判定結果に基づく処理を行うことが可能である。このようなコマンド受信回数に基づく異常判定（エラー判定）を行う処理については後述する。
【０３８６】
さらに、前述したように可動演出部材（例えば９３）が初期位置へ戻りきらずに可動演出部材９３の動作が終了してしまい、異常状態（エラー状態）を検知した場合に、可動演出部材９３を初期値へ戻すための処理を行うことが可能である。このような可動演出部材９３を初期値へ戻すための処理については、例えば「位置回復処理」などと称することが可能である。また、可動演出部材９３に係るエラーが発生した旨の報知（エラー報知）を、所定のＬＥＤ、スピーカ、演出表示装置６０などの情報出力手段を用いて行うことが可能である。
【０３８７】
そして、上述のようなエラー検知時の位置回復処理については、位置回復処理を全く行わないことや、可動演出部材９３が初期位置に戻らなくても（停止している或いは予定していない振動動作を行っているなどの状態であっても）、可動演出部材をそのままの状態としたまま（可動演出部材の状態を維持したまま）位置回復処理を終了することなどを、対策として採用可能である。
【０３８８】
この場合、制御処理の流れとしては、エラーを検出し、エラー解消のための動作（リトライ動作）を可動演出部材９３に所定回数行わせるための処理を行い、初期位置に戻ったかの判定を行い、戻らない場合は可動演出部材９３を停止させる（戻った場合は制御を続行）、といったものを例示できる。ここで、可動演出部材９３に係る上述の「停止」は、動作させるための制御を停止して、リトライ動作後の停止した状態を維持することを表している。
【０３８９】
さらに、これらの対策を採用した場合には、上述したような情報出力手段によるエラー報知を行わないようにすることが可能である。つまり、可動演出部材９３が初期位置に戻らないままの状態を遊技場店員が確認できれば、遊技場店員は、可動演出部材９３に係る何らかのエラーが発生していることを認識できると考えられる。このため、情報出力手段による報知を省略し、エラー発生時の処理を簡易なものとすることが可能である。
【０３９０】
さらに、上述した各種の対策のうち、可動演出部材９３が初期位置に戻らなくても、位置回復処理を終了する対策を採用した場合には、位置回復処理を終了する条件として、前述したように異常状態が、所定時間に亘り継続したことや、コマンド受信回数が所定値に達するまで継続したこと等を採用することが可能である。そして、これらのエラー検知時における各種の対応は、可動演出部材毎や、エラーの種類（エラー種別）毎に異ならせることも可能である。
【０３９１】
このように情報出力手段による報知を行わないようにすることには、以下のような利点もある。例えば、前述したように演出表示装置６０を構成する表示体を可動演出部材として用い、複数の表示体を合体させる動作を用って、複数の表示体により一体的な表示を行う場合などには、表示体が正常な移動を行っていなければ、表示体でエラー報知を行っても、エラー報知である旨が遊技者や遊技場店員に伝わるか否かの想定ができない。このため、情報出力手段によるエラー報知を敢えて行わないようにすることで、エラー報知が機能しない事態が生じるのを防止できるとともに、エラー発生時の処理を簡易なものとすることが可能となる。
＜＜位置確認を行わない動作の選定＞＞
【０３９２】
また、回転可能な可動演出部材を備えることも可能であり、本実施例においては、センター飾り６４の下部に配置された可動演出部材（以下では「下可動演出部材９４」と称する）を、回転する可動演出部材とすることが考えられる。そして、下可動演出部材９４の回転は、例えば、ぱちんこ遊技機１０の前後方向に水平に延びる軸を中心として縦方向に行うことが可能である。
【０３９３】
さらに、下可動演出部材９４は、図示は省略するが、上下方向へ変位と、遊技者に見せる意匠部を前方に向けた状態での回転とを組み合わせた動作を実行可能なものとすることができる。そして、下可動演出部材９４の初期位置の確認は、回転動作については行わず、上下変位についてのみ確認を行う、といったことが考えられる。この場合、回転動作については初期位置を設けないようにすることが可能である。そして、このようにした場合には、初期位置がない動作については位置の監視を行わず、初期位置がある動作については位置の監視を行うものであるということができる。
＜＜複数の可動演出部材に係る連携動作への対応＞＞
【０３９４】
また、例えば、センター飾り６４の左右側部に位置する意匠部を、可動演出部材とすることも可能である。このようにした場合の例を、図１９（ａ）、（ｂ）に示す。図１９（ａ）には、センター飾り６４の、遊技者から見て左側の部分のみを概略的に示している。図１９（ａ）中においては、岩石状にデザインされた複数（ここでは５つ）の可動演出部材（以下では「左可動演出部材」と称する）９５ａ〜９５ｅが、互いに所定の間隔を介して上下方向に配置されている。
【０３９５】
これらの左可動演出部材９５ａ〜９５ｄについて、以下では上段から下段へ順に、左岩石１（９５ａ）、左岩石２（９５ｂ）、左岩石３（９５ｃ）、左岩石４（９５ｄ）、左岩石５（９５ｅ）と称する場合がある。そして、これらの左可動演出部材９５ａ〜９５ｅは、例えばモータ、歯車、リンク部材といった所定の部品により構成される駆動機構部（図示略）を介して、図１９（ｂ）中に矢印Ａ１〜Ａ５で示すように、ぱちんこ遊技機１０の左右方向に各々が周期的に進退するようになっている。
【０３９６】
このような左可動演出部材９５（及び図示を省略した右可動演出部材）の動作は、サブメイン基板３０１において所定の演出パターンが選択された場合に、演出の一部として実行される。また、ここでは、左可動演出部材９５（及び右可動演出部材）の周期動作は、互いに突出及び没入のタイミングを異ならせ、均一ではない態様（例えば変位角度や変位量などに関して均一ではない態様）で行われている。しかし、これに限らず、左可動演出部材９５（及び右可動演出部材）の周期動作を、互いに同じタイミングで行うことも可能である。
【０３９７】
さらに、図１９（ａ）、（ｂ）の例では、前述した下可動演出部材９４と同様な意匠を有する可動演出部材（以下では「左下可動演出部材」）９６が、前述の下可動演出部材９４に代えて設けられている。また、この左下可動演出部材９６は、前述の下可動演出部材９４と同様に回転動作が可能であるとともに、図１９（ｂ）中に矢印Ｂで示すように、遊技者から見て右斜め上方向（例えば約６０度の右斜め上方向）に突出する進退動作が行えるようになっている。そして、左下可動演出部材９６は、左可動演出部材９５ａ〜９５ｅのうち、最下部の左可動演出部材９５ｅに対して上下に接近して配置されている。
【０３９８】
また、図１９（ａ）、（ｂ）の例では、左下可動演出部材９６がセンター飾り６４から右斜め上方向へ突出する動作については、初期位置（図示略）を初期位置センサにより確認するようになっている。これに対して、すべての左可動演出部材９５ａ〜９５ｅについては、位置確認をせずに周期動作を行わせるようになっている。なお、このように位置確認を省略した制御態様は、図示を省略した右可動演出部材についても同様である。なお、図１９（ｂ）では、図１９（ａ）中の左可動演出部材９５ａ〜９５ｅ、及び、左下可動演出部材９６のみが、一部省略して概略的に示されている。
【０３９９】
上述のような左下可動演出部材９６の初期位置の確認は、駆動源となっているモータ（ここではステッピングモータ）について、回転位置を検出することにより行うことが可能である。そして、左可動演出部材９５ａ〜９５ｅと左下可動演出部材９６のうち、左下可動演出部材９６についてのみ位置確認を行うようにすることで、簡易に且つ低コストで、両者の干渉を防ぐことが可能である。
【０４００】
つまり、最下部の左可動演出部材９５ｅ及び左下可動演出部材９６の位置関係や変位動作態様として、両方が同時期にセンター飾り６４からの突出動作を行って最大ストロークに達したとしても、両者が干渉しないように両者の関係をあらかじめ決めておく、といったことが考えられる。また、左可動演出部材９５ｅ及び左下可動演出部材９６が同じタイミングで突出動作を行うと干渉し得るが、両者がタイミングをずらして突出動作を行えば干渉しないように相互関係を定めておく、といったことも考えることができる。
【０４０１】
そして、これらのようにした場合には、両者が常に適正な位置にあれば、互いに干渉することはないと考えることができる。さらに、両者が常に適正な位置にあることを前提とすれば、左可動演出部材９５ａ及び左下可動演出部材９６の両方について位置確認を行わなくても、干渉を防止することが可能である。
【０４０２】
しかし、例えば、最下部の左可動演出部材９５ｅ及び左下可動演出部材９６のうち、いずれか一方、或いは、両方に、予期していた以上の量の位置ずれが生じており、動作開始時に過度に本来の初期位置からずれているような場合には、予期せず両者の干渉が生じる可能性がある。このため、左可動演出部材９５ｅ及び左下可動演出部材９６のうち、いずれか一方（ここでは左下可動演出部材９６）について初期位置の確認を行うことにより、可能な限り両者の干渉を防止することができる。
【０４０３】
なお、ここでは複数の左可動演出部材９５ａ〜９５ｅのうち、最下部の左可動演出部材９５ｅと左下可動演出部材９６を例に挙げて説明しているが、例えば、他の左可動演出部材９５ａ〜９５ｄと左下可動演出部材９６についても、相互の位置関係や変位動作態様によっては、前述したような過大な位置ずれがあった場合に、互いの干渉が生じることも考えられる。このような場合であっても、左下可動演出部材９６の初期位置を確認することにより、干渉の発生を防止することができる。
【０４０４】
また、構成や制御は複雑化するが、最下部の左可動演出部材９５ｅと左下可動演出部材９６の両方について初期位置を確認するようにしてもよい。また、各左可動演出部材９５ａ〜９５ｅの相互関係についても、干渉が生じることは考えられ、このような事態を防ぐために、例えば、１つおきの左可動演出部材（例えば９５ａ、９５ｃ、９５ｅの組や９５ｂ、９５ｄの組）について、初期位置センサを設けて初期位置を確認する、といったことも考えられる。さらに、これらの事情を踏まえたうえで、敢えて、左可動演出部材９５ｅと左下可動演出部材９６の両方について初期位置を確認せずに動作させる、といった制御態様も採用が可能である。
【０４０５】
さらに、ここでは、前述の例（図１参照）の下可動演出部材９４に代えて、図１９（ａ）に示す左下可動演出部材９６を設けているが、下可動演出部材９４と左下可動演出部材９６の両方をセンター飾り６４に備えて、前述した各種の制御態様を採用することも可能である。
【０４０６】
続いて、各種の可動演出部材の制御態様としては、初期位置に在るはずの場合は、実際に初期位置にいなくても動作を開始する、といった制御態様を採用することが可能である。また、所定の可動演出部材が初期位置にいないはずの状況において、動作リクエストの情報が生成された場合には、この動作リクエストを破棄し、対応する可動演出部材を作動させないといったことも可能である。
【０４０７】
可動演出部材が初期位置に在るはずであるか否かの判断は、前述したように、モータの回転位置を、モータ動作テーブルに定められた位置情報から推測して行うことが可能である。さらに、上述したような動作リクエストの破棄に関係して、以下のような制御態様を採用することも可能である。
【０４０８】
例えば、いずれかの可動演出部材が所定の初期位置で検出されず、そのまま可動演出部材を作動させた場合に干渉が生じる可能性があるような場合には、動作リクエストを破棄するといったことが可能である。この場合、判定対象となったすべての可動演出部材について、動作リクエストを破棄する制御態様や、一部の可動演出部材についての動作リクエストを破棄する制御態様を考えることができる。
【０４０９】
さらに、一部の可動演出部材についての動作リクエストを破棄する制御態様として、例えば、判定対象となる複数の可動演出部材の組合せと、動作リクエストを破棄する可動演出部材との対応関係を予め定めてテーブル化しておくことが考えられる。図２０は、複数の可動演出部材の対応関係を定めた図表の一例を示している。図２０中において、左端部には可動演出部材の名称として、「左下可動演出部材」、「左岩石１」〜「左岩石５」を示している。
【０４１０】
これらのうち「左下可動演出部材」は、前述の左下可動演出部材９６を示すものであり、「左岩石１」〜「左岩石５」は順に、左可動演出部材９５ａ〜９５ｅを示している。さらに、図２０中の「○」は、同時に動作しても干渉が生じない対応関係を示しており、「×」は同時に動作すると干渉が生じ得る対応関係を示している。
【０４１１】
つまり、図２０は、「左下可動演出部材」は、最下部の左可動演出部材９５ｅである「左岩石５」とは干渉し得るが、他の「左岩石１」〜「左岩石４」とは、同時に動作しても干渉を生じないことを示している。さらに、図２０は、「左岩石１」〜「左岩石４」は、他の可動演出部材と干渉することがなく、「左岩石５」は、「左下可動演出部材」と干渉し得ることを示している。そして、このようなテーブルに基づき、「左下可動演出部材」と「岩石５」を同時に動作させるよう演出に当せんした場合には、予め定められたいずれか一方、或いは、両方の動作リクエストを破棄することが可能である。
【０４１２】
また、リクエストの破棄にあたっては、毎回のリクエストについて、前述したような動作開始位置と前回の停止位置を比較や、テーブルの確認などを行って、リクエストを破棄するか否かを決定することが可能である。また、動作リクエストを破棄する条件としては、これまでに説明したものの他に、例えば、可動演出部材を駆動するモータが、電断復帰時等（通常の電源投入時を含む）のように初期化動作中の状況にあることなども例示できる。
＜＜初期位置検出が行われる可動演出部材を用いたその他の演出＞＞
【０４１３】
前述したような初期位置検出を伴う各種の可動演出部材の動作は、これまでも説明したように、演出における種々の場面で実行することが可能である。そして、可動演出部材を用いたその他の演出として、例えば、以下の各種のようなものを例示することができる。例えば、位置検出の対象である１つの可動演出部材を、前述した先読み演出にて動作させることが可能である。また、先読み演出、及び、先読みとは異なる予告演出の双方、或いは、一方にて動作させることも可能である。
【０４１４】
さらに、可動演出部材を動作させる演出を、変動演出の開始時に予め決定されている場合と、変動演出の実行中に決定された場合とがあるものとすることができる。これらのうち変動演出の開始時に予め決定されている場合としては、メイン基板１０２に係るＣＰＵ５０１が決定する変動パターンや、サブメイン基板３０１に係るＣＰＵ５２１が決定する演出パターンとして、可動演出部材の動作を含むことが予め決まっている演出パターンが決定された場合を挙げることができる。また、変動演出の実行中に決定された場合としては、サブメイン基板３０１のＣＰＵ５２１が、予め決まっている変動演出に付加される予告演出として、リーチ中などに後発的に決定されるような場合を挙げることができる。
【０４１５】
さらに、可動演出部材を用いた演出として、前述したように、操作ボタン２２の操作が検出された場合に、操作に応答して可動演出部材を動作させることが可能である。また、前述したように付加的な表示体（サブ液晶など）を可動演出部材として動作させることも可能であり、更にこの場合には、相対的に大型な表示体（メイン液晶など）とサブ液晶とを一体的な表示や動作を行わせることなども可能である。また、メイン液晶を可動演出部材とすることも可能である。
【０４１６】
さらに、前述したように、操作ボタン２２に突出や振動等の動作を行わせる場合には、操作ボタン２２が可動演出部材となる。そして、可動演出部材としての操作ボタン２２を用いた演出態様としては、以下のようなものを例示できる。例えば、突出した場合に操作レバーとして機能するように操作ボタン２２を構成し、所定の状況で遊技者が、当該操作レバー（操作ボタン２２）を前後左右のうちのいずれかの方向へ傾けた（倒した）場合に、他の可動演出部材（９３、９４等）が動作したり、所定の演出パターンへ発展したりする、といった演出態様が考えられる。
＜ぱちんこ遊技機における各種のエラー＞
【０４１７】
次に、本実施例のぱちんこ遊技機１０において取り扱われる各種のエラーについて、図２２〜図２５に基づき説明する。ただし、ここで説明するのはあくまでもエラー種別の一部であり、本発明に係る遊技機で取扱いの対象とすることが可能なエラーは、ここで説明するエラーに限定されるものではない。
【０４１８】
先ず、取り扱われているエラーは、相対的に重要度の高いもの（図２２参照）と、相対的に重要度の低いもの（図２３〜図２５参照）とに分類することができる。これらのうち、相対的に重要度が高いエラーとしては、図２２に示すように、「磁石検知」、「電波検知」、「入賞口断線・短絡」、「過剰払出し検知Ａ」、「過剰払出し検知Ｂ」がある。
【０４１９】
これらのうち、「磁石検知」及び「電波検知」は、異常な磁気や電波が検出された場合のエラーである。さらに、「入賞口断線・短絡」は各種の入賞口の断線や短絡が検出された場合のエラーである。また、「過剰払出し検知Ａ」は、所定の入賞口において、単位時間あたりの入球個数の異常を検知した場合のエラーである。さらに、「過剰払出し検知Ｂ」は、所定時間に係る単位発射数（アウト口通過数）あたりの入球個数の異常を検知した場合のエラーである。
【０４２０】
図２２には、各種のエラーが検出された場合におけるサブメインＣＰＵ５２１による対応を示している。サブメイン基板３０１については、図２２中で右側へ順に示すように「枠ランプ」、「音声」、「液晶」によるエラー報知が可能となっている。これらのうち「枠ランプ」は、前述した遊技機枠１１における電飾のうち、一部の電飾用のＬＥＤ（例えばガラス扉１５の上部における電飾用ＬＥＤなど）を利用して行われるエラー報知を意味している。また、「音声」は、所定のスピーカ２１を利用した音声によるエラー報知を意味しており、「液晶」は、例えば演出表示装置６０等の表示装置を利用した画像によるエラー報知を意味している。
【０４２１】
また、図２２の左端部に示す「２種系仕様」、「球確系仕様」、「標準仕様」は、各種のエラーに対する検出機能や報知機能が発揮される仕様の分類（機種の分類）を表している。これらのうち「２種系仕様」は、前述した所謂１種と２種（所謂羽根もの）のゲーム性を組合せた１種２種タイプ等のように、所謂２種の機能を備えた仕様を意味している。そして、「２種系仕様」の欄に「○」が記入されている種別のエラーは、「２種系仕様」の機種で検知や報知が行われるものとなっている。
【０４２２】
続いて、図中において「２種系仕様」の右側に示す「球確系仕様」は、前述した所謂球確スペックのように、遊技球が特定の領域を通過することで大当りの種類が決まる機能を備えた仕様を意味している。そして、「球確系仕様」の欄に「○」が記入されている種別のエラーは、「球確系仕様」の機種で検知や報知が行われるものとなっている。
【０４２３】
さらに、図中において「球確系仕様」の右側に示す「標準仕様」は、上述した「２種系仕様」や「球確系仕様」とは異なるタイプの仕様を意味している。そして、「標準仕様」の欄に「○」が記入されている種別のエラーは、「標準仕様」の機種で検知や報知が行われるものとなっている。例えば、図２２の最上段に示す「磁石検知」を例に挙げれば、「２種系仕様」、「球確系仕様」、「標準仕様」のいずれの仕様においても検知や、後述する各種の報知が行われる。
【０４２４】
なお、本実施例のぱちんこ遊技機１０（図１〜図２１）は、「標準仕様」に該当するものである。しかし、サブメインＣＰＵ５２１が実行する制御プログラムには、「２種系仕様」や「球確系仕様」の場合に検知等が行われる種別のエラーについての処理を定めておき、仕様の違いに応じて制御プログラムの使い分けを行うことで、制御プログラムに汎用性を持たせることが可能となる。
【０４２５】
また、「２種系仕様」、「球確系仕様」、「標準仕様」の欄に、例えば図２４の「異常入球（大入賞口２）」や、図２５の「異常入球（普通電役）」のように「−」（ハイフン）が記入されたエラー種別がある。この「−」は、当該仕様の機種では、対応するエラーの報知が行われないことを意味している。また、例えば、図２３の「始動口入賞順異常」等のように、「２種系仕様」、「球確系仕様」、「標準仕様」の欄に「機種毎」の文字が記入されている場合には、当該仕様の機種であっても、機種によってエラー報知の機能の有無が異なることを意味している。なお、このような仕様の分類（機種の分類）とエラー種別との関係について、ここで説明した以外の事項については、後述する各エラー種別において説明する。
【０４２６】
前述した各種のエラーのうち、例えば、図２２中の最上段に示す「磁石検知」が発生した場合には、「枠ランプ」では、「枠ランプ」用に設けられた所定数のＬＥＤの所定色（ここでは赤色）による全点灯が、ぱちんこ遊技機１０の電源がＯＦＦ（オフ）されるまで実行される。また、「音声」では、「磁石を検知しました」の音声出力が、所定の態様（ここでは後述する第１音声エラー報知態様）で、ぱちんこ遊技機１０の電源がＯＦＦされるまで実行される。
【０４２７】
ここで、「音声」に係る上述の第１音声エラー報知態様は、異なる態様の複数（ここでは２種類）の警報音のうちの１つを伴うものとなっている。そして、第１音声エラー報知態様としては、例えば「ピヨピヨ」と聞こえる警報音との組み合わせを例示でき、これとは異なるエラー報知態様（第２音声エラー報知態様）としては、例えば「キンコーン」と聞こえる警報音との組み合わせを例示できる。なお、図２２〜図２５では、第１音声エラー報知態様での音声出力を丸付き数字の「１」で表し、第２音声エラー報知態様での音声出力を丸付き数字の「２」で表している。
【０４２８】
さらに、「磁石検知」が発生した場合の「液晶」では、「磁石を検知しました」の文字表示が、ぱちんこ遊技機１０の電源がＯＦＦ（オフ）されるまで実行される。また、本実施例では、「液晶」の表示態様が、図２２〜図２５における「アイコン」欄に示されている。例えば、「磁石検知」の場合には、「アイコン」として、「磁石を検知しました」の文字に加えて、エラー種別を示す「Ｅ００１−０」の符号が併記されるようになっている。
【０４２９】
続いて、前述の「電波検知」の場合には、「磁石検知」の場合と同様に、「枠ランプ」ではＬＥＤの赤色による全点灯が、ぱちんこ遊技機１０の電源ＯＦＦまで実行される。また、「音声」では、「電波を検知しました」の音声出力が第１音声エラー報知態様で、ぱちんこ遊技機１０の電源ＯＦＦまで実行される。さらに、「液晶」では、「電波を検知しました」の文字表示が、ぱちんこ遊技機１０の電源ＯＦＦまで実行される。また、「アイコン」として、「電波を検知しました」の文字に加えて「Ｅ００２−０」の符号が併記される。
【０４３０】
続いて、前述の「入賞口断線・短絡」の場合には、「磁石検知」や「電波検知」の場合と同様に、「枠ランプ」ではＬＥＤの赤色による全点灯が、ぱちんこ遊技機１０の電源ＯＦＦまで実行される。また、「音声」では、「断線・短絡を検知しました」の音声出力が第１音声エラー報知態様で、ぱちんこ遊技機１０の電源ＯＦＦまで実行される。さらに、「液晶」では、「断線・短絡を検知しました」の文字表示が、ぱちんこ遊技機１０の電源ＯＦＦまで実行される。また、「アイコン」として、「断線・短絡を検知しました」の文字に加えて「Ｅ００３−０」の符号が併記される。
【０４３１】
続いて、前述の「過剰払出し検知Ａ」の場合には、「枠ランプ」では、前述のように単位時間あたりの入球個数の異常を検出した場合に、最初に異常を検出したセンサ（各種入賞検出装置）に対応付けられた個所のＬＥＤを、所定色（ここでは黄色）で点滅させ、点滅箇所以外のＬＥＤは赤点灯させる。さらに、大当り中の出玉過多（特別遊技中の過剰払出し）の場合は、ＬＥＤの赤色による全点灯が行われる。また、この「枠ランプ」による報知は、ぱちんこ遊技機１０の電源ＯＦＦまで実行される。
【０４３２】
さらに、「音声」では、「過剰払出を検知しました」の音声出力が第１音声エラー報知態様で、ぱちんこ遊技機１０の電源ＯＦＦまで実行される。さらに、「液晶」では、「過剰払出を検知しました」の文字表示が、ぱちんこ遊技機１０の電源ＯＦＦまで実行される。また、「アイコン」として、「過剰払出を検知しました」の文字に加えて「Ｅ００３−α」の符号が併記される。ここで、上述の符号「α」は、入球口ＩＤを表しており、該当する入球口の相違に応じて変わるものである。さらに、符号「α」は、大当り中の出球過多（出球過多）を表す「Ｆ」となる場合もある。
【０４３３】
ここで、この「過剰払出し検知Ａ」について更に説明すれば、「過剰払出し検知Ａ」は、大当り中の賞球数が基準値以上、もしくは単位時間あたりの入球数が一定個数以上（１分間に所定個数（Ｎ球）以上、又は、１秒間に所定個数（Ｍ球）以上）の場合にエラー（異常）とみなして検出が行われるものとなっている。
【０４３４】
続いて、前述の「過剰払出し検知Ｂ」の場合には、「枠ランプ」、「音声」、「液晶」については、「過剰払出し検知Ａ」の場合と概ね同様であるが、「枠ランプ」について、大当り出球過多の場合についての報知態様が定められていない点で、「過剰払出し検知Ａ」とは異なっている。また、「アイコン」として、「過剰払出を検知しました」の文字に加えて「Ｅ００３−β」の符号が併記される。ここで、上述の符号「β」は、入球口ＩＤを表しており、該当する入球口の相違に応じて変わるものである。
【０４３５】
ここで、この「過剰払出し検知Ｂ」について更に説明すれば、「過剰払出し検知Ｂ」は、単位発射数（アウト口通過数）あたりの入球数が一定個数以上（１００球間にＮ球以上）の場合エラーとみなして検出が行われるものとなっている。
【０４３６】
次に、前述した相対的に重要度の低いエラーとしては、図２３〜図２５に示すように、「入球通過時間異常」、「始動口入賞順異常」、「通信線異常」、「振動検知」、「異常電源ＯＮ（ＲＷＭ初期化）」、「メイン制御モータ」、「通常電源ＯＮ」、「扉開放」、「異常入球（大入賞口２）」、「異常入球（大入賞口１）」、「異常入球（普通電役）」、「受け皿満タン」、「レバーエラー報知レベル３」、「レバーエラー報知レベル２」、「レバーエラー報知レベル１」がある。
【０４３７】
これらのうち、図２３に示す「入球通過時間異常」は、例えば始動入賞検出装置７４、７５や大入賞口に係る入賞検出装置７８、７９などの各種のセンサ（各種入賞検出装置）において、遊技球の検出時間が所定値を超えている場合に検出されるエラーである。そして、この「入球通過時間異常」に係る「枠ランプ」は、最初に異常を検出したセンサに対応付けられた個所のＬＥＤを、所定色（ここでは水色）で点滅させ、点滅箇所以外のＬＥＤは赤点灯させる。また、この「枠ランプ」による報知は、エラー検知からエラー解除までの期間のほか、エラー解除から３分間に亘って継続される。さらに、例えば始動入賞等に係る所定のスイッチ（ここでは確認スイッチ）の「入球通過時間異常」の場合には、「枠ランプ」として、所定色（ここでは赤色）での点滅が行われる。
【０４３８】
また、「入球通過時間異常」に係る「音声」としては、「球が滞留しています。係員を呼んで下さい。」の音声出力が、第１音声エラー報知態様で、エラー検知からエラー解除までの期間のほか、エラー解除から所定時間（ここでは６０秒間）に亘り実行される。さらに、「液晶」としては、「センサを点検して下さい」の文字表示が、エラー検知からエラー解除までの期間のほか、エラー解除から６０秒間に亘り実行される。このときの「アイコン」としては、「センサを点検して下さい」の文字に加えて、エラー種別を示す「Ｅ００５−α」の符号が併記されるようになっている。
【０４３９】
ここで、符号「α」は、前述した入球口ＩＤを表している。また、「アイコン」として、これらの文字の他に、警告マークと所定の文字（ここでは「エラー」）の組合せが表示される。警告マークとしては、図２３中に示すように、三角形状の枠内に感嘆符（エクスクラメーションマーク）を描いたものが用いられている。なお、「入球通過時間異常」のエラー解除は、遊技球が完全に（継続して）センサ上に詰まって（とどまって）いる間は行われないようになっている。
【０４４０】
続いて、前述の「始動口入賞順異常」は、始動入賞に係る振り分け装置が設けられている場合に、１つの始動口（始動口が２つの場合はいずれか一方の始動口）について、連続して所定個数（Ｎ個）の入賞が検出された場合に異常とみなして検出が行われるものとなっている。
【０４４１】
ここで、前述したように、各種のエラーに対処する機能は予め選択されており、有効とされているエラーに対してのみ、エラー検出の機能が発揮されるようになっている。そして、この「始動口入賞順異常」は、振り分け装置が設けられているゲーム性のぱちんこ遊技機でのみ検出され得るエラーとなっている。このようなエラー種別は、例えば機種に依存するエラー種別であるということができる。
【０４４２】
そして、この「始動口入賞順異常」に係る「枠ランプ」は、最初に異常を検出したセンサに対応付けられた個所のＬＥＤを、所定色（ここでは水色）で点滅させ、点滅箇所以外のＬＥＤは赤点灯させる。さらに、この「枠ランプ」による報知は、ぱちんこ遊技機１０の電源ＯＦＦまで実行される。また、「始動口入賞順異常」に係る「音声」としては、「始動口入賞順異常を検知しました」の音声出力が、第１音声エラー報知態様で、エラー検知から所定時間（ここでは６０秒間）に亘り実行される。
【０４４３】
また、「液晶」としては、「センサを点検して下さい」の文字表示が、エラー検知から所定時間（ここでは６０秒間）に亘り実行される。このときの「アイコン」としては、「センサを点検して下さい」の文字に加えて、エラー種別を示す「Ｅ００７−α」の符号が併記されるようになっている。ここで、符号「α」は、前述した入球口ＩＤを表している。また、「アイコン」として、前述の「入球通過時間異常」と同様に警告マークが表示される。
【０４４４】
続いて、前述の「通信線異常」は、メイン基板１０２と他の基板であるサブメイン基板３０１や払出制御基板４５などとの間でコネクタの抜けなどが検出された場合のエラーである。この「通信線異常」に係る「枠ランプ」では、ＬＥＤの所定色（ここでは赤色）による全点灯が、エラー解除まで実行される。また、この「枠ランプ」では、エラー検知から１０秒間遅延させて報知が開始される。
【０４４５】
さらに、「音声」では、「通信線異常を検知しました」の音声出力が、エラー検知から１０秒間遅延させて、第１音声エラー報知態様で開始され、エラー解除まで実行される。さらに、「液晶」としては、「通信線異常を検知しました」の文字表示が、エラー検知から１０秒間遅延させて開始され、エラー解除まで実行される。このときの「アイコン」としては、「通信線異常を検知しました」の文字に加えて、エラー種別を示す「Ｅ００８−０」の符号が併記されるようになっている。また、「入球通過時間異常」等と同様に、警告マークと「エラー」の文字との組み合わせも表示される。
【０４４６】
続いて、前述の「振動検知」は、異常な振動が検出された場合のエラーであり、機種に依存した種別のエラーである。そして、「振動検知」は、例えば、所謂１種と２種のゲーム性を組合せた１種２種タイプや、所謂球確スペックなどのように、遊技球が特定の領域を通過することで所定の当りが発生するか否かが決まるような機種で、エラー検出機能が有効とされるものである。
【０４４７】
この「振動検知」に係る「枠ランプ」では、ＬＥＤの所定色（ここでは赤色）による全点灯が、エラー検知に基づく所定のタイミングから所定時間（ここでは６０秒間）に亘り実行される。さらに、「音声」では、「振動を検知しました」の音声出力が、「枠ランプ」の場合と同様に、エラー検知に基づく所定のタイミングから所定時間（ここでは６０秒間）に亘り、第１音声エラー報知態様で実行される。
【０４４８】
また、「液晶」としては、「振動を検知しました」の文字表示が、「枠ランプ」や「音声」の場合と同様に、エラー検知から１０秒間遅延させて開始され、エラー解除まで実行される。このときの「アイコン」としては、「振動を検知しました」の文字に加えて、エラー種別を示す「Ｅ０１２−０」の符号が併記されるようになっている。また、「入球通過時間異常」等と同様に、警告マークと「エラー」の文字との組み合わせも表示される。
【０４４９】
続いて、前述の「異常電源ＯＮ（ＲＷＭ初期化）」は、電源投入時のＲＷＭ初期化に係る異常が検出された場合や、大当り開始デモから大当り終了デモの際に生じた電断から電源復帰する場合のエラーである。この「異常電源ＯＮ（ＲＷＭ初期化）」に係る「枠ランプ」では、ＬＥＤの所定色（ここでは赤色）による全点灯が所定時間（ここでは３０秒間）に亘り実行される。さらに、「音声」では、「電源が入りました」の音声出力が、所定時間（ここでは６０秒間）に亘り、第１音声エラー報知態様で実行される。
【０４５０】
また、「液晶」としては、「電源が入りました」の文字表示が、所定時間（ここでは３０秒間）に亘り実行される。このときの「アイコン」としては、「電源が入りました」の文字に加えて、エラー種別を示す「Ｅ００９−０」の符号が併記されるようになっている。また、「入球通過時間異常」等と同様に、警告マークと「エラー」の文字との組み合わせも表示される。
【０４５１】
次に、図２４に示す前述の「メイン制御モータ」は、メイン基板１０２で制御する可動演出部材のモータに係る異常が検出された場合のエラーである。メイン基板１０２が可動演出部材としては、例えば、前述の「２種系仕様」や「球確系仕様」等において、当否の決定や、当りの種類の決定などに関わるものを挙げることができる。そして、上述の「メイン制御モータ」は、モータ駆動される可動演出部材を備えた機種でのみ有効化される、機種に依存した種別のエラーである。
【０４５２】
この「メイン制御モータ」に係る「枠ランプ」では、ＬＥＤの所定色（ここでは赤色）による全点灯が、エラー検知に基づく所定のタイミング（ここではモータ異常の最後の検知となる検知終了のタイミング）から所定時間（ここでは３０秒間）に亘り実行される。さらに、「音声」では、「可動物の異常を検知しました」の音声出力が、エラー検知から所定時間（ここでは３５秒間）に亘り、第１音声エラー報知態様で実行される。
【０４５３】
また、「液晶」としては、「可動物の異常を検知しました」の文字表示が、「枠ランプ」の場合と同様に、最後の異常検知から３０秒間遅延に亘り実行される。このときの「アイコン」としては、「可動物の異常を検知しました」の文字に加えて、エラー種別を示す「Ｅ０１０−０」の符号が併記されるようになっている。また、「入球通過時間異常」等と同様に、警告マークと「エラー」の文字との組み合わせも表示される。
【０４５４】
続いて、前述の「通常電源ＯＮ」は、電源スイッチ４０（図２参照）の操作による電源投入に係る異常が検出された場合のエラーである。この「通常電源ＯＮ」に係る「枠ランプ」では、ＬＥＤの所定色（ここでは赤色）による全点灯が所定時間（ここでは１２秒間）に亘り実行される。さらに、「音声」では、「電源が入りました」の音声出力が、所定時間（ここでは１２秒間）に亘り、第１音声エラー報知態様で実行される。
【０４５５】
また、「液晶」としては、「電源が入りました」の文字表示が、所定時間（ここでは１２秒間）に亘り実行される。このときの「アイコン」としては、「電源が入りました」の文字に加えて、「入球通過時間異常」等と同様に、警告マークと「エラー」の文字との組み合わせが表示されるようになっている。
【０４５６】
続いて、前述の「扉開放」は、前枠１２や扉１４の開放が検出された場合のエラーである。この「扉開放」に係る「枠ランプ」では、ＬＥＤの所定色（ここでは赤色）による全点灯が、各種扉の開放中、及び、閉鎖後の所定期間（ここでは３０秒）に亘り実行される。  さらに、「音声」では、「扉が開いています」の音声出力が、各種扉の開放中の（例えば開放開始からの）所定期間（ここでは３分間）、及び、閉鎖後の所定期間（ここでは７秒間）に亘り実行される。さらに、「液晶」としては、「扉が開いています」の文字表示が、各種扉の開放中に限り実行される。このときの「アイコン」としては、エラー種別の符号や警告マーク等の表示は行われないようになっている。
【０４５７】
続いて、前述の「異常入球（大入賞口２）」、及び、図中の次段の「異常入球（大入賞口１）」、は、大入賞口に係る異常入球が検出された場合のエラーである。そして、この「異常入球（大入賞口２）」、及び、「異常入球（大入賞口１）」、は、大入賞口の構造やゲーム性に応じて使い分けられる、機種に依存した種別のエラーである。
【０４５８】
本実施例では、「異常入球（大入賞口２）」は、大入賞口内に特定の領域を持つ場合のエラーとして定められている。そして、「異常入球（大入賞口２）」は、例えば、前述したような所謂１種と２種のゲーム性を組合せた１種２種タイプや、所謂球確スペックなどのように、遊技球が大入賞口内の特定の領域を通過することで所定の当りが発生するか否かが決まるような機種で、標準の構成（標準仕様）として有効化されるようになっている。
【０４５９】
これに対し、「異常入球（大入賞口１）」は、所定の大入賞口内に特定の領域を持たない場合のエラーとして定められている。そして、「異常入球（大入賞口１）」は、遊技球が大入賞口内の特定の領域を通過することで所定の当りが発生するか否かが決まるようなタイプとは異なる機種で、標準仕様として有効化されるようになっている。
【０４６０】
さらに、ぱちんこ遊技機として、２種類の大入賞口を備えるタイプのものもある。このようなタイプのぱちんこ遊技機は、前述の所謂１種２種タイプや、所謂球確スペックとは異なるタイプのものとして扱われる。そして、このようなタイプのぱちんこ遊技機では、例えば、「異常入球（大入賞口２）」と「異常入球（大入賞口１）」とを併用し、「異常入球（大入賞口２）」及び「異常入球（大入賞口１）」の両方を標準仕様とする、といったことが可能である。
【０４６１】
また、図２４では、「異常入球（大入賞口２）」に係る「枠ランプ」、「音声」、「液晶」等の各要素を上下２段に分けて示している。これらのうちの上段は、「異常入球（大入賞口２）」が標準仕様とされているタイプのぱちんこ遊技機におけるエラー報知態様を示すためのものであり、下段は前述の所謂１種２種タイプや、所謂球確スペックのタイプのぱちんこ遊技機におけるエラー報知態様を示すためのものである。そして、「異常入球（大入賞口２）」が標準仕様とされている場合には、図中の上段に示すように、「異常入球（大入賞口２）」に係る「枠ランプ」、「音声」、「液晶」でのエラー報知は行われないようになっている。
【０４６２】
一方、前述の所謂１種２種タイプや、所謂球確スペックのタイプのぱちんこ遊技機においては、図中の下段に示すように、「枠ランプ」でのエラー報知は行われないが、「音声」では、遊技の状況に応じてエラー報知が行われる場合があるようになっている。そして、特別遊技が行われる大当り中には、「音声」でのエラー報知は行われないが、大当り中以外には、「異常入球を検知しました」の音声出力が、所定時間（ここでは１０秒間）に亘り、第１音声エラー報知態様で実行される。
【０４６３】
また、「液晶」でも、遊技の状況に応じてエラー報知が行われる場合があるようになっている。そして、特別遊技が行われる大当り中には、「液晶」でのエラー報知は行われないが、大当り中以外には、「異常入球を検知しました」の文字表示が、所定時間（ここでは１０秒間）に亘り実行される。このときの「アイコン」としては、「異常入球を検知しました」の文字に加えて、エラー種別を示す「Ｅ０１３−２」の符号が併記されるようになっている。また、「入球通過時間異常」等と同様に、警告マークと「エラー」の文字との組み合わせも表示される。
【０４６４】
続いて、前述の「異常入球（大入賞口１）」については、「枠ランプ」、「音声」、「液晶」でのエラー報知は行われないようになっている。つまり、「異常入球（大入賞口２）」や「異常入球（大入賞口１）」については、前述の所謂１種２種タイプや、所謂球確スペックのタイプのぱちんこ遊技機に備えられている場合には、エラー報知が行われる場合があるが、それ以外のタイプのぱちんこ遊技機に備えられている場合には、エラー報知が行われないものとなっている。
【０４６５】
次に、図２５に示す前述の「異常入球（普通電役）」は、前述の普通電動役物に係る異常入球が検出された場合のエラーである。そして、この「異常入球（普通電役）」も、機種に依存した種別のエラーである。図２５では、「異常入球（普通電役）」に係る「枠ランプ」、「音声」、「液晶」等の各要素を上下２段に分けて示している。これらのうちの上段は、「異常入球（普通電役）」が標準仕様とされているタイプのぱちんこ遊技機、及び、前述の所謂球確スペックのタイプのぱちんこ遊技機におけるエラー報知態様を示すためのものである。さらに、下段は前述の所謂１種２種タイプのぱちんこ遊技機におけるエラー報知態様を示すためのものである。
【０４６６】
これらのうち、上段に示す「異常入球（普通電役）」が標準仕様とされているタイプのぱちんこ遊技機、及び、前述の所謂球確スペックのタイプのぱちんこ遊技機では、「枠ランプ」、「音声」、「液晶」でのエラー報知は行われないようになっている。
【０４６７】
一方、前述の所謂１種２種タイプのぱちんこ遊技機においては、図中の下段に示すように、「枠ランプ」でのエラー報知は行われないが、「音声」では、「異常入球を検知しました」の音声出力が、所定時間（ここでは１０秒間）に亘り、第１音声エラー報知態様で実行される。さらに、「液晶」では、「異常入球を検知しました」の文字表示が、所定時間（ここでは１０秒間）に亘り実行される。このときの「アイコン」としては、「異常入球を検知しました」の文字に加えて、エラー種別を示す「Ｅ０１３−３」の符号が併記されるようになっている。また、「入球通過時間異常」等と同様に、警告マークと「エラー」の文字との組み合わせも表示される。
【０４６８】
さらに、前述の所謂１種２種タイプのぱちんこ遊技機においては、普通電動役物の未作動時にも、第２始動入賞口６３が、前述したロング開放を行った場合や、ショート開放を行った場合についても、「異常入球（普通電役）」に係る、「音声」及び「液晶」でのエラー報知が行われるようになっている。そして、図中に示すように、ロング開放の場合は、異常入球が連続して所定回数（ここでは３回）検出された場合にエラー報知が行われ、ショート開放の場合は、異常入球が１回検出されればエラー報知が行われる。
【０４６９】
ここで、異常入球の所定回数の検出は、例えば、メイン基板１０２からの所定のコマンド（始動口無効入賞コマンドなど）がサブメイン基板３０１へ送信されるようにし、サブメインＣＰＵ５２１のコマンド解析処理（図１６のＳ１３２）で、始動口無効入賞コマンドを所定回数のループ処理に亘り連続で検出すると、「異常入球（普通電役）」と判定する、といった態様で行うことが可能である。この場合、開放態様（ここではロング開放）を示すコマンドを受信した際に、開放態様に応じて回数を示す値（ここでは「３」、ショート開放の場合は「１」。）をセットし、次の開放態様を示すコマンドを受信するまでに、始動口無効入賞コマンドを受信する度に減算を行い、所定回数に亘り始動口無効入賞コマンドを受信すると当該エラーと判定する、といった制御態様を採用することができる。
【０４７０】
続いて、前述の「受け皿満タン」は、同じく前述した受け皿満タンスイッチにより下球皿１８の満タンが検出された場合のエラーである。この「受け皿満タン」に係る「枠ランプ」ではエラー報知が行われず、「音声」では、「球を抜いてください」の音声出力が、当該フレーズを３回繰り返すよう実行される。ここで、「受け皿満タン」に係る「音声」のエラー報知は、満タンの検知から所定時間（ここでは５秒間）遅れて開始される。また、「液晶」では、「球を抜いてください」の文字表示が、エラー解除まで実行される。このときの「アイコン」としては、エラー種別の符号や警告マーク等の表示は行われないようになっている。
【０４７１】
続いて、前述の「レバーエラー報知レベル３」、「レバーエラー報知レベル２」、「レバーエラー報知レベル１」について説明する。これらのエラーは、レバーに係るエラーとして検出されるものであるが、「レバー」は、前述したように操作ボタン２２に突出動作等を行わせ、操作ボタン２２を可動演出部材の１つとして用いるようにした場合の、操作ボタン２２の形態を表している。
【０４７２】
さらに、「レバーエラー報知レベル３」、「レバーエラー報知レベル２」、「レバーエラー報知レベル１」は、前述の所謂１種２種タイプや、所謂球確スペックのタイプのぱちんこ遊技機であっても検出が行われるものとなっている。また、これらのエラーには、検出条件や報知態様に相違があり、状況に応じて使い分けられるようになっている。
【０４７３】
先ず、「レバーエラー報知レベル３」は、レバー（ここでは可動演出部材として構成されている操作ボタン２２の形態）の動作不良が所定回数（ここでは５回）連続して検出された場合に発生するものとなっている。より具体的には、例えば、垂直状態（突出状態）になったレバーを下に戻す（没入状態或いは傾倒状態とする）ための処理（位置回復処理）を５回行っても位置検出ができなかった場合に、「レバーエラー報知レベル３」となる。このような動作不良の検出回数を判定する処理としては、「異常入球（普通電役）」について説明した回数判定の処理と同様に行うことが可能である。
【０４７４】
この「レバーエラー報知レベル３」については、「枠ランプ」や「音声」でのエラー報知は行われず、「液晶」での「レバー動作停止中」の文字表示が、エラー検知からエラー解除まで実行される。このときの「アイコン」としては、エラー種別の符号や警告マーク等の表示は行われないようになっている。
【０４７５】
ここで、上述のようにレバーを初期位置に戻そうとする位置回復処理を行った場合には、その後に所定時間（ここでは６０秒）が経過しなければ、「レバーエラー報知レベル３」が解除されないようになっている。さらに、位置回復処理は、扉開閉により再度実行されるようになっている。さらに、扉の開閉を繰り返した場合には、その都度、レバーの位置回復処理が行われる。
【０４７６】
続いて、前述の「レバーエラー報知レベル２」は、レバーの前述のような動作不良時、又は、後述する「レバーエラー報知レベル１」となっている状態から所定期間（ここでは６０秒）が経過すると発生する。この「レバーエラー報知レベル２」については、「枠ランプ」ではＬＥＤの赤色による全点灯がエラー解除まで実行される。また、「音声」では、「レバーを戻して下さい」の音声出力が３０秒間に亘り実行され、「液晶」では、「レバーを戻して下さい」の文字表示が、エラー解除まで実行される。このときの「アイコン」としては、エラー種別の符号や警告マーク等の表示は行われないようになっている。
【０４７７】
続いて、前述の「レバーエラー報知レベル１」は、前述のような動作不良が発生し、レバーが所定の状態（没入状態或いは傾倒状態等に戻らない状態）で所定時間（ここでは１０秒）が経過すると発生する。この「レバーエラー報知レベル１」については、「枠ランプ」や「音声」でのエラー報知は行われず、「液晶」での「レバーを戻してください」の文字表示が、エラー検知からエラー解除まで実行される。このときの「アイコン」としては、エラー種別の符号や警告マーク等の表示は行われないようになっている。
【０４７８】
なお、これまで説明したような各種のエラーと、可動演出部材（９３、９４等）との関係を以下のようなものとすることが可能である。例えば、複数種類のエラーのうち、特定の種類のエラーが発生している状況では可動演出部材（９３、９４等）の位置確認や位置復帰動作を行わず、他の特定のエラーが発生している状況では可動演出部材（９３、９４等）の位置確認や位置復帰動作を行う、といったことが可能である。さらに、エラー時に可動演出部材（９３、９４等）の位置確認や位置復帰動作を行う場合には、エラーが発生していない正常な場合と同様に、可動演出部材（９３、９４等）が演出のための動作（演出動作）を行うタイミングとは異なるタイミングで、位置検出を行うことが可能である。
【０４７９】
より具体的には、例えば、「磁気検知」等の相対的に重要度の高いエラー（図２２参照）が発生している状況では、可動演出部材（９３、９４等）の位置確認等を行わず、相対的に重要度の低いエラー（図２３〜図２５参照）が発生している状況では、可動演出部材（９３、９４等）の位置確認等を行う、といったことを例示できる。そして、相対的に重要度の低いエラーが発生している状況では、エラーが発生していない正常な場合と同様に、可動演出部材（９３、９４等）が演出のための動作（演出動作）を行うタイミングとは異なる変動開始時等のタイミングで、位置検出を行うようにすることができる。
＜実施例に係る発明の作用効果＞
【０４８０】
以上各種の例を説明したように、可動演出部材の動作開始時や動作中などのタイミングでは可動演出部材の位置確認を行わず、変動演出に係る変動開始時などのような他のタイミング（可動演出部材の動作中とは異なるタイミング）で可動演出部材の位置確認を行うことにより、動作エラーなどが発生した場合に遊技者が、演出のためではない動作を演出と誤認することを防止できる。
【０４８１】
つまり、可動演出部材の動作開始時や動作中などのタイミングで位置確認を行い、エラーが検出された場合には、可動演出部材を停止させたり、正常な位置に戻したりすることが必要になる。このため、遊技者は、可動演出部材が正常な演出動作を行っているのか、それ以外の制御上必要な動作（正常位置復帰動作）を行っているのか区別できず、演出ではない動作を演出動作と認識してしまうことが考えられる。しかし、これまでに説明したように位置検出のタイミングを定めておくことにより、このような誤認を防止でき、可動演出部材の制御を適正化することが可能となる。
【０４８２】
また、前述したように、特別遊技に係るラウンド中や、特別遊技後の終了デモ時（大当り終了デモ時）などには、可動演出部材（９３、９４等）の位置を確認しない制御態様を採用することにより、遊技者の印象に残り易い特別遊技中に、可動演出部材が演出以外の動作を行ってしまうことを防止できる。
【０４８３】
さらに、前述のように、左下可動演出部材９６（図１９（ａ）、（ｂ）参照）について、回転動作に関しては位置確認を行わず、斜め上方に進退する動作に関しては位置確認を行うようにすることで、可動演出部材の位置確認のための処理負担を軽減でき、可動演出部材の動作制御を適正化することが可能になる。
【０４８４】
なお、本発明は上述した各種の実施例に限定されるものではなく、種々に変形が可能なものである。本実施例では、可動演出部材の位置検出タイミングを可動演出部材の可動タイミング以外のタイミング（例えば変動開始時など）として説明したが、これに加えて、可動演出部材の可動タイミングにおいても位置検出を行うようにしてもよい。
【符号の説明】
【０４８５】
１０  ぱちんこ遊技機、５０  遊技盤、５２  遊技領域、５３  主制御表示装置、
６０、演出表示装置、６２  第１始動入賞口、６３  第２始動入賞口、
９１  第１大入賞口、９２  第２大入賞口、９３、９４  可動演出部材、
９５ａ〜９５ｅ  左可動演出部材、９６  左下可動演出部材、１０２  メイン基板、
１０４  サブ基板、１１３  第１当否判定手段、１１７  第２当否判定手段、
１２０  特別遊技制御手段、１９７  保留数表示部、３０１  サブメイン基板、
３０２  サブサブ基板、５０１  メイン基板のＣＰＵ、５２１  サブメイン基板のＣＰＵ。
【図１】
2018166906.tif 000003
【図２】
2018166906.tif 000004
【図３】
2018166906.tif 000005
【図４】
2018166906.tif 000006
【図５】
2018166906.tif 000007
【図６】
2018166906.tif 000008
【図７】
2018166906.tif 000009
【図８】
2018166906.tif 000010
【図９】
2018166906.tif 000011
【図１０】
2018166906.tif 000012
【図１１】
2018166906.tif 000013
【図１２】
2018166906.tif 000014
【図１３】
2018166906.tif 000015
【図１４】
2018166906.tif 000016
【図１５】
2018166906.tif 000017
【図１６】
2018166906.tif 000018
【図１７】
2018166906.tif 000019
【図１８】
2018166906.tif 000020
【図１９】
2018166906.tif 000021
【図２０】
2018166906.tif 000022
【図２１】
2018166906.tif 000023
【図２２】
2018166906.tif 000024
【図２３】
2018166906.tif 000025
【図２４】
2018166906.tif 000026
【図２５】
2018166906.tif 000027
【図２６】
2018166906.tif 000028